(57)【特許請求の範囲】
【請求項１】
再生部で通常の再生速度のｎ倍の再生速度で磁気テープに記録されている記録データを再生してｎチャンネルのデータを得、上記ｎチャンネルのデータを、ｎ個のキャッシュメモリに記憶し、これらｎ個のキャッシュメモリに記憶されているデータを、ｋ個の転送期間の内の１転送期間において、ｎ個のキャッシュメモリに夫々割り当てられているｋ個のバッファの内の各１つのバッファに供給し、これらｎ個のキャッシュメモリに夫々割り当てられているｋ個のバッファの内の各１つのバッファに記憶したデータを、順次ｋ個のディスクに巡回して記録し、上記ｋ個のディスクに記録されているデータを再生して得られたデータを、上記ｎ個のキャッシュメモリに夫々割り当てられているｋ個のバッファに供給して記憶し、これら上記ｎ個のキャッシュメモリに夫々割り当てられているｋ個のバッファに記憶されているデータを、ｋ個の転送期間の内の１転送期間において、上記ｎ個のキャッシュメモリに夫々供給して記憶し、これらｎ個のキャッシュメモリに記憶されているデータを、上記記録部に供給して上記記録部の磁気テープに通常の記録速度のｎ倍の記録速度で記録することを特徴とする記録再生方法。
【請求項２】
上記ｋ個のディスクから任意のＭ個のデータを再生して出力する場合は、上記ｋ個のディスクの各Ｍ個の異なるアドレスをアクセスして、任意のＭ個のデータを再生し、これら任意のＭ個のデータを、上記ｎ個のキャッシュメモリに夫々割り当てられているｋ個のバッファの内の各Ｍ個のバッファに夫々供給し、これら各Ｍ個のバッファに記憶されているデータを、上記ｋ個の転送期間の内の１転送期間において、上記ｎ個のキャッシュメモリに供給して記憶し、上記ｎ個のキャッシュメモリに記憶したデータを同時に出力するようにしたことを特徴とする請求項１記載の記録再生方法。
【請求項３】
上記ｋ個のディスクから任意のＭ個のデータを再生して出力すると共に、上記再生部からのｎチャンネルのデータを上記ｋ個のディスクに記録する場合は、上記ｋ個のディスクの各Ｍ個の異なるアドレスをアクセスして、任意のＭ個のデータを再生し、これら任意のＭ個のデータを、上記ｎ個のキャッシュメモリに夫々割り当てられているｋ個のバッファの内の各Ｍ個のバッファに夫々供給し、これら各Ｍ個のバッファに記憶されているデータを、上記ｋ個の転送期間の内の１転送期間において、上記ｎ個のキャッシュメモリに供給して記憶し、上記ｎ個のキャッシュメモリに記憶したデータを同時に出力すると共に、上記ｎチャンネルのデータを、ｎ個のキャッシュメモリに記憶し、これらｎ個のキャッシュメモリに記憶されているデータを、ｋ個の転送期間の内の１転送期間において、ｎ個のキャッシュメモリに夫々割り当てられているｋ個のバッファの内の各１つのバッファに供給し、これらｎ個のキャッシュメモリに夫々割り当てられているｋ個のバッファの内の各１つのバッファに記憶したデータを、順次ｋ個のディスクに記録するようにしたことを特徴とする請求項１記載の記録再生方法。
【請求項４】
少なくとも通常の転送速度のｎ倍の転送速度でデータを出力することのできる再生部と、ｋ個のディスク記録再生部と、少なくとも通常の転送速度のｎ倍の転送速度のデータを記録することのできる記録部と、上記再生部、上記記録部及び上記複数のディスク記録再生部間に配置され、上記再生部から上記記録部、上記再生部から上記複数のディスク記録再生部、上記複数のディスク記録再生部から上記記録部へのデータ転送、並びに外部への出力、或いは外部からの入力を、キャッシュとして機能する記憶部を経由して行うデータコントロール部と、上記再生部、上記記録部、上記複数のディスク記録再生部及び上記データコントロール部を制御する制御部とを有する記録再生装置において、
上記データコントロール部を、上記再生部からのｎチャンネルのデータを１チャンネルのデータに変換し、変換した１チャンネルのデータを、所定単位毎にｎチャンネルに分割する第１の分割手段と、上記第１の分割手段からのｎチャンネルのデータ及び上記ｋ個のディスク記録再生部からの再生データ、或いは上記第１の分割手段からのｎチャンネルのデータまたは上記ｋ個のディスク記録再生部からの再生データを記憶するためのキャッシュとして機能するｍ個の記憶部と、これらｍ個の記憶部に夫々接続される各ｋ個の第１バッファ群、第２バッファ群、・・・・第ｍバッファ群と、これら各ｋ個の第１バッファ群、第２バッファ群、・・・・第ｍバッファ群と上記ｍ個の記憶部とを選択的に接続する第１選択部、第２選択部、・・・・第ｍ選択部と、上記各ｋ個の第１バッファ群、第２バッファ群、・・・・第ｍバッファ群と上記ｋ個のディスク記録再生部を選択的に接続する接続部と、上記ｋ個のディスク記録再生部から再生されて上記ｍ個の記憶部に記憶され、上記ｍ個の記憶部から読み出された、所定単位毎にｎチャンネルに分割されている再生データを、１チャンネルのデータに変換し、変換した１チャンネルのデータを、所定単位毎にｎチャンネルのデータに分割する第２の分割手段と、上記第１選択部、第２選択部、・・・・第ｍ選択部、並びに上記接続部をｋ個の転送期間を１サイクルとして制御する制御手段とを有することを特徴とする記録再生装置。
【請求項５】
上記再生部からのｎチャンネルのデータを、上記ｋ個のディスク記録再生部に供給し、上記ｋ個のディスク記録再生部の各ディスクに記録する場合に、上記ｍ個の記憶部の内のｎ個の記憶部に、上記第１の分割手段からのｎチャンネルのデータを記憶し、上記ｋ個の転送期間の内の第ｔ番目の転送期間においては、上記制御手段の制御で上記ｎ個の記憶部に対応する上記第１選択部、第２選択部、・・・・第ｍ選択部の内のｎ個の選択部を制御することによって、上記各ｋ個の第１バッファ群、第２バッファ群、・・・・第ｍバッファ群の上記ｎ個の記憶部に夫々対応するバッファ群の内の１つのバッファを夫々上記ｎ個の記憶部に接続し、上記ｎ個の記憶部に夫々記憶されているデータを、上記各ｋ個の第１バッファ群、第２バッファ群、・・・・第ｍバッファ群の上記ｎ個の記憶部に夫々対応するバッファ群の内の１つのバッファに夫々供給して記憶し、上記ｋ個の転送期間の内の第ｔ＋１番目の転送期間においては、上記各ｋ個の第１バッファ群、第２バッファ群、・・・・第ｍバッファ群の上記ｎ個の記憶部に夫々対応するバッファ群の内の１つのバッファに夫々記憶されているデータを、上記ｋ個のディスク記録再生部の各ディスクに順次記録するようにしたことを特徴とする請求項４記載の記録再生装置。
【請求項６】
上記ｋ個のディスク記録再生部の各ディスクに記録されているデータを再生し、再生した再生データを上記記録部に供給し、上記記録部の記録媒体に記録する場合に、上記ｋ個の転送期間の内の第ｔ番目の転送期間においては、上記ｋ個のディスク記録再生部のｎ個のディスク記録再生部の各ディスクに記録されているデータを再生してｎチャンネルのデータを得、これらｎチャンネルのデータを、上記各ｋ個の第１バッファ群、第２バッファ群、・・・・第ｍバッファ群の内のｎ個のバッファ群の内の１つのバッファに夫々記憶し、上記ｋ個の転送期間の内の第ｔ＋２番目の転送期間においては、上記各ｋ個の第１バッファ群、第２バッファ群、・・・・第ｍバッファ群の内のｎ個のバッファ群の内の各１つのバッファに夫々記憶されているデータを読み出してｎチャンネルのデータを得、このｎチャンネルのデータを、上記ｍ個の記憶部の内の対応するｎ個の記憶部に供給して記憶し、これらｎ個の記憶部に記憶したデータを読み出してｎチャンネルのデータを得、このｎチャンネルのデータを上記第２の分割手段に供給し、上記第２の分割手段において所定単位毎に分割して得られたｎチャンネルのデータを上記記録部に供給して記録するようにしたことを特徴とする請求項４記載の記録再生装置。
【請求項７】
上記再生部からのｎチャンネルのデータを、上記ｋ個のディスク記録再生部に供給し、上記ｋ個のディスク記録再生部の各ディスクに記録すると共に、上記ｋ個のディスク記録再生部の各ディスクに記録されているデータを再生し、再生した再生データを上記記録部に供給し、上記記録部の記録媒体に記録する場合に、上記ｍ個の記憶部の内のｎ個の記憶部に、上記第１の分割手段からのｎチャンネルのデータを記憶し、上記ｋ個の転送期間の内の第ｔ番目の転送期間においては、上記制御手段の制御で上記ｎ個の記憶部に対応する上記第１選択部、第２選択部、・・・・第ｍ選択部の内のｎ個の選択部を制御することによって、上記各ｋ個の第１バッファ群、第２バッファ群、・・・・第ｍバッファ群の上記ｎ個の記憶部に夫々対応するバッファ群の内の１つのバッファを夫々上記ｎ個の記憶部に接続し、上記ｎ個の記憶部に夫々記憶されているデータを、上記各ｋ個の第１バッファ群、第２バッファ群、・・・・第ｍバッファ群の上記ｎ個の記憶部に夫々対応するバッファ群の内の１つのバッファに夫々供給して記憶し、上記ｋ個の転送期間の内の第ｔ＋１番目の転送期間においては、上記各ｋ個の第１バッファ群、第２バッファ群、・・・・第ｍバッファ群の上記ｎ個の記憶部に夫々対応するバッファ群の内の１つのバッファに夫々記憶されているデータを、上記ｋ個のディスク記録再生部の各ディスクに順次記録し、上記ｋ個の転送期間の内の第ｔ番目の転送期間においては、上記ｋ個のディスク記録再生部の内ｎ個のディスク記録再生部の各ディスクに記録されているデータを再生してｎチャンネルのデータを得、これらｎチャンネルのデータを、上記各ｋ個の第１バッファ群、第２バッファ群、・・・・第ｍバッファ群の内のｎ個のバッファ群の内の１つのバッファに夫々記憶し、上記ｋ個の転送期間の内の第ｔ＋２番目の転送期間においては、上記各ｋ個の第１バッファ群、第２バッファ群、・・・・第ｍバッファ群の内のｎ個のバッファ群の内の各１つのバッファに夫々記憶されているデータを読み出してｎチャンネルのデータを得、このｎチャンネルのデータを、上記ｍ個の記憶部の内の対応するｎ個の記憶部に供給して記憶し、これらｎ個の記憶部に記憶したデータを読み出してｎチャンネルのデータを得、このｎチャンネルのデータを上記第２の分割手段に供給し、上記第２の分割手段において所定単位毎に分割して得られたｎチャンネルのデータを上記記録部に供給して記録するようにしたことを特徴とする請求項４記載の記録再生装置。
【請求項８】
上記ｋ個のディスク記録再生部に夫々セットされているｋ個のディスクの任意のＭ箇所を再生してＭチャンネルのデータを得る場合に、上記ｋ個の転送期間の内の第ｔ番目の転送期間においては、上記ｋ個のディスク記録再生部の内のＭ個のディスク記録再生部の各ディスク上のＭ個の異なるアドレスから再生を行い、目的とするＭ個のデータを再生してＭチャンネルのデータを得、これらＭチャンネルのデータを、上記各ｋ個の第１バッファ群、第２バッファ群、・・・・第ｍバッファ群の内のＭ個のバッファ群の内の１つのバッファに夫々記憶し、上記ｋ個の転送期間の内の第ｔ＋２番目の転送期間においては、上記各ｋ個の第１バッファ群、第２バッファ群、・・・・第ｍバッファ群の内のＭ個のバッファ群の内の各１つのバッファに夫々記憶されているデータを読み出してＭチャンネルのデータを得、このＭチャンネルのデータを、上記ｍ個の記憶部の内の対応するＭ個の記憶部に供給して記憶し、これらＭ個の記憶部に記憶したデータを読み出してＭチャンネルのデータを得、このＭチャンネルのデータを上記第２の分割手段に供給し、上記第２の分割手段において所定単位毎に分割して得られたＭチャンネルのデータを出力するようにしたことを特徴とする請求項４記載の記録再生装置。
【請求項９】
上記再生部からのｎチャンネルのデータを、上記ｋ個のディスク記録再生部に供給し、上記ｋ個のディスク記録再生部の各ディスクに記録すると共に、上記ｋ個のディスク記録再生部の各ディスクの任意のＭ箇所を再生してＭチャンネルのデータを出力する場合に、上記ｍ個の記憶部の内のｎ個の記憶部に、上記第１の分割手段からのｎチャンネルのデータを記憶し、上記ｋ個の転送期間の内の第ｔ番目の転送期間においては、上記制御手段の制御で上記ｎ個の記憶部に対応する上記第１選択部、第２選択部、・・・・第ｍ選択部の内のｎ個の選択部を制御することによって、上記各ｋ個の第１バッファ群、第２バッファ群、・・・・第ｍバッファ群の上記ｎ個の記憶部に夫々対応するバッファ群の内の１つのバッファを夫々上記ｎ個の記憶部に接続し、上記ｎ個の記憶部に夫々記憶されているデータを、上記各ｋ個の第１バッファ群、第２バッファ群、・・・・第ｍバッファ群の上記ｎ個の記憶部に夫々対応するバッファ群の内の１つのバッファに夫々供給して記憶し、上記ｋ個の転送期間の内の第ｔ＋１番目の転送期間においては、上記各ｋ個の第１バッファ群、第２バッファ群、・・・・第ｍバッファ群の上記ｎ個の記憶部に夫々対応するバッファ群の内の１つのバッファに夫々記憶されているデータを、上記ｋ個のディスク記録再生部の各ディスクに順次記録し、上記ｋ個の転送期間の内の第ｔ番目の転送期間においては、上記ｋ個のディスク記録再生部の内のＭ個のディスク記録再生部の各ディスクに記録されているデータを再生してＭチャンネルのデータを得、これらＭチャンネルのデータを、上記各ｋ個の第１バッファ群、第２バッファ群、・・・・第ｍバッファ群の内のＭ個のバッファ群の内の１つのバッファに夫々記憶し、上記ｋ個の転送期間の内の第ｔ＋２番目の転送期間においては、上記各ｋ個の第１バッファ群、第２バッファ群、・・・・第ｍバッファ群の内のＭ個のバッファ群の内の各１つのバッファに夫々記憶されているデータを読み出してＭチャンネルのデータを得、このＭチャンネルのデータを、上記ｍ個の記憶部の内の対応するＭ個の記憶部に供給して記憶し、これらＭ個の記憶部に記憶したデータを読み出してＭチャンネルのデータを得、このＭチャンネルのデータを上記第２の分割手段に供給し、上記第２の分割手段において所定単位毎に分割して得られたＭチャンネルのデータを出力するようにしたことを特徴とする請求項４記載の記録再生装置。
【発明の詳細な説明】
【０００１】
【産業上の利用分野】
本発明は、例えば編集システム等に適用して好適な記録再生方法及びその装置に関する。
【０００２】
【従来の技術】
従来、例えば放送局では、放送すべき素材をビデオテープカセットに記録する作業が行われている。例えば複数のコマーシャル（ＣＭ）素材を１本のビデオテープカセットに収録し、いわゆるＣＭ１本化テープを作成する作業、１つの番組で用いる素材をビデオテープカセットに編集して収録する放送用（送出用）の記録再生作業等がこれに相当する。
【０００３】
通常、元の素材の収録されているビデオテープカセットを素材テープ等と称している。この素材テープとしてのビデオテープカセットをＶＴＲで再生し、再生信号に各種信号処理を行い、この信号処理を行って得られた素材信号を放送用に使用するビデオテープカセットに収録して放送用のビデオテープカセットを作成する。
【０００４】
図４５は、従来の記録再生装置の一例を示す構成図であり、以下、この図４５を参照して従来の記録再生装置について説明する。
【０００５】
図４５において、１は素材テープとしてのビデオテープカセット、１３は放送用のビデオテープカセットである。素材テープとしてのビデオテープカセット１は再生側ＶＴＲ２にセットされ、放送用のビデオテープカセット１３は記録側ＶＴＲにセットされる。再生側ＶＴＲ２が再生状態になると、ビデオ・テープ・カセット１から映像信号が再生され、これがＤＭＥ（ディジタル・マルチ・エフェクタ）７に供給されて処理され、この処理された映像信号が記録側ＶＴＲ８にセットされているビデオ・テープ・カセット１３に記録される。この例ではＤＭＥ７を用いた例を示しているが、単純に放送用のテープを作成するだけであれば、編集機を用いたシステムでも良いし、また、再生側ＶＴＲ２の映像及び音声出力端子と記録側ＶＴＲ８の映像及び音声出力端子を接続したものでも良い。
【０００６】
つまり、この図４５に示す記録再生装置では、再生側ＶＴＲ２で素材テープとしてのビデオテープカセット１が再生され、通常の転送速度で出力された再生信号に対してＤＭＥ７で特殊効果処理が施され、この特殊効果処理が施された再生信号が通常の転送速度で記録側ＶＴＲ８に供給され、記録側ＶＴＲ８にセットされた放送用のビデオテープカセット１３に記録される。
【０００７】
また、この図４５に示す再生側ＶＴＲ２は再生ヘッド３がヘッド切り換え用のスイッチ５の一方の固定接点５ａに接続され、再生ヘッド４がヘッド切り換え用のスイッチ５の他方の固定接点５ｂに接続され、ＶＴＲ本体６の図示しないシステムコントローラからのスイッチング信号によってスイッチ５の可動接点５ｃが一方または他方の固定接点５ａまたは５ｂに選択的に接続されるようになっている。
【０００８】
この再生側ＶＴＲ２が、アナログＶＴＲ、或いはディジタルＶＴＲの何れであっても、再生側ＶＴＲ２から出力される映像及び音声信号は、ＮＴＳＣ方式の場合においては６０フィールド／秒、ＰＡＬ方式の場合においては５０フィールド／秒を基準とした転送速度でＤＭＥ７に供給される。アナログＶＴＲで説明すると、再生側ＶＴＲ２から出力される映像信号はＮＴＳＣ方式で６０フィールド／秒、ＰＡＬ方式で５０フィールド／秒の転送速度となる。尚、この例では、ＤＭＥ７は、入力端子として、アナログ映像及び音声入力端子、ディジタル映像及び音声入力端子を有しているものとしている。
【０００９】
そして、ＤＭＥ７においては、再生側ＶＴＲ２からの映像信号に対して特殊効果、例えばモザイク効果、画像の移動、縮小、拡大、回転等の様々な処理が施される。この処理は例えばＮＴＳＣ方式であれば６０フィールド／秒、ＰＡＬ方式では５０フィールド／秒を基準として行われる。このＤＭＥ７の出力は、記録側ＶＴＲ８に供給され、この記録側ＶＴＲ８のＶＴＲ本体１２において、アナログ、或いはディジタルで所定の記録のための信号処理が施された後に、セットされているビデオテープカセット１３に記録される。
【００１０】
記録側ＶＴＲ８も、再生側ＶＴＲ２と同様に記録ヘッド９がヘッド切り換え用のスイッチ１１の一方の固定接点１１ａに接続され、記録ヘッド１０がヘッド切り換え用のスイッチ１１の他方の固定接点１１ｂに接続されている。そして、スイッチ１１は、ＶＴＲ本体１２の図示しないシステムコントローラから供給されるスイッチング信号によって、可動接点１１ｃが一方または他方の固定接点１１ａまたは１１ｂに選択的に接続される。この記録も上述と同様のタイミング、即ち、ＮＴＳＣ方式では６０フィールド／秒、ＰＡＬ方式では５０フィールド／秒を基準として行われる。
【００１１】
尚、本出願人は先に、所定単位の画像データの第１及び第２のポイントを表示手段に表示し、表示手段上に表示された所定単位の第１及び第２のポイントの画像データを指定手段で指定し、指定手段に指定された第１または第２のポイントの画像データのタイムコードデータ、関連する機器の状態、識別番号を制御手段により表示することで、編集効率を向上させると共に、使い勝手を向上させることができるようにした編集装置、例えば画面上に表示したエディット単位の画像データをポインティングデバイスやキーボードを用いて削除、コピー、移動、位置交換することにより、エディットファイルＥＤＬ１〜ＥＤＬｎの内容を変更できるようにしたので、複数のＶＴＲを再生して再チェックしたり、キーボード等で記憶アドレス等を確認し、これを入力したりする等の煩わしい作業を一切行うことなく編集作業ができ、これによって、編集作業の効率化を図ることができようにした編集装置を提案している（特願平５−８７４１３号参照）。
【００１２】
【発明が解決しようとする課題】
上述から明かなように、従来の記録再生装置で録画のやり直しやリハーサル（録画の練習等）を行う場合は、磁気テープを使用する素材の先頭位置にするための操作、その操作によってＶＴＲが使用素材の先頭位置にする処理の待ち時間が必要となる。このような操作、待ち時間は再生、記録を行う機器がＶＴＲであるがために必要となるものである。従って、ＶＴＲを用いた記録再生装置では記録再生作業効率の向上を図ることは非常に難しく、記録再生作業効率を向上させることのできる記録再生装置が望まれていた。
【００１３】
また、ＶＴＲで用いている媒体は磁気テープであるので、磁気テープから再生した再生データを転送する場合、当然のことながら、転送速度はＮＴＳＣ方式では６０フィールド／秒、ＰＡＬ方式では５０フィールド／秒と一義的に決まってしまい、記録再生装置内でのデータ転送速度を向上させることは不可能であった。従って、図４５に示したような記録再生装置を用いて編集の目的で記録再生作業を行う場合、オペレータはデータの転送中は何もしないで待つより他はなかった。
【００１４】
また、図４５に示したような記録再生装置ではＶＴＲを用いているので、何度も磁気テープの同一部分をアクセスすることになり、結果的に大切な素材テープを傷めてしまう可能性が高い。
【００１５】
また、ディジタルＶＴＲは、アナログＶＴＲと比較して単位時間あたりの情報量が非常に多いので、ディジタルＶＴＲを用いた記録再生装置では、特に記録再生作業の効率の向上が難しく、これについても効率の向上が望まれていた。
【００１６】
また、記録再生作業中においては、常に記録側ＶＴＲ８にセットされているビデオ・テープ・カセットの記録可能時間に注意しなければならないだけでなく、ビデオ・テープ・カセットの記録可能時間が“０”になった場合、オペレータが新たなビデオ・テープ・カセットを用意し、用意した新たなビデオ・テープ・カセットを記録側ＶＴＲ８にセットしなければならない。
【００１７】
また、図４５に示したような記録再生装置では、再生側ＶＴＲと記録側ＶＴＲが一義的に決まってしまう。つまり、図４５に示した再生側ＶＴＲ２は再生用のＶＴＲであり、記録側ＶＴＲ８は記録用のＶＴＲであり、オペレータが記録側ＶＴＲ８と再生側ＶＴＲ２の接続コードを外し、記録側ＶＴＲ８の出力端子とＤＭＥ７の入力端子を接続し、再生側ＶＴＲ２の入力端子とＤＭＥ７の出力端子を接続する必要がある。勿論、再生側ＶＴＲ２が記録できるＶＴＲであり、記録側ＶＴＲ８が再生できることが条件となる。
【００１８】
つまり、図４５に示したような記録再生装置は、一旦機器の接続を行うと、使用する映像及び音声データの入出力経路が一義的に決まり、装置内での入出力、或いは、機器の使用方法を簡単に変更できないという欠点があった。
【００１９】
また、図４５に示したような記録再生装置を以上説明したような種々の欠点を補うべく改造する場合、既存の機器との互換性を図ることは難しい。
【００２０】
本発明はこのような点を考慮してなされたもので、記録再生作業の待ち時間を大幅に短縮して記録再生作業を簡単、且つ、高速に行え、記録媒体を傷めないようにでき、記録媒体の記録可能時間を気にしなくても済み、ディジタルＶＴＲを用いても良好に編集作業を行うことができ、システム内の映像及び音声データの入出力経路を簡単に変更して種々の編集を行えるようにし、既存の機器との互換性をとることのできる記録再生方法及びその装置を提案しようとするものである。
【００２１】
【課題を解決するための手段】
本発明は、磁気テープに記録されているデータを、通常の再生速度、或いは通常の再生速度以外の再生速度で再生し、通常の再生速度、或いは通常の再生速度以外の再生速度で再生された再生データを、キャッシュメモリを介して複数のディスクに供給して通常の記録速度、或いは通常の記録速度以外の記録速度で記録し、複数のディスクに記録されているデータを、通常の再生速度、或いは通常の再生速度以外の再生速度で再生し、複数のディスクの記録データを再生して得られた通常の再生速度、或いは通常の再生速度以外の再生速度のデータを、キャッシュメモリを介して磁気テープに供給して通常の記録速度、或いは通常の記録速度以外の記録速度で記録する方法である。
【００２２】
本発明は、少なくとも通常の転送速度のｎ倍の転送速度でデータを出力することのできる再生部と、ｋ個のディスク記録再生部と、少なくとも通常の転送速度のｎ倍の転送速度のデータを記録することのできる記録部と、  再生部、記録部及び複数のディスク記録再生部に配置され、再生部から記録部、再生部から複数のディスク記録再生部、複数のディスク記録再生部から記録部へのデータ転送、並びに外部への出力、或いは外部からの入力を、キャッシュとして機能する記憶部を経由して行うデータコントロール部と、再生部、記録部、複数のディスク記録再生部及びデータコントロール部を制御する制御部とを有するものである。
【００２３】
【作用】
上述せる本発明によれば、磁気テープに記録されているデータを、通常の再生速度、或いは通常の再生速度以外の再生速度で再生し、通常の再生速度、或いは通常の再生速度以外の再生速度で再生された再生データを、キャッシュメモリを介して複数のディスクに供給して通常の記録速度、或いは通常の記録速度以外の記録速度で記録し、複数のディスクに記録されているデータを、通常の再生速度、或いは通常の再生速度以外の再生速度で再生し、複数のディスクの記録データを再生して得られた通常の再生速度、或いは通常の再生速度以外の再生速度のデータを、キャッシュメモリを介して磁気テープに供給して通常の記録速度、或いは通常の記録速度以外の記録速度で記録する。これによって、キャッシュメモリを介して複数のディスクに供給するので、磁気テープに記録されているデータが通常の再生速度以外で再生されたデータであっても良好に記録することができ、また、複数のディスクに記録されているデータを通常の速度以外で再生して記録部に供給し、記録部において通常の記録速度以外の記録速度で記録することができる。
【００２４】
また上述せる本明によれば、再生部と、ｋ個のディスク記録再生部と、記録部と、少なくとも通常の転送速度のｎ倍の転送速度でデータを出力する再生部、少なくとも通常の転送速度のｎ倍の転送速度のデータを記録する記録部及びｋ個のディスク記録再生部間に配置したデータコントロール部、再生部、記録及びｋ個のディスク記録再生部を制御部で制御することによって、再生部から記録部、再生部から複数のディスク記録再生部、複数のディスク記録再生部から記録部へのデータ転送、並びに外部への出力、或いは外部からの入力を、キャッシュとして機能する記憶部を経由して行う。これによって、データコントロール部における入出力をキャッシュとして機能する記憶部を経由して行うことによって、通常の転送速度のｎ倍の転送速度のデータを、記憶部を介してｋ個のディスク記録再生部に供給するので、磁気テープに記録されているデータが通常の再生速度のｎ倍の再生速度で再生されたデータであっても良好に記録することができ、また、ｋ個のディスク記録再生部の各ディスクに夫々記録されているデータを通常の速度のｎ倍の再生速度で再生して記録部に供給し、記録部において通常の記録速度のｎ倍の記録速度で記録することができる。
【００２５】
【実施例】
以下に、図１を参照して本発明記録再生方法及びその装置の一実施例について詳細に説明する。この図１に示す記録再生装置は、本発明記録再生方法及びその装置を適用した一例である。
【００２６】
また、本発明記録再生方法及びその装置の一実施例の説明は、次に示す項目説明を各項目の先頭に記載し、各項目について次に示す順序で説明する。
【００２７】
Ａ．本発明記録再生方法及びその装置を適用した記録再生装置の概要説明
Ａ１．Ｎ倍速コピーの概要説明及びＮチャンネル同時再生の概要説明（図３８参照）
Ａ２．異なる素材の同時再生の概要説明（図３９参照）
Ａ３．同一素材の同時再生の概要説明（図４０参照）
Ａ４．Ｎチャンネル同時記録再生の概要説明（図４１参照）
Ａ５．異なる素材の同時再生の概要説明（図４２参照）
Ａ６．素材の２倍速記録再生と同時再生の概要説明（図４３参照）
Ａ７．異なる素材の記録再生と同時再生の概要説明（図４４参照）
Ｂ．一実施例の記録再生装置の構成及び動作の説明（図１参照）
Ｃ．図１の再生機２１、記録機２４の構成例（高速記録再生ＶＴＲ）及びその動作の説明（図２参照）
Ｄ．テープフォーマットと記録における動作の説明（図３参照）
Ｅ．図２に示した記録／再生ヘッドに関する説明（図４参照）
Ｆ．通常の４倍の転送速度での記録動作の説明（図５参照）
Ｇ．通常の４倍の転送速度での再生動作の説明（図６参照）
Ｈ．図１の入力部２５の内部構成例及びその動作の説明（図７参照）
Ｉ．図１の再生出力部３６、４１、４９、記録モニタ出力部４４の内部構成及びその動作説明（図８参照）
Ｊ．図１のデータコントローラ２０の内部構成及びその動作の説明（図９参照）
Ｋ．図９のデータコントローラ２０の再生系１２３の内部構成及びその動作の説明（図１０参照）
Ｌ．図９のデータコントローラ２０の記録系１２８の内部構成及びその動作の説明（図１１参照）
Ｍ．図９のディスクアレイコントローラ１３８の内部構成及びその動作の説明（図１２参照）
Ｎ．３倍速再生時のキャッシュへのフレームデータ転送動作の説明（図１３、図１４、図１５及び図１６参照）
Ｏ．３倍速再生時におけるディスクアレイコントローラ１３８の動作の説明（図１７参照）
Ｐ．図９のディスクアレイコントローラ１３８と図１のディスクドライブ２２、２３、３０、３１、３４、３５、４２及び４３との間のデータ転送タイミング（図１８及び図１９参照）
Ｒ．３倍速再生時のキャッシュから記録機２４へのデータ転送動作の説明（図２０、図２１、図２２、図２３及び図２４参照）
Ｓ．図９のディスクアレイコントローラ１３８による図１のディスクドライブ２２、２３、３０、３１、３４、３５、４２及び４３からのデータ読み出しタイミング（図２５及び図２６参照）
Ｔ．ディスク上の任意のＭ箇所を再生する場合の動作説明（図２７、図２８及び図２９参照）
Ｕ．ディスク上の任意のＭ箇所を再生、且つ、高速記録再生ＶＴＲからの１倍速の再生信号をディスク上に記録する場合の動作説明（図３０、図３１及び図３２参照）
Ｖ．ディスク上の任意の１箇所を再生、且つ、高速記録再生ＶＴＲからの２倍速の再生信号をディスク上に記録する場合の動作説明（図３３、図３４及び図３５参照）
Ｗ．図１に示した記録再生装置を１つの筐体に収納して編集機として上位編集システムに組み込んだ場合の構成及びその動作説明（図３６参照）
Ｘ．図１に示した記録再生装置を複数用いた場合のシステムの構成及びその動作の説明（図３７参照）
【００２８】
Ａ．本発明記録再生方法及びその装置を適用した記録再生装置の概要説明
【００２９】
Ａ１．Ｎ倍速コピーの概要説明及びＮチャンネル同時再生の概要説明（図３６参照）
【００３０】
図３８は同時再生を行うための記録再生装置の概要を説明するための構成図であり、この図３８において１９０は記録再生装置、１９１はＶＴＲ、１９２はディスク装置である。ここで、ＶＴＲ１９１は、ディジタル、或いはアナログコンポーネント記録方式、ディジタル、或いはアナログコンポジット記録方式、圧縮符号化処理を採用したコンポーネント或いはコンポジット記録方式のＶＴＲである。また、ディスク装置１９２は、ハードディスク、リムーバブル型のハードディスク、光磁気ディスク、相変化メディアとしての光ディスク、ライトワンス光ディスク、少なくとも２０Ｍｂｙｔｅ以上の記憶容量を有するフレキシブルディスクとこれらを駆動するコントローラからなる。
【００３１】
また、本例においては、ＶＴＲ１９１を高速転送可能なＶＴＲとする。つまり、ＶＴＲ１９１を、ヘッドの個数と、磁気テープの走行速度と、回転ドラムの回転速度を変えることによって、通常の再生速度のＮ倍の再生速度で磁気テープに記録されている映像及び音声データを再生し、再生した再生データを通常の転送速度のＮ倍の転送速度で転送することのできるＶＴＲとする。この例ではＮ＝３になる。
【００３２】
つまり、ＶＴＲ１９１にセットされているビデオ・テープ・カセットの磁気テープ上に形成されている記録トラックを通常の転送速度のＮ倍の速度で再生することによって、通常の転送速度のＮ倍の転送速度で再生映像、音声及びサブコードデータを出力し、これをディスク装置１９２の記録媒体に記録するようにする。ここで、通常の転送速度は、ＮＴＳＣ方式で６０フィールド／秒、ＰＡＬ方式で５０フィールド秒である。
【００３３】
また、本例においては、ディスク装置１９２の記録媒体に記録したデータを独立に再生し、再生したデータを出力端子１９０ａ、１９０ｂ及び１９０ｃから夫々出力するようにする。この例では、３チャンネルにしているが、チャンネル数に制約はない。また、同時再生するデータは、同一素材でも異なる素材でも良い。この例で説明すると、例えば出力端子１９０ａ、１９０ｂ及び１９０ｃから夫々同一素材を同時に出力することができ、また、出力端子１９０ａ、１９０ｂ及び１９０ｃから夫々異なる素材を同時に出力することもできる。
【００３４】
Ａ２．異なる素材の同時再生の概要説明（図３９参照）
【００３５】
図３９は異なる素材の同時再生を説明するための説明図である。図においてドットで示す領域は図３８に示したディスク装置１９２の記録媒体上に記録されている素材Ａを示し、斜線で示す領域は図３８に示したディスク装置１９２の記録媒体上に記録されている素材Ｂを示し、網目で示す領域は図３８に示したディスク装置１９２の記録媒体上に記録されている素材Ｃを示す。
【００３６】
異なる素材の同時再生とは、この図３９に示すように、ディスク装置１９２の記録媒体から同時に素材Ａ、素材Ｂ及び素材Ｃを再生して出力することである。
【００３７】
Ａ３．同一素材の同時再生の概要説明（図４０参照）
【００３８】
図４０は同一素材の同時再生を説明するための説明図である。図においてドット、斜線並びに網目で示す領域は図３９と同様にディスク装置１９２の記録媒体上に記録されている素材Ａ、Ｂ及びＣを夫々示す。
【００３９】
同一素材の同一再生とは、この図４０に示すように、ディスク装置１９２の記録媒体から同時に同一素材を複数チャンネル分だけ再生（この例では素材Ｃを３チャンネル分だけ再生）することである。
【００４０】
このように、通常の転送速度のＮ倍の転送速度でＶＴＲ１９１から再生データを出力し、この出力データをディスク装置１９２で記録するようにすれば、ＶＴＲ１９１にセットされているビデオ・テープ・カセットの磁気テープ上に記録されている記録データを、ディスク装置１９２に記録する際の待ち時間を１／Ｎにすることができ、これによって作業効率を大幅に改善することができる。また、ディスク装置１９２の記録媒体から同一データを同時に複数再生したり、異なるデータを同時に複数再生することができるようにしたので、作業効率を更に改善することができる。
【００４１】
Ａ４．Ｎチャンネル同時記録再生の概要説明（図４１参照）
【００４２】
図４１は同時記録再生を行うための記録再生装置の概要を説明するための構成図であり、この図４１において２００は記録再生装置、２０１はＶＴＲ、２０３はディスク装置である。また、この図に示すように、記録再生装置２０１の出力端にスイッチ２０２の一方の固定接点２０２ａを接続し、この記録再生装置２００の入力端子２００ｄにスイッチ２０２の他方の固定接点２０２ｂを接続し、このスイッチ２０２の可動接点をディスク装置２０３の入力端に接続する。
【００４３】
ここで、入力端子２００ｄには外部入力としての映像、音声及びサブコードデータが供給される。また、このスイッチ２０２の可動接点２０２ｃは図示しないシステムコントローラ等からの制御信号によって一方または他方の固定接点２０２ａまたは２０２ｂに接続される。このスイッチ２０２の可動接点２０２ｃの接続制御は、例えば図示しない操作キーの操作等に基いて、ＶＴＲ２０１の再生データのディスク装置２０３の記録媒体への記録、ディスク装置２０３の再生データのＶＴＲ２０１の磁気テープへの記録、外部入力端子２００ｄを介して外部から供給される映像及び音声データのディスク装置２０３の記録媒体への記録に応じて行われる。
【００４４】
ＶＴＲ２０１の再生データをディスク装置２０３の記録媒体に記録する指示、またはディスク装置２０３の再生データをＶＴＲ２０１の磁気テープに記録する指示があった場合には、スイッチ２０２の可動接点２０２ｃは一方の固定接点２０２ａに接続される。また、外部入力端子２００ｄを介して外部から供給される映像及び音声データのディスク装置２０３を記録媒体に記録する指示があった場合には、スイッチ２０２の可動接点２０２ｃは他方の固定接点２０２ｂに接続される。
【００４５】
ここで、ＶＴＲ２０１は、ディジタル、或いはアナログコンポーネント記録方式、ディジタル、或いはアナログコンポジット記録方式、圧縮符号化処理を採用したコンポーネント或いはコンポジット記録方式のＶＴＲである。また、ディスク装置２０３は、ハードディスク、リムーバブル型のハードディスク、光磁気ディスク、相変化メディアとしての光ディスク、ライトワンス光ディスク、少なくとも２０Ｍｂｙｔｅ以上の容量を有するフレキシブルディスクとこれらを駆動するコントローラからなる。
【００４６】
また、本例においては、ＶＴＲ２０１を高速転送可能なＶＴＲとする。つまり、ＶＴＲ２０１を、ヘッドの個数と、磁気テープの走行速度と、回転ドラムの回転速度を変えることによって、通常の再生速度のＮ倍の再生速度で磁気テープに記録されている映像及び音声データを再生し、再生した再生データを通常の転送速度のＮ倍の転送速度で転送することのできるＶＴＲとする。
【００４７】
つまり、ＶＴＲ２０１にセットされているビデオ・テープ・カセットの磁気テープ上に形成されている記録トラックを通常の転送速度のＮ倍の速度で再生することによって、通常の転送速度のＮ倍の転送速度で再生映像、音声及びサブコードデータを出力し、これをディスク装置２０３の記録媒体に記録するようにする。ここで、通常の転送速度は、ＮＴＳＣ方式で６０フィールド／秒、ＰＡＬ方式で５０フィールド秒である。
【００４８】
つまり、この図４１に示す記録再生装置２００は、ディスク装置２０３の記録媒体に記録されている素材を再生し、同時に、入力端子２００ｄを介して外部から供給される映像及び音声データをディスク装置２０３の記録媒体に記録するように構成している。
【００４９】
また、本例においては、ディスク装置２０３の記録媒体に記録したデータを独立に再生し、再生したデータを出力端子２００ａ、２００ｂ及び２００ｃから夫々出力するようにする。この例では、３チャンネルにしているが、チャンネル数に制約はない。また、同時再生するデータは、同一素材でも異なる素材でも良い。この例で説明すると、例えば出力端子２００ａ、２００ｂ及び２００ｃから夫々同一素材を同時に出力することができ、また、出力端子２００ａ、２００ｂ及び２００ｃから夫々異なる素材を同時に出力することもできる。
【００５０】
Ａ５．異なる素材の同時再生の概要説明（図４２参照）
【００５１】
図４２は図４１に示した記録再生装置を用いて素材の記録と異なる素材の同時再生を同時に行う場合の動作を説明するための説明図である。図においてドットで示す領域は図４１に示したディスク装置２０３の記録媒体上に記録されている素材Ａを示し、斜線で示す領域は図４１に示したディスク装置２０３の記録媒体上の内の素材Ｂが記録される領域を示し、網目で示す領域は図４１に示したディスク装置２０３の記録媒体上に記録されている素材Ｃを示す。
【００５２】
素材の記録と異なる素材の同時再生の同時実行とは、この図４２に示すように、ディスク装置２０３の記録媒体から同時に素材Ａ及び素材Ｃを再生すると共に、ＶＴＲ２０１からの再生映像、音声及びサブコードデータ（素材Ｃ）をディスク装置２０３の記録媒体に記録することである。
【００５３】
Ａ６．素材の２倍速記録再生と同時再生の概要説明（図４３参照）
【００５４】
図４３は素材の２倍速記録／再生及び同時再生を説明するための説明図である。図においてドットで示す領域は図４１に示したディスク装置２０３の記録媒体上に記録されている素材Ａ、斜線で示す領域は図４１に示したディスク装置２０３の記録媒体上に２倍速で記録される素材Ｂ、網目で示す領域は図４１に示したディスク装置２０３の記録媒体上に記録されている素材Ｃを示す。
【００５５】
素材の２倍速記録／再生及び同時再生とは、この図４３に示すように、ディスク装置２０３の記録媒体に素材Ａを２倍速で記録すると同時に、ディスク装置２０３の記録媒体から素材Ｃを再生することである。図４３においては素材Ｂに対して矢印を２つ添えているが、これは、図４１に示したＶＴＲ２０１から素材Ｂが２チャンネルで供給されて記録されることを示している。
【００５６】
Ａ７．異なる素材の記録／再生と同時再生の概要説明（図４４参照）
【００５７】
図４４は異なる素材の記録／再生と同時再生を説明するための説明図である。図においてドットで示す領域は、図４１に示したＶＴＲ２０１から供給される再生素材を記録するための領域、斜線で示す領域は、図４１に示した記録再生装置２００の入力端子２００ｄを介して供給される外部からのデータが記録される領域、網目で示す領域は図４１に示したディスク装置２０３の記録媒体上に記録されている素材Ｃを示す。
【００５８】
異なる素材の記録／再生と同時再生とは、この図４４に示すように、ディスク装置２０３の記録媒体にＶＴＲ２０１からの再生データを記録する動作、この動作によって記録されたデータを再生する動作、ディスク装置２０３の記録媒体に外部からのデータを記録する動作、この動作によって記録されたデータを再生する動作、素材Ｃを再生する動作を組み合わせて同時に行うことである。
【００５９】
このように、通常の転送速度のＮ倍の転送速度でＶＴＲ２０１から再生データを出力し、この出力データをディスク装置２０３で記録するようにすれば、ＶＴＲ２０１にセットされているビデオ・テープ・カセットの磁気テープ上に記録されている記録データを、ディスク装置２０３に記録する際の待ち時間を１／Ｎにすることができ、これによって作業効率を大幅に改善することができる。また、ＶＴＲ２０１からのデータのディスク装置２０３の記録媒体への記録、外部入力端子２００ｄを介して外部から供給されるデータのディスク装置２０３の記録媒体への記録、ディスク装置２０３の記録媒体に記録されているデータの再生を同時に行うことができるようにしたので、作業効率を更に改善することができる。
【００６０】
Ｂ．一実施例の記録再生装置の構成及び動作の説明（図１参照）
【００６１】
この図１は本発明記録再生方法及びその装置を適用した記録再生装置を示す構成図である。
【００６２】
図１において２０はデータコントローラであり、以下説明する各機器間の映像及び音声データの入出力を後述するシステムコントローラ３３の制御に基いてコントロールする。２１は通常の転送速度のＮ倍で映像、音声及びサブコードデータを転送することのできる再生機、２２、２３、３０、３１、３４、３５、４２及び４３は夫々ディスクドライブ（例えばハードディスクドライブや光ディスクドライブやいわゆるシリコンディスク）、２４は通常の転送速度のＮ倍の転送速度の映像、音声及びサブコードデータを記録することのできる記録機である。
【００６３】
ここで、ディスクドライブ２２、２３、３０、３１、３４、３５、４２及び４３は、図示せずも夫々ディスクドライブ本体とディスクコントローラから構成されるものとする。
【００６４】
２５は後述するが、映像及び音声の入力部であり、２６はディジタル映像データの入力端子、２７はアナログ映像信号の入力端子、２８はディジタル音声データの入力端子、２９はアナログ音声信号の入力端子であり、入力端子２７及び２９からのアナログ映像信号及びアナログ音声信号のディジタル変換、入力端子２６からのディジタル映像データ及びディジタル変換した映像データの圧縮符号化、圧縮符号化したディジタル映像データ、アナログ音声データ及び後述するサブコード発生回路３２からのサブコードデータの混合を行い、混合したディジタル映像及びディジタル音声データ（サブコードデータも含む）をデータコントローラ２０に供給する。
【００６５】
３６は再生出力部であり、データコントローラ２０からの再生ディジタル映像及び再生ディジタル音声データＰ１の分離、再生ディジタル映像データの復号化、復号化した再生ディジタル映像データのアナログ化、再生ディジタル音声データのアナログ化を行い、再生ディジタル映像データを出力端子３７から、再生アナログ映像信号を出力端子３８から、再生ディジタル音声データを出力端子３９から、再生アナログ音声信号を出力端子４０から夫々出力する。
【００６６】
４１も再生出力部３６と同様に、データコントローラ２０からの再生ディジタル映像及び再生ディジタル音声データＰ２の分離、再生ディジタル映像データの復号化、復号化した再生ディジタル映像データのアナログ化、再生ディジタル音声データのアナログ化を行い、再生ディジタル映像データを出力端子４２から、再生アナログ映像信号を出力端子４３から、再生ディジタル音声データを出力端子４４から、再生アナログ音声信号を出力端子４５から夫々出力する。
【００６７】
４９は再生出力部３６及び４１と同様の再生出力部であるが、この例では、この再生出力部４９を追加再生時の出力用とする。そしてこの再生出力部４９は、データコントローラ２０からの追加再生ディジタル映像及び追加再生ディジタル音声データＰ３の分離、追加再生ディジタル映像データの復号化、復号化した追加再生ディジタル映像データのアナログ化、追加再生ディジタル音声データのアナログ化を行い、追加再生ディジタル映像データを出力端子５０から、追加再生アナログ映像信号を出力端子５１から、追加再生ディジタル音声データを出力端子５２から、追加再生アナログ音声信号を出力端子５３から夫々出力する。
【００６８】
４４は記録入力（映像や音声）をテレビジョンモニタやスピーカ等でモニタするための記録モニタ出力部であり、再生出力部３６、４１及び４９と同様であり、データコントローラ２０からの記録入力ディジタル映像及び記録入力ディジタル音声データＲｉｎの分離、記録入力ディジタル映像データの復号化、復号化した記録入力ディジタル映像データのアナログ化、記録入力ディジタル音声データのアナログ化を行い、記録入力ディジタル映像データを出力端子５０から、記録入力アナログ映像信号を出力端子５１から、記録入力ディジタル音声データを出力端子５２から、記録入力アナログ音声信号を出力端子５３から夫々出力する。
【００６９】
３２はサブコード発生回路であり、後述するシステムコントローラ３３からの制御に基いてサブコードデータを発生し、発生したサブコードデータを入力部２５に供給する。
【００７０】
システムコントローラ３３は、図１から分かるように、再生機２１、記録機２４、サブコード発生回路３２、データコントローラ２０を、バスを介して制御すると共に、図示を省略したが、ディスクドライブ２２、２３、３０、３１、３４、３５、４２及び４３、再生出力部３６、４１及び４９、記録モニタ出力部４４をも制御する。また、３３ｅはこの図１に示す記録再生装置に対して外部同期信号（例えば局内同期信号等）を供給するための入力端子、３３ｆはこの図１に示す記録再生装置を複数使用するときに複数の記録再生装置を制御するためのコントローラから供給される制御信号を供給するための入力端子である。
【００７１】
また、３３ａ、３３ｂ及び３３ｃは夫々従来から使用されている機器とこの記録再生装置との接続の継続性を持たせ、再生機２１、記録機２４、ディスクドライブ２２、２３、３０、３１、３４、３５、４２及び４３を独立して制御できるようにするための制御用のコネクタ（例えば９ピンコネクタ）である。また、３３ｄはこの記録再生装置を用いて各種記録再生作業を行うための表示部や操作キーを有する操作パネルである。
【００７２】
ここで、システムコントローラ３３に対し、操作パネル３３ｄを介してモードを指定した場合の各部の動作パターンについて説明する。
【００７３】
本例においては、操作パネル３３ｄを介してシステムコントローラ３３に対し、モードを指定した場合は、この指定モードによって、システムコントローラ３３が図１に示した各部を制御し、次に示すような動作パターンを実現する。
【００７４】
モード１の場合は、再生機２１を３倍速再生動作させ、これによって得た３倍速再生素材をディスクに記録する。
【００７５】
モード２の場合は、ディスクドライブ２２、２３、３０、３１、３４、３５、４２または（及び）４３を３倍速再生動作させ、これによって得た３倍速再生素材を記録機２４に記録する。
【００７６】
モード３の場合は、再生機２１を２倍速再生動作させ、これによって得た２倍速再生素材をディスクに記録すると共に、ディスクドライブ２２、２３、３０、３１、３４、３５、４２または（及び）４３を１倍速再生動作させ、これによって得た１倍速再生素材を出力する。
【００７７】
モード４の場合は、ディスクドライブ２２、２３、３０、３１、３４、３５、４２または（及び）４３を２倍速させ、これによって得た２倍速再生素材を記録機２４に記録すると共に、ディスクドライブ２２、２３、３０、３１、３４、３５、４２または（及び）４３を１倍速再生動作させ、これによって得た１倍速再生素材を出力する。
【００７８】
モード５の場合は、ディスクドライブ２２、２３、３０、３１、３４、３５、４２及び４３の各ディスクの任意のＭ箇所を同時再生する。
【００７９】
モード６の場合は、再生機２１を１倍速再生動作させ、これによって得た１倍速再生素材をディスクに記録すると共に、ディスクドライブ２２、２３、３０、３１、３４、３５、４２及び４３の各ディスクの任意のＭ箇所を同時再生させ、これによって得たＭ個の再生素材を出力する。
【００８０】
モード７の場合は、ディスクドライブ２２、２３、３０、３１、３４、３５、４２及び４３から１倍速で素材を再生させ、これによって得た１倍速再生素材を記録機２４に供給して記録すると共に、ディスクドライブ２２、２３、３０、３１、３４、３５、４２及び４３の各ディスクの任意のＭ箇所を同時再生させ、これによって得たＭ個の再生素材を出力する。
【００８１】
モード８の場合は、再生機２１を１倍速再生動作させ、これによって得た１倍速再生素材及び外部入力素材をディスクに記録すると共に、ディスクドライブ２２、２３、３０、３１、３４、３５、４２及び４３の各ディスクから素材を１倍速再生し、これによって得た１倍速再生素材を出力する。
【００８２】
尚、以上のモードに応じた動作については、以下、順次説明する。
【００８３】
つまり、この図１に示す記録再生装置は、映像及び音声データの入出力及び制御を行うデータコントローラ２０の入力端子に再生機２１の出力端子を接続し、このデータコントローラ２０の入出力端子にディスクドライブ２２、２３、３０、３１、３４、３５、４２及び４３の入出力端子を接続し、このデータコントローラ２０の入力端子に記録機２４の出力端子（レコーダアウト端子）を接続し、このデータコントローラ２０の出力端子に記録機２４の入力端子（レコーダイン端子）を接続し、このデータコントローラ２０の入力端子に入力部２５の出力端子を接続し、このデータコントローラ２０の入出力端子にサブコード発生回路３２の入出力端子を接続し、このデータコントローラ２０の出力端子に再生出力部３６の入力端子を接続し、このデータコントローラ２０の入力端子に再生出力部３６の出力端子を接続し、このデータコントローラ２０の出力端子に再生出力部４１の入力端子を接続し、このデータコントローラ２０の入力端子に再生出力部４１の出力端子を接続し、このデータコントローラ２０の出力端子に記録モニタ出力部４４の入力端子を接続し、このデータコントローラ２０の入力端子に記録モニタ出力部４４の出力端子を接続し、このデータコントローラ２０の出力端子に再生出力部４９の入力端子を接続し、このデータコントローラ２０の入力端子に再生出力部４９の出力端子を接続し、以上の各構成要素とシステムコントローラ３３を夫々接続して構成する。
【００８４】
ここで、ディスクドライブ２２、２３、３０、３１、３４、３５、４２及び４３とデータコントローラ２０との接続は、例えばＳＣＳＩ（Ｓｍａｌｌ  Ｃｏｍｐｕｔｅｒ  Ｓｙｓｔｅｍｓ  Ｉｎｔｅｒｆａｃｅ）、ＳＣＳＩ−２またはＳＣＳＩ−３で行う。ＳＣＳＩ−２で行う場合は、Ｆａｓｔ  ＳＣＳＩとＷｉｄｅＳＣＳＩの何れのインターフェースを用いても良い。Ｆａｓｔ  ＳＣＳＩを用いた場合はＷｉｄｅ  ＳＣＳＩよりも汎用性と転送速度の向上を図ることができる。
【００８５】
次に、図１に示した記録再生装置の動作について説明する。システムコントローラ３３の操作パネル３３或いはコネクタ３３ａ、３３ｂまたは３３ｃを介して外部の編集機やコントローラの操作部を介して記録再生装置に指示が与えられると、システムコントローラ３３はその指示に対応する制御信号を各構成要素に与える。再生機２１はシステムコントローラ３３からの制御信号によって通常の再生速度のＮ倍の再生速度の再生状態となる。この再生機２１からの通常の転送速度のＮ倍の転送速度の再生映像及び音声データはデータコントローラ２０を介してディスクドライブ２２、２３、３０、３１、３４、３５、４２または４３に供給される。ディスクコントローラ２２、２３、３０、３１、３４、３５、４２または４３は、データコントローラ２０からの映像及び音声データを、各自にセットされているディスク（図示せず）に記録する。
【００８６】
また、入力端子２６を介して外部から供給されるディジタル映像データは入力部２５において圧縮符号化処理された後に入力端子２８を介して外部から供給されるディジタル音声データと混合され、この後データコントローラ２０に供給される。また、入力端子２７を介して外部から供給されるアナログ映像信号は入力部２５においてディジタル映像データに変換され、圧縮符号化処理される。一方、入力端子２９を介して外部から供給されるアナログ音声信号は入力部２５においてディジタル音声データに変換され、入力端子２７を介して外部から供給され、ディジタル変換され、圧縮符号化されたディジタル映像データと混合された後にデータコントローラ２０に供給される。
【００８７】
データコントローラ２０に供給されたディジタル映像及び音声データはディスクドライブ２２、２３、３０、３１、３４、３５、４２または４３に記録される。何れの場合においても、再生機２１からの再生映像及び音声データ、入力部２５を介して供給される映像及び音声データ、ディスクドライブ２２、２３、３０、３１、３４、３５、４２及び４３のディスクに一旦記録され、再生された再生映像及び音声データを用いて記録再生等を行うことになる。
【００８８】
データコントローラ２０からの再生映像及び音声データＰ１は再生出力部３６に供給され、この再生出力部３６において映像と音声とに分離された後にアナログ、或いはディジタルの映像及び音声信号として出力される。データコントローラ２０からの再生映像及び音声データＰ２は再生出力部４１に供給され、この再生出力部４１において映像と音声とに分離された後にアナログ、或いはディジタルの映像及び音声信号として出力される。またデータコントローラ２０からの追加再生映像及び音声データＰ３は再生出力部４９に供給され、この再生出力部４９において映像と音声とに分離された後にアナログ、或いはディジタルの映像及び音声信号として出力される。
【００８９】
データコントローラ２０からの記録入力Ｒｉｎは記録モニタ出力部４４に供給され、この記録モニタ出力部４４において映像と音声とに分離された後にアナログ、或いはディジタルの映像及び音声信号として出力される。アナログ映像信号はテレビジョンモニタ等に供給され、その管面上に現在記録中の映像信号の画像として映出され、アナログ音声信号はプリメインアンプ（音声増幅機）等を介してスピーカに供給され、現在記録中の音声信号の音声として出力される。ディジタル映像データやディジタル音声データの場合は、ディジタル映像及び音声データの入力用の端子を有する機器を経て上述と同様にモニタ用として用いられる。勿論、アナログ映像及び音声信号も、ディジタル映像及び音声信号も更に他の記録機器（例えばＶＴＲやディスクドライブ、或いは図１と同様の記録再生装置等）に供給して用いることも可能である。
【００９０】
Ｃ．図１の再生機２１、記録機２４の構成例（高速記録再生ＶＴＲ）及びその動作の説明（図２参照）
【００９１】
図２は図１に示した本発明記録再生方法及びその装置を適用した記録再生装置の再生機２１及び記録機２４の構成例を示す構成図である。つまり、本例においては、図１に示した再生機２１、記録機２４をこの図２に示すような高速記録再生ＶＴＲで構成する。
【００９２】
具体的には、記録／再生ヘッドのリード角を磁気テープが走行していない停止状態において、記録／再生ヘッドがトラックをｎ本走査するよう設定する。そして、通常の転送速度のｎ倍の転送速度を必要とする場合に、回転ドラムに登載する記録／再生ヘッドの個数をｘｎ個（但しｘは通常の転送速度において必要とされるヘッドの個数である）とし、磁気テープを通常の走行速度のｎ倍で走行させ、リード角を上記記録媒体の走行を停止させた状態で上記ヘッドで上記記録媒体を走査する際に上記記録媒体上に形成されているトラックをｎｍ個（但し、ｍは通常のリード角を設定し、記録媒体の移動を停止させた状態で回転ドラムを１回転させた場合に１つのヘッドが跨ぐトラックの数）跨ぐよう設定し、回転ドラムを通常の回転速度で回転させる。
【００９３】
図２において５４は再生機２１であれば外部入力端子、記録機２４であれば図１に示したデータコントローラ２０を介してディスクドライブ２２、２３、３０、３１、３４、３５、４２または４３等から高速に転送されてくる映像及び音声データ５５ｒが供給される入力端子である。
【００９４】
この入力端子５４を介して高速に転送されてくる映像及び音声データ５５ｒは入力インターフェース回路５５に供給される。この入力インターフェース回路５５は高速に転送されてくる映像及び音声データを分割して出力する。分割とはいっても、例えばディスクドライブ２２からのデータと考えれば、再生機２１の再生ヘッドの分、つまり、トラック毎のデータが１つのデータ列として供給されるので、元のデータ列、つまり、トラック毎のデータに変換（セグメント分割等と称する）される。
【００９５】
入力インターフェース回路５５でトラック毎のデータに分割された各データは時間軸伸長回路５６−１、５６−２、・・・・５６−ｎに夫々供給される。これらの時間軸伸長回路５６−１、５６−２、・・・・５６−ｎは、夫々例えばデュアルポートメモリと書き込み／読み出し回路を有する。そしてこれらの時間軸伸長回路５６−１、５６−２、・・・・５６−ｎは、通常の転送速度のｎ倍、且つ、間欠的に供給されるデータを同じ速度でデュアルポートメモリに間欠的に書き込み、デュアルポートメモリに書き込んだデータを通常の転送速度で読み出すことにより、通常の転送速度のｎ倍の転送速度のデータの時間軸の伸長を行う。
【００９６】
時間軸伸長回路５６−１、５６−２、・・・・５６−ｎで夫々時間軸が伸長された映像及び音声データはＥＣＣ（エラー・コレクション・コード）付加回路５７−１、５７−２、・・・・５７−ｎに夫々供給される。これらＥＣＣ付加回路５７−１、５７−２、・・・・５７−ｎは、時間軸伸長回路５６−１、５６−２、・・・・５６−ｎから供給される時間軸伸長された映像及び音声データに対してＥＣＣを付加する。このＥＣＣ付加回路５７−１、５７−２、・・・・５７−ｎで夫々ＥＣＣの付加された映像及び音声データはＣＨＣＯＤ（チャンネルコーディング）回路５８−１、５８−２、・・・・５８−ｎに夫々供給され記録変調処理（ディジタル変調処理）が施される。
【００９７】
このチャンネルコーディング回路５８−１、５８−２、・・・・５８−ｎにおいて記録変調処理された各映像及び音声信号は夫々記録増幅回路５９−１、５９−２、・・・・５９−ｎを介してスイッチ６０−１、６０−２、・・・・６０−ｎの各可動接点５０ｃに夫々供給される。
【００９８】
これらのスイッチ６０−１、６０−２、・・・・６０−ｎの各一方の固定接点６０ａをロータリートランス６１−１、６１−２、・・・・６１−ｎの１次側に接続し、これらのスイッチ６０−１、６０−２、・・・・６０−ｎの各他方の固定接点６０ｂをロータリートランス６１−ｎ＋１、６１−ｎ＋２、・・・・６１−２ｎの１次側に接続する。
【００９９】
これらのスイッチ６０−１、６０−２、・・・・６０−ｎは後述するシステムコントローラ７４からのスイッチング信号ＳＷ１、ＳＷ２、・・・・ＳＷｎに基いて、可動接点６０ｃを一方または他方の固定接点６０ａまたは６０ｂに接続して記録／再生ヘッド６２−１、６２−２、・・・・６２−ｎ、・・・・６２−２ｎの切り換えを行う。また、これらロータリートランス６１−１、６１−２、・・・・６１−ｎ、・・・・６１−２ｎ、図示しないテープローディング機構、記録／再生ヘッド６２−１、６２−２、・・・・６２−ｎ、・・・・６２−２ｎからなるテープトランスポート部はコントローラ６４によってコントロールされる。
【０１００】
従って、記録時においては、記録増幅回路５９−１、５９−２、・・・・５９−ｎからの映像及び音声信号がスイッチ６０−１、６０−２、・・・・６０−ｎの各一方または他方の固定接点６０ａまたは６０ｂ並びにロータリートランス６１−１、６１−２、・・・・６１−ｎ、・・・・６１−２ｎを夫々介して記録／再生ヘッド６２−１、６２−２、・・・・６２−ｎ、・・・・６２−２ｎに順次供給され、磁気テープ６３に順次傾斜トラックを形成するように記録される。
【０１０１】
各記録／再生ヘッド６２−１、６２−２、・・・・６２−ｎ、・・・・６２−２ｎは夫々図示しない回転ドラム上において対向し、且つ、各記録／再生ヘッド６２−１、６２−２、・・・・６２−ｎ、・・・・６２−２ｎ間の間隔が均等となるように取り付ける。ここで、記録再生ヘッド６２−１、６２−２、・・・・６２−ｎ、・・・・６２−２ｎの個数は、磁気テープ６３を通常の走行速度のｎ倍で走行させ、且つ、回転ドラムの回転速度を通常の回転速度とした状態で転送速度を通常の転送速度のｎ倍とする場合には、２ｎ個となる。
【０１０２】
さて、磁気テープ６３に記録された記録データは記録／再生ヘッド６２−１、６２−２、・・・・６２−ｎ、・・・・６２−２ｎによって順次再生される。この図２において図示せずも、各記録／再生ヘッド６２−１、６２−２、・・・・６２−ｎ、・・・・６２−２ｎは回転ドラム上に１８０度対向、且つ、各記録／再生ヘッド６２−１、６２−２、・・・・６２−ｎ、・・・・６２−２ｎ間の間隔が均等になるように設ける。この図２に示すように、記録系と再生系を１つのＶＴＲとして構成する場合においては、記録、再生兼用の記録／再生ヘッド６２−１、６２−２、・・・・６２−ｎ、・・・・６２−２ｎを回転ドラム上に登載るか、或いは、記録ヘッドと再生ヘッドを隣接して回転ドラムに登載すれば良い。磁気テープ６３の走行速度は上述と同様に通常の走行速度のｎ倍、回転ドラムの回転数（磁気テープ６３と記録／再生ヘッド６２−１、６２−２、・・・・６２−ｎ、・・・・６２−２ｎとの相対速度）を通常のままとすることにより、転送速度を通常のｎ倍にすることができる。
【０１０３】
記録／再生ヘッド６２−１、６２−２、・・・・６２−ｎ、・・・・６２−２ｎからの各再生信号はロータリートランス６１−１、６１−２、・・・・６１−ｎ、・・・・６１−２ｎを介してスイッチ６０−１、６０−２、・・・・６０−ｎの各一方または他方の固定接点６０ａまたは６０ｂに順次（再生された順序）供給される。これらのスイッチ６０−１、６０−２、・・・・６０−ｎには記録時と同様にシステムコントローラ７４からのスイッチング信号ＳＷ１〜ＳＷ４が供給される。これによってスイッチ６０−１、６０−２、・・・・６０−ｎは可動接点６０ｃを一方または他方の固定接点６０ａまたは６０ｂに接続する。
【０１０４】
従って、順次再生された再生信号はスイッチ６０−１、６０−２、・・・・６０−ｎの各一方または他方の固定接点６０ａまたは６０ｂ及び再生増幅回路６５−１、６５−２、・・・・６５−ｎを介してデータ抽出回路６６−１、６６−２、・・・・６６−ｎに順次供給される。これらデータ抽出回路６６−１、６６−２、・・・・６６−ｎは再生増幅回路６５−１、６５−２、・・・・６５−ｎから供給される再生信号からクロック信号を抽出し、抽出したクロック信号によって映像及び音声信号を抽出する。データ抽出回路６６−１、６６−２、・・・・６６−ｎにおいて抽出された映像及び音声データはＣＨＤＥＣ（チャンネルデコーディング）回路６７−１、６７−２、・・・・６７−ｎに供給される。
【０１０５】
チャンネルデコーディング回路６７−１、６７−２、・・・・６７−ｎは、データ抽出回路６６−１、６６−２、・・・・６６−ｎからの映像及び音声信号（ディジタル変調されている）を復調し、元の映像及び音声データを得、復調した映像及び音声データをエラー訂正回路６８−１、６８−２、・・・・６８−ｎに供給する。
【０１０６】
エラー訂正回路６８−１、６８−２、・・・・６８−ｎはチャンネルデコーディング回路６７−１、６７−２、・・・・６７−ｎから供給される映像及び音声データに付加されているＥＣＣに基いて映像及び音声データに対してエラー訂正処理を施し、エラー訂正処理を施した映像及び音声データを時間軸圧縮回路６９−１、６９−２、・・・・６９−ｎに供給する。ここで、映像及び音声データに付加したＥＣＣを用いてエラー訂正したときに、エラー訂正しきれないデータついては、エラー修整処理が施され、元のデータに最も近いデータが復元される。
【０１０７】
時間軸圧縮回路６９−１、６９−２、・・・・６９−ｎは夫々デュアルポートメモリと、書き込み／読み出し回路を有する。これら時間軸圧縮回路６９−１、６９−２、・・・・６９−ｎは、エラー訂正回路６８−１、６８−２、・・・・６８−ｎからの映像及び音声データをデュアルポートメモリに通常速度で書き込み、デュアルポートメモリから通常速度のｎ倍の速度で読み出しを行う。時間軸圧縮回路６９−１、６９−２、・・・・６９−ｎから通常速度のｎ倍の速度で読み出された映像及び音声データは、順次（時間軸圧縮回路６９−１、６９−２、・・・・６９−ｎの順序で）出力インターフェース回路７０に供給される。
【０１０８】
出力インターフェース回路４７は時間軸圧縮回路６９−１、６９−２、・・・・６９−ｎから順次供給される映像及び音声データを伝送順に選択して出力する。この出力は出力端子７１から出力され、図１に示した再生機２１であれば映像及び音声データ７１ｐとしてデータコントローラ２０に供給される。
【０１０９】
ところで、記録機２４の場合は、もし、記録機２４を送出システムにおける出力用とする場合は、再生映像及び音声データが圧縮されたデータであると、送出システムの次段（例えばカートシステムやマスタスイッチャや送信機）で時間軸を伸長する回路を持たなければならなくなるので、次段の系を改造しないためには、時間軸圧縮回路６９−１、６９−２、・・・・６９−ｎの出力を用いずに、エラー訂正回路６８−１、６８−２、・・・・６８−ｎの出力を用いるようにする必要がある。
【０１１０】
つまり、図２に示す構成を図１に示した記録機２４に適用する場合は、エラー訂正回路６８−１、６８−２、・・・・６８−ｎの出力端を図に示すように、出力インターフェース回路７２の入力端に接続し、この出力インターフェース回路７２によって元のデータに変換して出力するようにすれば良い。このようにすれば、例えばこの出力インターフェース回路７２の出力端子７２ａにテレビジョンモニタ等を接続し、その管面に映出された映像をモニタすることも可能となる。
【０１１１】
７３は図示せずも、例えば表示部及び操作キー群を有する操作部である。この操作部７３を操作するか、或いは、入力端子７５を介して図１に示したシステムコントローラ３３からの記録／再生制御信号がシステムコントローラ７４に供給されることによって、システムコントローラ７４はシステムクロック／同期信号発生回路７６に制御信号を供給する。
【０１１２】
これによってシステムクロック／同期信号発生回路７６は上述した入力インターフェース回路５５、時間軸伸長回路５６−１、５６−２、・・・・５６−ｎ、ＥＣＣ付加回路５７−１、５７−２、・・・・５７−ｎ、チャンネルコーディング回路５８−１、５８−２、・・・・５８−ｎ、データ抽出回路６６−１、６６−２、・・・・６６−ｎ、チャンネルデコーディング回路６７−１、６７−２、・・・・６７−ｎ、エラー訂正回路６８−１、６８−２、・・・・６８−ｎ、時間軸圧縮回路６９−１、６９−２、・・・・６９−ｎ、出力インターフェース回路７０に夫々必要なシステムクロック及び同期信号を供給する。
【０１１３】
図２に示す構成では、記録／再生ヘッド６２−１、６２−２、・・・・６２−ｎ、・・・・６２−２ｎが１８０度対向なので、記録系、再生系共に回転ドラム半回転毎にスイッチングすることによって夫々の回路系を半減している。
【０１１４】
Ｄ．テープフォーマットと記録における動作の説明（図３参照）
【０１１５】
図３はテープフォーマットと、記録時のデータフォーマットを説明するための説明図である。
【０１１６】
この図３において、ＴＰは磁気テープを示し、Ｓｃはサブコードセクタ、Ｖｓは映像セクタ、Ａｓは音声セクタ、ａはヘッド走査方向を夫々示す。また、ＡＢは音声ブロックを示し、Ａｄは音声データ、Ｏｐは外符号（アウターパリティ）、Ｉｐは内符号（インナーパリティ）を夫々示す。また、ＶＢは映像ブロックを示し、Ｖｄは映像データを示す。また、ＳｃＢはサブコードブロックを示し、Ｓｃｄはサブコードデータを示す。また、ＲＤはデータ記録順序を示し、Ａｄは音声データ、Ｖｄは映像データ、Ｓｃｄはサブコードデータを夫々示す。また、音声ブロックＡＢ、映像ブロックＶＢ及びサブコードブロックＳｃＢに夫々添えられた矢印は夫々再生順序を示し、記録順序ＲＤに添えられた矢印は記録順序を示す。
【０１１７】
例えばこの例に示すように、１フレームを１０トラックで構成した場合、１つのトラックを音声セクタＡｓ、映像セクタＶｓ、サブコードセクタＳｃで構成するようにする。勿論、１フレームを構成するトラック数に制限はないので、コンポーネント或いはコンポジット記録方式或いはこれらの方式で更に圧縮伸長処理を行うディジタルＶＴＲでも良い。
【０１１８】
図１に示した再生機２１でこの図３に示すようなフォーマットで映像、音声及びサブコードが記録されているビデオ・テープ・カセットを再生した場合、図２に示したチャンネルコーディング回路５８−１、５８−２、・・・・５８−ｎによって音声ブロックＡＢ、映像ブロックＶＢ、サブコードブロックＳｃＢが得られる。これらのデータは図２に示したエラー訂正回路６８−１、６８−２、・・・・６８−ｎにおいて、夫々先ず内符号Ｉｐを用いた内符号エラー訂正処理が施され、更に外符号Ｏｐを用いた外符号エラー訂正処理が施される。
【０１１９】
また、図１に示した記録機２４で映像及び音声データを記録する場合は、記録順序ＲＤから分かるように、図２に示したＥＣＣ付加回路５７−１、５７−２、・・・・５７−ｎによって音声データＡｄ、映像データＶｄ及びサブコードデータＳｃｄに順次外符号、内符号が付加され、この後順次記録される。サブコードデータＳｃｄは、既に説明したが、図１に示したサブコード発生回路３２がデータコントローラ２０にサブコードを供給することによって付加されるものである。
【０１２０】
Ｅ．図２に示した記録／再生ヘッドに関する説明（図４参照）
【０１２１】
次に、図４を参照して上記記録／再生ヘッド６２−１、６２−２、・・・・６２−ｎについて説明する。
【０１２２】
図４Ａは回転ドラム上に記録／再生ヘッド６２−１、６２−２、・・・・６２−ｎを登載した例を示し、図４Ｂは回転ドラム２００の断面を示し、図４Ｃは回転ドラム２００に登載した記録／再生ヘッド（記録／再生ヘッド６２−１を例として図示する）のリード角を示し、図４Ｄは記録／再生ヘッドの通常のリード角を示し、図４Ｅは本例による記録／再生ヘッドのリード角を示している。
【０１２３】
先ず、本例においては、図４Ａに示すように、記録／再生ヘッド６２−１、６２−２、・・・・６２−８を、回転ドラム２００上において、互いにその間隔が均一、且つ、記録／再生ヘッド６２−１及び６２−５、記録／再生ヘッド６２−２及び６２−６、記録／再生ヘッド６２−３及び６２−７、記録／再生ヘッド６２−４及び６２−８が対向するよう回転ドラム２００に取り付けられる。
【０１２４】
次に、図４Ｂに示すように、回転ドラム２００にはその上下に段差がつけられており、この段差部分によって磁気テープ６３が案内された場合に、記録／再生ヘッド（記録／再生ヘッド６２−１を例として図示する）が意図したリード角で磁気テープ６３を走査するようになっている。これを正面から見た図が図４Ｃであり、ここでリード角をθとする。
【０１２５】
図４Ｄは通常のリード角θ１を示している。通常のリード角θ１を設定した場合、磁気テープ６３の走行を停止させた状態で記録／再生ヘッドを登載した回転ドラム２００を１回転させると、記録／再生ヘッドは、実線の矢印で示すように、トラックをその下から上まで１回走査する。
【０１２６】
図４Ｅは本例において設定するリード角の一例であり、この図では通常の転送速度の４倍の転送速度を得る場合のリード角θ２を示している。このリード角θ２を設定した場合、磁気テープ６３の走行を停止させた状態で記録／再生ヘッド６２−１、６２−２、・・・・６２−８を登載した回転ドラム２００を回転させると、記録／再生ヘッド６２−１、６２−２、・・・・６２−８は、実線の矢印で示すように、トラックＴ１、Ｔ２、Ｔ３、Ｔ４を跨いで走査する。
【０１２７】
この図４Ｅに示すように、通常の転送速度の４倍の転送速度を得る場合は、リード角θ２を、記録／再生ヘッド６２−１、６２−２、・・・・６２−８が夫々１回の走査で４つのトラックを跨ぐリード角に設定し、磁気テープ６３の走行速度を通常の走行速度の４倍、回転ドラム２００の回転速度を通常の回転速度とすれば良い。
【０１２８】
磁気テープ６３の走行を通常の走行速度の４倍の走行速度で走行させ、回転ドラム２００の回転速度を通常の回転速度とした場合、トラックＴ１、Ｔ２、Ｔ３、Ｔ４を走査する記録／再生ヘッド６２−１、６２−２、・・・・６２−８の走査軌跡が、磁気テープ６３を停止させているときよりも立ってくる。言い換えれば、記録／再生ヘッド６２−１、６２−２、・・・・６２−８の走査軌跡が磁気テープ６３の下から上の場合、磁気テープ６３の下端と走査軌跡とでおりなす角度が大となる。そして、記録／再生ヘッド６２−１、６２−２、・・・・６２−８の内の１つの記録／再生ヘッドについて考えると、その１つの記録再生ヘッドは、トラックＴ１、Ｔ２、Ｔ３、Ｔ４の内何れか１つのトラックＴ１、Ｔ２、Ｔ３またはＴ４を、図４Ｄに示すように、回転ドラム２００が１回転する間に１回走査することになる。
【０１２９】
以上の条件で通常の転送レートのｎ倍の転送レートを得るためには、２×ｎ個の記録／再生ヘッドが必要となる。つまり、この例では、２×ｎ個である。ここでｘを“２”としているのは、「通常のテープ走行速度」（いわゆる１倍速等）を、回転ドラム上に１８０度対向で記録／再生ヘッドが合計２個設けられている場合に、回転ドラムがｙ回転する間に磁気テープ６３上に傾斜トラックが１フレーム分形成される時間と考えると、同じ回転ドラムｙ回転の間で２×ｎ個の記録／再生ヘッドで１フレーム分の傾斜トラックを磁気テープ６３上に形成できるようにするためには、通常の走行速度のｎ倍で磁気テープ６３を走行させれば良いことになるからである。
【０１３０】
例えばコンポーネントディジタルフォーマット（Ｄ１フォーマット等）では、４つのヘッドを用いて１５０回転／秒で回転ドラムを回転させ、１フィールドにつき１０トラックの割合で傾斜トラックを形成するいわゆるセグメント記録を行っている。従って、もしも、このフォーマットでｎ倍速の転送速度を得る場合は、回転ドラムの回転速度を通常のまま、磁気テープの走行速度をｎ倍速とする場合には、ヘッドは４ｎ個必要となり、また、ヘッドを４つのままとし、磁気テープの走行速度を通常のｎ倍の速度で走行させるのであれば、回転ドラムの回転速度は通常の回転速度のｎ倍の回転速度となり、４ｎ個のヘッドを用いて転送速度を通常の転送速度の１倍とするには、テープの走行速度を１倍速、回転ドラムの回転速度を１倍速とし、４ｎ個のヘッドを用いて転送速度を通常の転送速度の１／ｎ倍とするには、テープの走行速度を１倍速、回転ドラムの回転速度を１／ｎ倍速とする。勿論Ｄ２フォーマットや他のディジタルフォーマットでも同様である。
【０１３１】
この例では、記録増幅回路５９−１、５９−２、・・・・５９−ｎに順番にチャンネルコーディング回路５８−１、５８−２、・・・・５８−ｎから記録すべき映像及び音声データが供給されるので、各記録／再生ヘッド６２−１、６２−２、・・・・６２−ｎ、・・・・６２−２ｎは各記録増幅回路５９−１、５９−２、・・・・５９−ｎによって順次記録電流が供給されることになる。
【０１３２】
尚、上述の例においては、回転ドラムに記録再生兼用として２ｎ個のヘッドを登載させ、回転ドラムを通常の回転速度で回転させ、磁気テープ６３を通常の速度のｎ倍の速度で走行させて記録、再生するようにしている場合について説明したが、回転ドラムを通常の回転速度よりも高速に回転させて高速転送を行う方式、更にヘッドの数を増やし、且つ、回転ドラムの回転速度を高速にする方式を採用することもできる。従って、転送速度を通常の転送速度のｎ倍にするために一義的に記録／再生ヘッドの数を２ｎ個とするわけではない。
【０１３３】
ここで、得たい転送速度と、回転ドラムの回転速度と、記録／再生ヘッドの数の関係をいくつかのパターンを例にとり説明する。
【０１３４】
先ず、前提として、記録／再生ヘッドは回転ドラムに１つ或いは複数個回転ドラムの高さ方向に並べて配置し、この高さ方向に並べて設けられた１つ或いは複数の記録／再生ヘッドを１つの組としたとき、回転ドラムに搭載する組がいくつであっても、組と組との間は全て等間隔（或いは同じ角間隔）となるように取り付けるものとする。また、リード角は、磁気テープ６３の停止時に回転ドラム２００を１回転させる間に記録／再生ヘッドが跨ぐトラック数が、通常のトラック数を基準として設定されるものとする。ここで、通常のトラック数とは、例えば磁気テープ６３を停止させた状態で回転ドラム２００を１回転させたときに、１つのヘッドが走査するトラックの数をいうものとする。
【０１３５】
以上のことを前提にした上で、例えば通常の転送速度の４倍の転送速度を得る場合における記録／再生ヘッドの個数、磁気テープの走行速度、回転ドラムの回転速度、磁気テープの走行が停止している状態で１つの記録／再生ヘッドが跨ぐトラック数の関係を例として示す。
【０１３６】
0003598561.tif 000002
【０１３７】
つまり、通常の転送速度を得るためのヘッドの数をｘとすると、ヘッドの数がｘｎ、テープの走行速度が通常の走行速度のｎ倍であれば回転ドラムの回転速度は通常の回転速度で良いが、ヘッドの数が少なくなればその分だけ回転ドラムの回転速度を上げなければならない。従って、磁気テープ６３を通常のｎ倍の速度で走行させる場合には、回転ドラムの通常の回転速度に対する倍率をｄ、ヘッドの数をｈとした場合、ｈｄ＝ｘｎとなるように回転ドラムの通常の速度にたいする倍率ｄ、或いはヘッドの数ｈを設定し、更に、磁気テープの走行を停止させた状態で記録／再生ヘッドが跨ぐ通常のトラックの数のＴ倍、即ち、Ｔｄ＝ｎとなるリード角を設定すれば良い。
【０１３８】
以上の説明から分かるように、上述の例においては、転送速度を通常の転送速度の４倍として説明したが、転送速度を可変することも可能である。つまり、オペレータが必要な転送速度を図１に示したシステムコントローラ３３の操作パネル３３ｄの操作キーで指定した転送速度とすることができる。
【０１３９】
これには、予め多数の記録／再生ヘッドを回転ドラムに搭載させ、指定された転送速度に応じて記録／再生ヘッドの使用数を可変する方法が採用可能である。ここでいう「使用数」とは、記録時においては、記録電流が与えられるヘッドの数をいい、再生時においては、再生信号が有効とされるヘッドの数をいう。勿論、使用する記録／再生ヘッドの数や転送速度を可変することによって、使用しなくても済む回路もでてくるので、使用する回路、使用しない回路を自動的に選択するようにする必要がある。この可変方法は、記録／再生ヘッドを予め多数回転ドラムに搭載すると共に、リード角を変えなければならない。何れにしても、このように転送速度を可変するためには、回路のシステムクロックやリード角もこれに連動して可変させるようにしなければならないが、システムクロックは周知のＶＣＯ（電圧制御発振器）や高い周波数の水晶発振器と分周器や低い周波数の水晶発振器と逓倍器があれば容易に実現できる。
【０１４０】
尚、リード角を可変させるためには、テープガイドの上下に段差を持たせ、少なくとも２つのテープガイドで磁気テープを案内するようにすると共に、この２つのテープガイドの高さをモータによって可変することによってリード角を可変することができる。
Ｆ．通常の４倍の転送速度での記録動作の説明（図５参照）
次に、図５を参照して、図２に示した記録再生装置に通常の転送速度４倍の速度で転送を行い、記録再生装置の８つの記録再生ヘッド６２−１、６２−２、・・・・６２−８で映像及び音声データを記録する場合の動作について説明する。説明を分かりやすくするために、図５に示す信号の符号を図２にも示している。
【０１４１】
５５ｒは図２のデマルチプレクサ５５の入力（高速転送データ）、５６Ｉ１〜５６Ｉ４は図２の時間軸伸長回路５６−１〜５６−４の入力、５６Ｏ１〜５６Ｏ４は図２の時間軸伸長回路５６−１〜５６−４の時間軸伸長出力、５９Ｏ１〜５９Ｏ４は図２の記録増幅回路５９−１〜５９−４の記録増幅出力、ＳＷ１〜ＳＷ４は図２のスイッチ６０−１〜６０−４に供給されるシステムコントローラ７４からのスイッチング信号、６２ｐ１は図２の記録再生ヘッド６２−１の記録信号、６２ｒ５は図２の記録再生ヘッド６２−５の記録信号である。
【０１４２】
尚、記録再生ヘッド６２−２、６２−３、・・・・６２−４、６２−６及び６２−８の記録信号はその図示を省略する。また、スイッチング信号ＳＷ１〜ＳＷ４には、各スイッチング信号ＳＷ１〜ＳＷ４のハイレベル“１”及びローレベル“０”の状態によって選択される記録再生ヘッド６２−１、６２−２、・・・・６２−８を示すための番号“１”〜“８”を添えてある。
【０１４３】
先ず、図２に示した入力インターフェース回路５５には、入力端子５４を介して通常の転送速度の４倍の転送速度の映像及び音声データ５５ｒが供給される。図５において映像及び音声データ５５ｒに夫々示す符号Ｔ１２Ｄ、Ｔ１Ｄ、Ｔ２Ｄ、・・・・Ｔ３Ｄは夫々第１２トラック、第１トラック、第２トラック、・・・・第３トラックの構成データを夫々示す。
【０１４４】
この映像及び音声データ５５ｒがデマルチプレクサ５５に供給されると、このでデマルチプレクサ５５によってトラック毎に分割される。分割された映像及び音声データは図５に示すように、映像及び音声データ５６Ｉ１、５６Ｉ２、５６Ｉ３及び５６Ｉ４となり、時間軸伸長回路５６−１、５６−２、５６−３及び５６−４の入力となる。
【０１４５】
時間軸伸長回路５６−１の入力としての映像及び音声データ５６Ｉ１は斜線で示すように、各フレーム毎に、第１トラックＴ１Ｄ、第５トラックＴ５Ｄ、第９トラックＴ９Ｄといったデータとなり、時間軸伸長回路５６−２の入力としての映像及び音声データ５６Ｉ２はドットで示すように、各フレーム毎に、第２トラックＴ２Ｄ、第６トラックＴ６Ｄ、第１０トラックＴ１０Ｄといったデータとなり、時間軸伸長回路５６−３の入力としての映像及び音声データ５６Ｉ３は映像及び音声データ５６Ｉ１とは逆の斜線で示すように、各フレーム毎に、第３トラックＴ３Ｄ、第７トラックＴ７Ｄ、第１１トラックＴ１１Ｄといったデータとなり、時間軸伸長回路５６−４の入力としての映像及び音声データ５６Ｉ４は白塗り（模様なしの意味）で示すように、各フレーム毎に、第４トラックＴ４Ｄ、第８トラックＴ８Ｄ、第１２トラックＴ１２Ｄといったデータとなる。つまり、出力タイミングで見ると、第１トラックＴ１Ｄ、第２トラックＴ２Ｄ、第３トラックＴ３Ｄ、第４トラックＴ４Ｄ、第５トラックＴ５Ｄ、第６トラックＴ７Ｄ、・・・・第１１トラックＴ１１Ｄ、第１２トラックＴ１２Ｄの順序で出力され、この順序で時間軸伸長回路５６−１、５６−２、５６−３及び５６−４に順次供給される。
【０１４６】
そして、各時間軸伸長回路５６−１、５６−２、５６−３及び５６−４に供給された映像及び音声データ５６Ｉ１、５６Ｉ２、５６Ｉ３及び５６Ｉ４は、時間軸伸長回路５６−１、５６−２、５６−３及び５６−４の時間軸伸長出力５６Ｏ１、５６Ｏ２、５６Ｏ３及び５６Ｏ４のように、時間軸が伸長される。例えば、時間軸伸長回路５６−１の入力である映像及び音声データ５６Ｉ１の第１トラック、第５トラック、第９トラックの映像及び音声データＴ１Ｄ、Ｔ５Ｄ、Ｔ９Ｄは、実線の矢印で示すように、時間的に４倍の長さに伸長される。他の映像及び音声データ５６Ｉ２、５６Ｉ３及び５６Ｉ４も同様である。
【０１４７】
時間軸伸長回路５６−１、５６−２、５６−３及び５６−４の各時間軸伸長出力５６Ｏ１、５６Ｏ２、５６Ｏ３及び５６Ｏ４は夫々ＥＣＣ付加回路５７−１、５７−２、５７−３及び５７−４でＥＣＣが付加され、更にチャンネルコーディング回路５８−１、５８−２、５８−３及び５８−４においてディジタル変調され、記録増幅回路５９−１、５９−２、５９−３及び５９−４に供給されて記録増幅される。
【０１４８】
この記録増幅回路５９−１、５９−２、５９−３及び５９−４の出力５９Ｏ１、５９Ｏ２、５９Ｏ３及び５９Ｏ４は、時間軸伸長出力５６Ｏ１、５６Ｏ２、５６Ｏ３及び５６Ｏ４よりも遅延している。この遅延時間はＥＣＣ付加回路５７−１、５７−２、５７−３及び５７−４並びにチャンネルコーディング回路５８−１、５８−２、５８−３及び５８−４での処理によるものである。例えば、時間軸伸長回路５６−１の出力５６Ｏ１の内、第１トラックＴ１Ｄの時間軸伸長出力５６Ｏ１は、実線の矢印で示すように、この斜線部分から記録増幅回路５９−１の出力５９Ｏ１の斜線部分となる。従って、各映像及び音声データに対する遅延時間は図中符号ＲＤで示す時間となる。
【０１４９】
さて、記録増幅回路５９−１、５９−２、５９−３及び５９−４から出力された映像及び音声信号（電流信号）５９Ｏ１、５９Ｏ２、５９Ｏ３及び５９Ｏ４は、スイッチ６０−１、６０−２、６０−３及び６０−４の各可動接点６０ｃに夫々供給される。ここで、注意しなければならないのは、この例では、通常の転送速度の４倍の転送速度を得る場合について説明しているので、記録再生ヘッドは２×ｎ、つまり、８個必要とすることである。
【０１５０】
従って、この例では、スイッチ６０−１の一方の固定接点６０ａをロータリートランス６１−１の１次側に接続し、スイッチ６０−１の他方の固定接点６０ｂをロータリートランス６１−５の１次側に接続し、スイッチ６０−２の一方の固定接点６０ａをロータリートランス６１−２の１次側に接続し、スイッチ６０−２の他方の固定接点６０ｂをロータリートランス６１−６の１次側に接続し、スイッチ６０−３の一方の固定接点６０ａをロータリートランス６１−３の１次側に接続し、スイッチ６０−３の他方の固定接点６０ｂをロータリートランス６１−７の１次側に接続し、スイッチ６０−４の一方の固定接点６０ａをロータリートランス６１−４の１次側に接続し、スイッチ６０−４の他方の固定接点６０ｂをロータリートランス６１−８の１次側に接続していることになる。
【０１５１】
システムコントローラ７４からスイッチ６０−１に供給されるスイッチング信号ＳＷ１がハイレベル“１”の場合はスイッチ６０−１は可動接点６０ｃを一方の固定接点６０ａに接続し、ローレベル“０”の場合はスイッチ６０−１は可動接点６０ｃを他方の固定接点６０ｂに接続する。従って、スイッチング信号ＳＷ１上に示すように、記録増幅回路５９−１から出力される第１トラックの映像及び音声データＴ１Ｄは記録再生ヘッド６２−１によって磁気テープ６３上に傾斜トラックを形成するように記録され、記録増幅回路５９−１から出力される第５トラックの映像及び音声データＴ５Ｄは記録再生ヘッド６２−５によって磁気テープ６３上に傾斜トラックを形成するように記録され、記録増幅回路５９−１から出力される第９トラックの映像及び音声データＴ９Ｄは記録再生ヘッド６２−１によって磁気テープ６３上に傾斜トラックを形成するように記録される（これについては図示せず）。
【０１５２】
次に、システムコントローラ７４からスイッチ６０−２に供給されるスイッチング信号ＳＷ２がハイレベル“１”の場合はスイッチ６０−２は可動接点６０ｃを一方の固定接点６０ａに接続し、ローレベル“０”の場合はスイッチ６０−２は可動接点６０ｃを他方の固定接点６０ｂに接続する。従って、スイッチング信号ＳＷ２上に示すように、記録増幅回路５９−２から出力される第２トラックの映像及び音声データＴ２Ｄは記録再生ヘッド６２−２によって磁気テープ６３上に傾斜トラックを形成するように記録され、記録増幅回路５９−２から出力される第６トラックの映像及び音声データＴ６Ｄは記録再生ヘッド６２−６によって磁気テープ６３上に傾斜トラックを形成するように記録され、記録増幅回路５９−２から出力される第１０トラックの映像及び音声データＴ１０Ｄは記録再生ヘッド６２−２によって磁気テープ６３上に傾斜トラックを形成するように記録される（これについては図示せず）。
【０１５３】
次に、システムコントローラ７４からスイッチ６０−３に供給されるスイッチング信号ＳＷ３がハイレベル“１”の場合はスイッチ６０−３は可動接点６０ｃを一方の固定接点６０ａに接続し、ローレベル“０”の場合はスイッチ６０−３は可動接点６０ｃを他方の固定接点６０ｂに接続する。従って、スイッチング信号ＳＷ３上に示すように、記録増幅回路５９−３から出力される第３トラックの映像及び音声データＴ３Ｄは記録再生ヘッド６２−３によって磁気テープ６３上に傾斜トラックを形成するように記録され、記録増幅回路５９−３から出力される第７トラックの映像及び音声データＴ７Ｄは記録再生ヘッド６２−７によって磁気テープ６３上に傾斜トラックを形成するように記録され、記録増幅回路５９−３から出力される第１１トラックの映像及び音声データＴ１１Ｄは記録再生ヘッド６２−３によって磁気テープ６３上に傾斜トラックを形成するように記録される（これについては図示せず）。
【０１５４】
次に、システムコントローラ７４からスイッチ６０−４に供給されるスイッチング信号ＳＷ４がハイレベル“１”の場合はスイッチ６０−４は可動接点６０ｃを一方の固定接点６０ａに接続し、ローレベル“０”の場合はスイッチ６０−４は可動接点６０ｃを他方の固定接点６０ｂに接続する。従って、スイッチング信号ＳＷ４上に示すように、記録増幅回路５９−４から出力される第４トラックの映像及び音声データＴ４Ｄは記録再生ヘッド６２−４によって磁気テープ６３上に傾斜トラックを形成するように記録され、記録増幅回路５９−４から出力される第８トラックの映像及び音声データＴ８Ｄは記録再生ヘッド６２−８によって磁気テープ６３上に傾斜トラックを形成するように記録され、記録増幅回路５９−４から出力される第１２トラックの映像及び音声データＴ１２Ｄは記録再生ヘッド６２−４によって磁気テープ６３上に傾斜トラックを形成するように記録される（これについては図示せず）。つまり、図５に示すように、各記録再生ヘッド６２−１、６２−２、・・・・６２−８によって映像及び音声信号６２ｒ１、６２ｒ２、・・・・６２ｒ８が記録される。
【０１５５】
Ｇ．通常の４倍の転送速度での再生動作の説明（図６参照）
次に、図６を参照して図２に示した高速記録再生ＶＴＲで磁気テープ６３を再生する場合の動作について説明する。ここで再生される磁気テープは、例えば、通常の転送速度で供給された信号を２個のヘッドで通常の速度で記録したものとする。この図６においては、図２に示した高速記録再生ＶＴＲの８つの記録再生ヘッド６２−１、・・・・６２−８で映像及び音声データを再生し、通常の転送速度の４倍の転送速度で再生データを転送する場合の動作について説明する。説明を分かりやすくするために、図６に示す信号の符号を図２にも示している。
【０１５６】
図６において、６２ｐ１は図２に示した記録再生ヘッド６２−１で再生された再生信号、６２ｐ５は図２に示した記録再生ヘッド６２−５で再生された再生信号（尚、６２ｐ２〜６２ｐ４、６２ｐ６〜６２ｐ８については図示を省略する）、ＳＷ１、ＳＷ２、ＳＷ３及びＳＷ４は夫々システムコントローラ５０からのスイッチング信号、６５Ｉ１、６５Ｉ２、６５Ｉ３及び６５Ｉ４は夫々再生増幅回路６５−１、６５−２、６５−３及び６５−４の各入力、６９Ｉ１、６９Ｉ２、６９Ｉ３及び６９Ｉ４は夫々時間軸圧縮回路６９−１、６９−２、６９−３及び６９−４の入力、６９Ｏ１、６９Ｏ２、６９Ｏ３及び６９Ｏ４は夫々時間軸圧縮回路６９−１、６９−２、６９−３及び６９−４の各時間軸圧縮出力、７１ｐはマルチプレクサ７０の出力である。
【０１５７】
ここで、注意しなければならないのは、この例では、図５と同様に通常の転送速度の４倍の転送速度を得る場合について説明しているので、記録再生ヘッドは２×ｎ、つまり、８個必要とすることである。従って、この例では、スイッチ６０−１の一方の固定接点６０ａをロータリートランス６１−１の１次側に接続し、スイッチ６０−１の他方の固定接点６０ｂをロータリートランス６１−５の１次側に接続し、スイッチ６０−２の一方の固定接点６０ａをロータリートランス６１−２の１次側に接続し、スイッチ６０−２の他方の固定接点６０ｂをロータリートランス６１−６の１次側に接続し、スイッチ６０−３の一方の固定接点６０ａをロータリートランス６１−３の１次側に接続し、スイッチ６０−３の他方の固定接点６０ｂをロータリートランス６１−７の１次側に接続し、スイッチ６０−４の一方の固定接点６０ａをロータリートランス６１−４の１次側に接続し、スイッチ６０−４の他方の固定接点６０ｂをロータリートランス６１−８の１次側に接続していることになる。
【０１５８】
システムコントローラ７４からスイッチ６０−１に供給されるスイッチング信号ＳＷ１がハイレベル“１”の場合はスイッチ６０−１は可動接点６０ｃを一方の固定接点６０ａに接続し、ローレベル“０”の場合はスイッチ６０−１は可動接点６０ｃを他方の固定接点６０ｂに接続する。従って、スイッチング信号ＳＷ１上に添えた数字“１”及び“５”で示すように、スイッチング信号ＳＷ１がハイレベル“１”のときは記録再生ヘッド６２−１からの再生信号６２ｐ１が再生増幅回路６５−１に供給され、スイッチング信号ＳＷ１がローレベル“０”のときは記録再生ヘッド６２−５からの再生信号６２ｐ５が再生増幅回路６５−１に供給される。
【０１５９】
次に、システムコントローラ７４からスイッチ６０−２に供給されるスイッチング信号ＳＷ２がハイレベル“１”の場合はスイッチ６０−２は可動接点６０ｃを一方の固定接点６０ａに接続し、ローレベル“０”の場合はスイッチ６０−２は可動接点６０ｃを他方の固定接点６０ｂに接続する。従って、スイッチング信号ＳＷ２上に添えた数字“２”及び“６”で示すように、スイッチング信号ＳＷ２がハイレベル“１”のときは記録再生ヘッド６２−２からの再生信号６２ｐ２が再生増幅回路６５−２に供給され、スイッチング信号ＳＷ２がローレベル“０”のときは記録再生ヘッド６２−６からの再生信号６２ｐ６が再生増幅回路６５−２に供給される。
【０１６０】
次に、システムコントローラ７４からスイッチ６０−３に供給されるスイッチング信号ＳＷ３がハイレベル“１”の場合はスイッチ６０−３は可動接点６０ｃを一方の固定接点６０ａに接続し、ローレベル“０”の場合はスイッチ６０−３は可動接点６０ｃを他方の固定接点６０ｂに接続する。従って、スイッチング信号ＳＷ３上に添えた数字“３”及び“７”で示すように、スイッチング信号ＳＷ３がハイレベル“１”のときは記録再生ヘッド６２−３からの再生信号６２ｐ３が再生増幅回路６５−３に供給され、スイッチング信号ＳＷ３がローレベル“０”のときは記録再生ヘッド６２−７からの再生信号６２ｐ７が再生増幅回路６５−３に供給される。
【０１６１】
次に、システムコントローラ７４からスイッチ６０−４に供給されるスイッチング信号ＳＷ４がハイレベル“１”の場合はスイッチ６０−４は可動接点６０ｃを一方の固定接点６０ａに接続し、ローレベル“０”の場合はスイッチ６０−４は可動接点６０ｃを他方の固定接点６０ｂに接続する。従って、スイッチング信号ＳＷ４上に添えた数字“４”及び“８”で示すように、スイッチング信号ＳＷ４がハイレベル“１”のときは記録再生ヘッド６２−４からの再生信号６２ｐ４が再生信号６５Ｉ１として再生増幅回路６５−４に供給され、スイッチング信号ＳＷ４がローレベル“０”のときは記録再生ヘッド４０−８からの再生信号４８ｐ８が再生信号６５Ｉ１として再生増幅回路６５−４に供給される。
【０１６２】
図６に示すように、再生信号６５Ｉ１、６５Ｉ２、６５Ｉ３及び６５Ｉ４は再生増幅回路６５−１〜６５−４に夫々供給され、これら再生増幅回路６５−１〜６５−４において再生増幅された後に出力され、夫々データ抽出回路６６−１〜６６−４に供給され、このデータ抽出回路６６−１〜６６−４においてクロック信号が再生され、再生されたクロック信号でデータが抽出される。これらデータ抽出回路６６−１〜６６−４からの映像及び音声信号は夫々チャンネルデコーディング回路６７−１〜６７−４に順次供給され、このチャンネルデコーディング回路６７−１〜６７−４において復調され、元の映像及び音声データにされ、次段のエラー訂正回路６８−１〜６８−ｎに夫々供給され、上述したようにエラー訂正処理が施される。
【０１６３】
エラー訂正処理が施された映像及び音声データは夫々時間軸圧縮回路６９−１〜６９−４に供給される。この時間軸圧縮回路６９−１〜６９−４の入力６９Ｉ１、６９Ｉ２、６９Ｉ３及び６９Ｉ４は図５に示している。
【０１６４】
例えば図６において、この例では、スイッチング信号ＳＷ１が“５”を示すローレベル“０”のときに記録再生ヘッド６２−５からの再生信号６２ｐ５と、再生増幅回路６５−１に供給される時点の再生信号６５Ｉ１とのずれはなく、同様に、スイッチング信号ＳＷ１が“１”を示すハイレベル“１”のときに記録再生ヘッド６２−１からの再生信号６２ｐ１と、再生増幅回路６５−１に供給される時点の再生信号６５Ｉ１とのずれはない。
【０１６５】
しかしながら、時間軸圧縮回路６９−１〜６９−４に供給される時点においては、例えば時間軸圧縮回路６９−１入力６９Ｉ１から実線の矢印で示すように、ある遅延を持つ。この遅延時間は、チャンネルデコーディング回路６７−１〜６７−４及びエラー訂正回路６８−１〜６８−４での処理時間によるものであり、図中に示す時間ＰＤはその遅延時間を示している。
【０１６６】
時間軸圧縮回路６９−１〜６９−４に夫々供給される映像及び音声データ６９Ｉ１〜６９Ｉ４は、この時間軸圧縮回路６９−１〜６９−４のデュアルポートメモリに一旦書き込まれ、この後、書き込み速度の４倍の速度で読み出されることにより、時間軸が１／４に圧縮される。この圧縮映像及び音声データ６９Ｏ１〜６９Ｏ４は順次出力インターフェース回路７０に供給される。出力インターフェース回路７０に供給された圧縮映像及び音声データ６９Ｏ１〜６９Ｏ４はシリアルデータに変換され、高速映像及び音声データ７１ｐとして出力端子７１から出力される。
【０１６７】
この図６から分かるように、斜線で示す圧縮映像及び音声データ６９Ｏ１は第１トラック対応データＴ１Ｄ、第５トラック対応データＴ５Ｄ及び第９トラック対応データＴ９Ｄからなり、ドットで示す圧縮映像及び音声データ６９Ｏ２は第２トラック対応データＴ２Ｄ、第６トラック対応データＴ６Ｄ及び第１０トラック対応データＴ１０Ｄからなり、圧縮映像及び音声データ６９Ｏ１とは逆の斜線で示す圧縮映像及び音声データ６９Ｏ３は第３トラック対応データＴ３Ｄ、第７トラック対応データＴ７Ｄ及び第１１トラック対応データＴ１１Ｄからなり、白抜き（模様がないことを示す）圧縮映像及び音声データ６９Ｏ４は第４トラック対応データＴ４Ｄ、第８トラック対応データＴ８Ｄ及び第１２トラック対応データＴ１２Ｄからなる。
【０１６８】
Ｈ．図１の入力部２５の内部構成例及びその動作の説明（図７参照）
【０１６９】
図７は図１に示した記録再生装置の入力部２５の内部構成例を示す構成図である。この図７において入力端子２６〜２９は図１に示した記録再生装置の入力部２５の説明と同様である。８５は入力端子２６を介して供給されるディジタル映像データ用の映像入力回路（ディジタルインターフェース回路）、８６は入力端子２７を介して供給されるアナログ映像信号用をディジタル映像データに変換するためのＡ−Ｄコンバータを有する映像Ａ−Ｄ入力回路、８７は入力端子２８を介して供給されるディジタル音声データ用の音声入力回路（ディジタルインターフェース回路）、８８は入力端子２９を介して供給されるアナログ音声信号をディジタル音声データに変換するためのＡ−Ｄコンバータを有する音声Ａ−Ｄ入力回路である。
【０１７０】
８９は映像入力回路８５或いは映像Ａ−Ｄ入力回路８６からのディジタル映像データに圧縮符号処理を施す圧縮符号化回路、９０は圧縮符号化回路８９からの圧縮符号化されたディジタル映像データと、音声入力回路８７或いは音声Ａ−Ｄ入力回路８８からのディジタル音声データを混合する映像／音声混合回路である。
【０１７１】
ここで、圧縮符号化回路８９においては、例えばＤＣＴ（離散コサイン変換）、ランレングスやハフマン等の可変長符号化、ＡＤＲＣ（アダプティブ・ダイナミック・レンジ・コーディング）、ウエーブレット変換等の各種圧縮符号化処理が行われる。尚、図１に示した記録機２４において圧縮符号化処理を行うようにする場合において、この入力部２５を介してデータコントローラ２０に供給される映像及び音声データを記録機２４に供給する場合には、圧縮符号化回路８９をバイパスさせるようにしても良い。バイパスを行うようにする場合は、例えば図５に示す映像入力回路８５及び映像Ａ−Ｄ入力回路８６の各出力端を一方のスイッチの一方の固定接点及び他方の固定接点に接続し、この一方のスイッチの可動接点を他方のスイッチの一方の固定接点に接続し、この他方のスイッチの他方の固定接点を圧縮符号化回路８９の出力端に接続し、この他方のスイッチの可動接点を映像／音声混合回路９０の入力端に接続し、一方及び他方のスイッチの制御を図１に示したシステムコントローラ３３で行えば良い。
【０１７２】
次に、動作について説明する。入力端子２６を介して供給されるディジタル映像データは映像入力回路８５で受け付けられる。また、入力端子２７を介して供給されるアナログ映像信号は映像Ａ−Ｄ入力回路８６においてディジタル映像データに変換される。映像入力回路８５または映像Ａ−Ｄ入力回路８６からのディジタル映像データは圧縮符号化回路８９に供給される。圧縮符号化回路８９に供給されたディジタル映像データは、この圧縮符号化回路８９において上述したような各種圧縮処理が施された後に映像／音声混合回路９０に供給される。
【０１７３】
入力端子２８を介して供給されるディジタル音声データは音声入力回路８７で受け付けられる。また、入力端子２９を介して供給されるアナログ音声信号は音声Ａ−Ｄ入力回路８８においてディジタル音声データに変換される。音声入力回路８７または音声Ａ−Ｄ入力回路８８からのディジタル音声データは映像／音声混合回路９０に供給される。映像／音声混合回路９０に供給されるディジタル映像及び音声データはこの映像／音声混合回路９０において入力端子９２を介して図１に示したサブコード発生回路５６からのサブコードデータと混合された後に出力端子９１を介して図１に示したデータコントローラ２０に供給される。
【０１７４】
Ｉ．図１の再生出力部３６、４１、４９、記録モニタ出力部４４の内部構成及びその動作説明（図８参照）
【０１７５】
図８は図１に示した記録再生装置の再生出力部３６、４１、４９、記録モニタ出力部４４の内部構成例を示す構成図である。この図８においては図１に示したこれらの回路に対して１つの構成例しか示していないが、用途は異なるものの、その構成が同一なので１つの構成で説明する。
【０１７６】
図８において１００は図１に示した記録再生装置のデータコントローラ２０からの映像及び音声データが供給される入力端子、１０１は図１に示したデータコントローラ２０に対してこの図８に示す再生出力部３６、４１、４９、記録モニタ出力部４４からの出力が供給される出力端子である。１０２は入力端子１００を介して図１に示したデータコントローラ２０から供給されるディジタル映像及び音声データを映像データと音声データとに分離する映像音声分離回路、１０３は映像音声分離回路１０２からの圧縮されているディジタル映像データを復号する圧縮復号化回路、１０４は圧縮復号化回路１０３からの復号ディジタル映像データを外部に供給するための映像出力回路（ディジタルインターフェース回路）、１０６は圧縮復号回路１０３からの復号ディジタル映像データをアナログ映像信号に変換するためのＤ−Ａ変換回路、１０８は映像音声分離回路１０２からのディジタル音声データを出力するための音声出力回路（ディジタルインターフェース回路）、１１０は映像音声分離回路１０２からのディジタル音声データをアナログ音声信号に変換するためのＤ−Ａ変換回路である。
【０１７７】
ここで、図８に示す映像出力回路１０４の出力端子１０５、Ｄ−Ａ変換回路１０６の出力端子１０７、音声出力回路１０８の出力端子１０９、Ｄ−Ａ変換回路１１０の出力端子１１１と、図１に示した再生出力部３６、４１、４９及び記録モニタ出力部４４の各出力端子との対応について説明する。
【０１７８】
図１に示した再生出力部３６、４１、４９及び記録モニタ出力部４４の各出力端子３７、６５、５０及び４５は図８に示す出力端子１０５に対応し、図１に示した再生出力部３６、４１、４９及び記録モニタ出力部４４の各出力端子３８、６６、５１及び４６は図８に示す出力端子１０７に対応し、図１に示した再生出力部３６、４１、４９及び記録モニタ出力部４４の各出力端子３９、４４、５２及び４７は図８に示す出力端子１０９に対応し、図１に示した再生出力部３６、４１、４９及び記録モニタ出力部４４の各出力端子４０、４５、５３及び４８は図８に示す出力端子１１１に対応する。
【０１７９】
次に、動作について説明する。図１に示したデータコントローラ２０からのディジタル映像及び音声データが入力端子１００を介して映像音声分離回路１０２に供給され、この映像音声分離回路１０２において映像データと音声データに分離され、ディジタル映像データは圧縮復号回路１０３に、ディジタル音声データは音声出力回路１０８及びＤ−Ａ変換回路１１０に夫々供給される。圧縮復号回路１０３に供給されたディジタル映像データは、この圧縮復号回路１０３において上述したような圧縮符号化処理の逆、例えばＩＤＣＴ（逆離散コサイン変換）、ランレングスやハフマン等の可変長符号化により符号化されたデータの復号化、ＡＤＲＣによって符号化されたデータの復号化、ウエーブレット変換によって符号化されたデータの復号化等の処理が施される。
【０１８０】
この圧縮復号回路１０３によって復号化されたディジタル映像データは映像出力回路１０４及びＤ−Ａ変換回路１０６に夫々供給される。映像出力回路１０４に供給されたディジタル映像データは、この映像出力回路１０４によって出力端子１０５を介して例えば図示しない編集機やＤＭＥ（ディジタル・マルチ・エフェクタ）等に供給される。
【０１８１】
Ｊ．図１のデータコントローラ２０の内部構成及びその動作の説明（図９参照）
【０１８２】
図９は図１に示したデータコントローラ２０の内部構成を示す構成図である。この図９に示す構成は、図１に示した再生機２１が、通常の再生速度の３倍の再生速度で再生し、記録機２４が、通常の記録速度の３倍の記録速度で記録する場合の構成である。
【０１８３】
図において１２０、１２１及び１２２は図１に示した再生機２１からの通常の転送速度の３倍の転送速度の再生映像及び音声データが供給される入力端子である。再生系１２３はこの入力端子１２０、１２１及び１２２を介して供給される通常の転送速度の３倍の転送速度の再生映像及び音声データを再生処理し、処理した再生映像及び音声データをバス１２４（アドレス、データ及びコントロールバスからなる）に供給する。
【０１８４】
１２８は記録系であり、この記録系１２８はバス１２４を介して供給されるデータに記録のための処理を施し、この記録のための処理を施したデータを出力端子１２５、１２６及び１２７から出力する。１２９は外部同期入力端子、１３２は外部入力端子である。図１に示したシステムコントローラ３３から供給される外部同期信号は、この外部同期入力端子１２９を介して入出力制御回路１３０に供給される。一方、図１に示したシステムコントローラ３３から供給される外部入力データは、この外部入力端子１３２を介してバッファ１３１に供給される。
【０１８５】
入出力制御回路１３０は外部同期入力端子１２９を介して供給される外部同期信号に基いてバッファ１３１、１３３及び１３５を夫々制御する。バッファ１３１は入力端子１３２を介して供給される外部入力データを、入出力制御回路１３０からの制御信号に基いて記憶、或いは記憶した外部入力データを、入出力制御回路１３０からの制御信号に基いて出力する。バッファ１３１から出力されたデータはバス１５０を介してバッファ１３３及び１３５に夫々供給される。バッファ１３３及び１３５は、入出力制御回路１３０からの制御信号に基いてバス１５０を介してバッファ１３１、記録系１２８或いは後述するディスクアレイコントローラ１３８から供給されるデータを記憶、或いは記憶したデータを入出力制御回路１３０からの制御信号に基いて出力端子１３４及び１３６から夫々再生データＰ１及びＰ２として出力する。
【０１８６】
バス１５０はディスクアレイコントローラ１３８にも接続している。このディスクアレイコントローラ１３８に、後述する内部のスイッチをスイッチングするためのスイッチング制御信号を供給するためのバス１３７を接続し、このディスクアレイコントローラ１３８の入出力端をバス１２４に接続する。
【０１８７】
従って、この図９に示す構成では、再生系１２３で再生処理したデータをバス１２４を介して記録系１２８に供給して記録処理し、図１に示した記録機２４に記録処理したデータを供給して記録する処理、再生系で再生処理したデータをバス１２４を介してディスクアレイコントローラ１３８に供給して記録する処理、ディスクアレイコントローラ１３８の再生データをバス１５０並びにバッファ１３３や１３５を介して出力する処理、ディスクアレイコントローラ１３８の再生データをバス１５０を介して記録系１２８に供給し、この記録系１２８で記録処理を施し、この記録処理を施したデータを図１に示した記録機２４に供給して記録する処理が可能となる。
【０１８８】
Ｋ．図９のデータコントローラ２０の再生系１２３の内部構成及びその動作の説明（図１０参照）
【０１８９】
図１０は図９のデータコントローラ２０の再生系１２３の内部構成例を示す構成図である。この図１０において、図９と対応する部分には同一符号を付し、その詳細説明を省略する。
【０１９０】
１４０、１４１及び１４２は、夫々入力端子１２０、１２１及び１２２を介して夫々供給される再生データを夫々受け付ける入力回路である。これら入力回路１４０、１４１及び１４２の出力はマルチプレクサ１４３に供給される。マルチプレクサ１４３は、再生タイミング制御回路１４９からの制御信号に基いて、入力回路１４０、１４１及び１４２からの出力を１つの出力として出力する。この出力はバッファ１４４に供給される。バッファ１４４は再生タイミング制御回路１４９からの制御信号に基いてマルチプレクサ１４３からの出力を記憶し、記憶したデータを再生タイミング制御回路１４９からの制御信号に基いて出力する。
【０１９１】
この出力はデマルチプレクサ１４５に供給される。デマルチプレクサ１４５はバッファ１４４からの出力を、再生タイミング制御回路１４９からの制御信号に基いて分割し、分割して得たデータを第１、第２及び第３キャッシュ１４６、１４７及び１４８に夫々供給する。本例においては、第１、第２及び第３キャッシュ１４６、１４７及び１４８を夫々デュアルポートメモリ等で構成すると共に、例えばその容量を１６フレーム分とする。
【０１９２】
尚、この例では、図１に示した再生機２１の再生速度を通常の再生速度の３倍としているので、使用するキャッシュも３つとなる。これら第１、第２及び第３キャッシュ１４６、１４７及び１４８は再生タイミング制御回路１４９からの制御信号に基いて保持しているデータをバス１２４に供給する。
【０１９３】
また、再生タイミング制御回路１４９はバス１２４を介して供給されるディスクアレイコントローラ１３８からの制御信号に基いて上述した各部に対して制御信号を供給する。
【０１９４】
尚、図１０に示す入力端子１４０、１４１及び１４２を図２に示した高速記録再生ＶＴＲの時間軸圧縮回路６９−１、６９−２、・・・・６９−ｎの出力端に接続すれば良い。ところで、図１０においては、３つの入力端子１２０、１２１及び１２２を用いた場合を示しているが、図２に示した高速記録再生ＶＴＲの出力をｎチャンネル、図１０に示す入力をｎチャンネルとし、図１に示したシステムコントローラ３３の制御に応じて、マルチプレクサ１４３及びデマルチプレクサ１４５が夫々使用チャンネルに対応した動作を行うようにできる。
【０１９５】
Ｌ．図９のデータコントローラ２０の記録系１２８の内部構成及びその動作の説明（図１１参照）
【０１９６】
図１１は図９に示したデータコントローラ２０の記録系１２８の内部構成を示す構成図である。図において図９と対応する部分には同一符号を付し、その詳細説明を省略する。
【０１９７】
バス１２４を介して再生系１２３或いはディスクアレイコントローラ１３８から供給されるデータは第１、第２及び第３キャッシュ１４６、１４７及び１４８に夫々供給される。第１、第２及び第３キャッシュはバス１２４を介して供給されるデータを記録タイミング制御回路１６７からの制御信号に基いて記憶する。そしてこれら第１、第２及び第３キャッシュは記憶したデータを、記録タイミング制御回路１６７からの制御信号に基いて読み出し、読み出したデータを夫々バス１６０に出力する。
【０１９８】
バス１６０に出力されたデータはマルチプレクサ１６１に供給される。マルチプレクサ１６１は、バス１６０を介して第１、第２及び第３キャッシュ１４６、１４７及び１４８から供給されるデータを、記録タイミング制御回路１６７からの制御信号に基いて、１系統で出力する。マルチプレクサ１６１の出力はバッファ１６２に供給される。バッファ１６２はマルチプレクサ１６１の出力を、記録タイミング制御回路１６７からの制御信号に基いて記憶し、記憶したデータを、記録タイミング制御回路１６７からの制御信号に基いて出力する。
【０１９９】
このバッファ１６２の出力は、デマルチプレクサ１６３に供給される。デマルチプレクサ１６３は、バッファ１６２の出力を分割して３系統で出力する。デマルチプレクサ１６３の３つの出力は、夫々出力回路１６４、１６５及び１６６に供給されて出力処理される。これら出力回路１６４、１６５及び１６６で出力処理されたデータは出力端子１２５、１２６及び１２７から出力され、図１に示した記録機２４に供給される。尚、この例では、記録機２４が、通常の記録速度の３倍の記録速度で、データを記録することができる場合としているので、出力は３系統となる。
【０２００】
尚、図１１に示す出力端子１２５、１２６及び１２７を図２に示した高速記録再生ＶＴＲの時間軸伸長回路５６−１、５６−２、・・・・５６−ｎの入力端に接続すれば良い。ところで、図１１においては、３つの出力端子１２５、１２６及び１２７を用いた場合を示しているが、図２に示した高速記録再生ＶＴＲの入力をｎチャンネル、図１１に示す出力をｎチャンネルとし、図１に示したシステムコントローラ３３の制御に応じて、マルチプレクサ１６１及びデマルチプレクサ１６３が夫々使用チャンネルに対応した動作を行うようにできる。
【０２０１】
Ｍ．図９のディスクアレイコントローラ１３８の内部構成及びその動作の説明（図１２参照）
【０２０２】
図１２は図９に示したディスクアレイコントローラ１３８の内部構成を示す構成図である。この図において、図９と対応する部分には同一符号を付し、その詳細説明を省略する。
【０２０３】
図において、１７１は制御部で、この制御部１７１は、バス１７０を介して、後述するスイッチＳ１、Ｓ２、・・・・Ｓ８、Ｓ１１、Ｓ１２、・・・・Ｓ１８、Ｓ２１、Ｓ２２、・・・・Ｓ２８、１７２、１７４、１７６、１７８、１８０、１８２、１８４及び１８６に、スイッチング制御信号を供給し、これらの切り換えを制御する。そして、この制御部１７１は、バス１５０を介して、図９に示した入出力制御部１３０や図１１に示した記録タイミング制御回路１６７に制御信号を供給してこれらの制御を行う。
【０２０４】
また、この制御部１７１は、後述するバス１７０を介して、後述するバッファＢＦ１〜ＢＦ８、ＢＦ１１〜ＢＦ１８、ＢＦ２１〜ＢＦ２８に書き込み／読み出し信号を供給すると共に、後述するスイッチＳ１〜Ｓ８、Ｓ１１〜Ｓ１８、Ｓ２１〜Ｓ２８並びにスイッチ１７２、１７４、１７６、１７８、１８０、１８２、１８４及び１８６に夫々スイッチング制御信号を供給する。
【０２０５】
また、制御部１７１は、ディスクドライブ２２、２３、３０、３１、３４、３５、４２及び４３の各ディスクＤＩＳＣ１、ＤＩＳＣ２、・・・・ＤＩＳＣ８のどのアドレスからどの素材が記録されているかを示すテーブルを有する。つまり、ディスクＤＩＳＣ１〜ＤＩＳＣ８に再生機２１から、或いは外部からの素材データを、例えば３フレーム分ずつ巡回して記録した後に、この素材に続けて再生機２１から、或いは外部からの別の素材データを、例えば３フレームずつ巡回して記録する場合、最初に記録した素材の最後のアドレス（或いはディスク番号とそのアドレス）が記憶されていないと、次に続けて素材データを記録することができない。また、次に続けて素材データを記録した場合に、その素材データを再生することができない。
【０２０６】
従って、本例においては、少なくとも素材単位（或いは記録開始して記録停止するまでの単位）の開始アドレスと、終了アドレスからなる、または開始アドレスと素材単位容量からなるテーブルと、各素材を関連づけるテーブルを、素材の記録時に制御部１７１において生成するようにする。従って、ディスクＤＩＳＣ１〜ＤＩＳＣ８の各先頭アドレスから夫々所定長だけ素材１が記録されている場合に、その素材１に続けて素材２を、ディスクＤＩＳＣ１〜ＤＩＳＣ８の各素材１の最後の部分の次のアドレスから所定長だけ記録することができると共に、素材１、素材２の順に再生を行わなくとも、最初から素材２を再生することができる。
【０２０７】
ここで接続の説明を行う。スイッチＳ１、Ｓ２、・・・・Ｓ８の一方の接点を互いに接続すると共に、スイッチＳ８の一方の接点を第１キャッシュ１４６の入力端に接続する。そして、スイッチＳ１の他方の接点をバッファＢＦ１を介してスイッチ１７２の固定接点ａに接続し、スイッチＳ２の他方の接点をバッファＢＦ２を介してスイッチ１７４の固定接点ａに接続し、スイッチＳ３の他方の接点をバッファＢＦ３を介してスイッチ１７６の固定接点ａに接続し、スイッチＳ４の他方の接点をバッファＢＦ４を介してスイッチ１７８の固定接点ａに接続し、スイッチＳ５の他方の接点をバッファＢＦ５を介してスイッチ１８０の固定接点ａに接続し、スイッチＳ６の他方の接点をバッファＢＦ６を介してスイッチ１８２の固定接点ａに接続し、スイッチＳ７の他方の接点をバッファＢＦ７を介してスイッチ１８４の固定接点ａに接続し、スイッチＳ８の他方の接点をバッファＢＦ８を介してスイッチ１８６の固定接点ａに接続する。
【０２０８】
つまり、第１キャッシュ１４６に接続されている系は、図１に示したディスクドライブ２２、２３、３０、３１、３４、３５、４２及び４３に夫々セットされているディスクからデータを読み出す場合においては、スイッチ１７２、１７４、１７６、１７８、１８０、１８２、１８４及び１８６の各接点ａを介して供給されるデータを、夫々バッファＢＦ１、ＢＦ２、・・・・ＢＦ８並びにスイッチＳ１、Ｓ２、・・・・Ｓ８を介して第１キャッシュ１４６に供給する。
【０２０９】
そして、第１キャッシュ１４６が記憶しているデータを、図１に示したディスクドライブ２２、２３、３０、３１、３４、３５、４２及び４３に夫々セットされているディスクに記録する場合においては、第１キャッシュ１４６からのデータを、スイッチＳ１、Ｓ２、・・・・Ｓ８、バッファＢＦ１、ＢＦ２、・・・・ＢＦ８並びにスイッチ１７２、１７４、１７６、１７８、１８０、１８２、１８４及び１８６の各接点ａを介して、図１に示したディスクドライブ２２、２３、３０、３１、３４、３５、４２及び４３に夫々供給する。
【０２１０】
また、スイッチＳ１１、Ｓ１２、・・・・Ｓ１８の一方の接点を互いに接続すると共に、スイッチＳ１８の一方の接点を第２キャッシュ１４７の入力端に接続する。そして、スイッチＳ１１の他方の接点をバッファＢＦ１１を介してスイッチ１７２の固定接点ｂに接続し、スイッチＳ１２の他方の接点をバッファＢＦ１２を介してスイッチ１７４の固定接点ｂに接続し、スイッチＳ１３の他方の接点をバッファＢＦ１３を介してスイッチ１７６の固定接点ｂに接続し、スイッチＳ１４の他方の接点をバッファＢＦ１４を介してスイッチ１７８の固定接点ｂに接続し、スイッチＳ１５の他方の接点をバッファＢＦ１５を介してスイッチ１８０の固定接点ｂに接続し、スイッチＳ１６の他方の接点をバッファＢＦ１６を介してスイッチ１８２の固定接点ｂに接続し、スイッチＳ１７の他方の接点をバッファＢＦ１７を介してスイッチ１８４の固定接点ｂに接続し、スイッチＳ１８の他方の接点をバッファＢＦ１８を介してスイッチ１８６の固定接点ｂに接続する。
【０２１１】
つまり、第２キャッシュ１４７に接続されている系は、図１に示したディスクドライブ２２、２３、３０、３１、３４、３５、４２及び４３に夫々セットされているディスクからデータを読み出す場合においては、スイッチ１７２、１７４、１７６、１７８、１８０、１８２、１８４及び１８６の各接点ｂを介して供給されるデータを、夫々バッファＢＦ１１、ＢＦ１２、・・・・ＢＦ１８並びにスイッチＳ１１、Ｓ１２、・・・・Ｓ１８を介して第２キャッシュ１４７に供給する。
【０２１２】
そして、第２キャッシュ１４７が記憶しているデータを、図１に示したディスクドライブ２２、２３、３０、３１、３４、３５、４２及び４３に夫々セットされているディスクに記録する場合においては、第２キャッシュ１４７からのデータを、スイッチＳ１１、Ｓ１２、・・・・Ｓ１８、バッファＢＦ１１、ＢＦ１２、・・・・ＢＦ１８並びにスイッチ１７２、１７４、１７６、１７８、１８０、１８２、１８４及び１８６の各接点ｂを介して、図１に示したディスクドライブ２２、２３、３０、３１、３４、３５、４２及び４３に夫々供給する。
【０２１３】
また、スイッチＳ２１、Ｓ２２、・・・・Ｓ２８の一方の接点を互いに接続すると共に、スイッチＳ２８の一方の接点を第３キャッシュ１４８の入力端に接続する。そして、スイッチＳ２１の他方の接点をバッファＢＦ２１を介してスイッチ１７２の固定接点ｃに接続し、スイッチＳ２２の他方の接点をバッファＢＦ２２を介してスイッチ１７４の固定接点ｃに接続し、スイッチＳ２３の他方の接点をバッファＢＦ２３を介してスイッチ１７６の固定接点ｃに接続し、スイッチＳ２４の他方の接点をバッファＢＦ２４を介してスイッチ１７８の固定接点ｃに接続し、スイッチＳ２５の他方の接点をバッファＢＦ２５を介してスイッチ１８０の固定接点ｃに接続し、スイッチＳ２６の他方の接点をバッファＢＦ２６を介してスイッチ１８２の固定接点ｃに接続し、スイッチＳ２７の他方の接点をバッファＢＦ２７を介してスイッチ１８４の固定接点ｃに接続し、スイッチＳ２８の他方の接点をバッファＢＦ２８を介してスイッチ１８６の固定接点ｃに接続する。
【０２１４】
つまり、第３キャッシュ１４８に接続されている系は、図１に示したディスクドライブ２２、２３、３０、３１、３４、３５、４２及び４３に夫々セットされているディスクからデータを読み出す場合においては、スイッチ１７２、１７４、１７６、１７８、１８０、１８２、１８４及び１８６の各接点ｃを介して供給されるデータを、夫々バッファＢＦ２１、ＢＦ２２、・・・・ＢＦ２８並びにスイッチＳ２１、Ｓ２２、・・・・Ｓ２８を介して第３キャッシュ１４８に供給する。
【０２１５】
そして、第３キャッシュ１４８が記憶しているデータを、図１に示したディスクドライブ２２、２３、３０、３１、３４、３５、４２及び４３に夫々セットされているディスクに記録する場合においては、第３キャッシュ１４８からのデータを、スイッチＳ２１、Ｓ２２、・・・・Ｓ２８、バッファＢＦ２１、ＢＦ２２、・・・・ＢＦ２８並びにスイッチ１７２、１７４、１７６、１７８、１８０、１８２、１８４及び１８６の各接点ｃを介して、図１に示したディスクドライブ２２、２３、３０、３１、３４、３５、４２及び４３に夫々供給する。
【０２１６】
尚、上述の例においては、スイッチＳ１〜Ｓ８をスイッチング制御信号で切り換えることによって、第１キャッシュ１４６を、バッファＢＦ１〜ＢＦ８並びにスイッチ１７２、１７４、１７６、１７８、１８０、１８２、１８４及び１８６を介してディスクドライブ２２、２３、３０、３１、３４、３５、４２及び４３に接続し、スイッチＳ１１〜Ｓ１８をスイッチング制御信号で切り換えることによって、第２キャッシュ１４７を、バッファＢＦ１１〜ＢＦ１８並びにスイッチ１７２、１７４、１７６、１７８、１８０、１８２、１８４及び１８６を介して、ディスクドライブ２２、２３、３０、３１、３４、３５、４２及び４３に接続し、スイッチＳ２１〜Ｓ２８をスイッチング制御信号で切り換えることによって、第３キャッシュ１４８を、バッファＢＦ２１〜ＢＦ２８並びにスイッチ１７２、１７４、１７６、１７８、１８０、１８２、１８４及び１８６を介して、ディスクドライブ２２、２３、３０、３１、３４、３５、４２及び４３に接続するようにしている。
【０２１７】
しかしながら、制御部１７１からバッファＢＦ１〜ＢＦ８、ＢＦ１１〜ＢＦ１８、ＢＦ２１〜ＢＦ２８を、リード／ライト信号によって制御したり、或いはアウトプットコントロール信号やチップイネーブル信号を用いて制御したりすることによって、スイッチＳ１〜Ｓ８、Ｓ１１〜Ｓ１８、Ｓ２１〜Ｓ２８を用いなくても済ませることができる。
【０２１８】
好ましくは、制御部１７１からバッファＢＦ１〜ＢＦ８に供給するリード／ライト信号を同一の信号にし、バッファＢＦ１１〜ＢＦ１８に供給するリード／ライト信号を同一の信号にし、バッファＢＦ２１〜ＢＦ２８に供給するリード／ライト信号を同一の信号にし、バッファＢＦ１〜ＢＦ８、ＢＦ１１〜ＢＦ１８、ＢＦ２１〜ＢＦ２８に夫々供給するチップイネーブル信号とアウトプットイネーブル信号をインアクティブ、アクティブに切り換えるようにすれば良い。
【０２１９】
Ｎ．３倍速再生時のキャッシュへのフレームデータ転送動作の説明（図１３、図１４、図１５及び図１６参照）
【０２２０】
次に、図１３〜図１６を順次参照して、図１に示した再生機２１を３倍速で再生させた場合にキャッシュにフレームデータを転送する動作について図１及び図１０をも参照して説明する。
【０２２１】
先ず、図１３から説明する。図１３においてＳｙは図１に示したシステムコントローラ３３から図１０に示したバス１２４を介して再生タイミング制御回路１４９に供給される再生タイミング同期信号、ＰＬ１は１つ目の再生出力、ＰＬ２は２つ目の再生出力、ＰＬ３は３つ目の再生出力、Ｍｏｕｔは図１０に示したマルチプレクサ１４３の出力、Ｍｄは図１０に示したマルチプレクサ１４３の出力の内容、ＤＭｉｎは図１０に示したデマルチプレクサ１４５の入力である。
【０２２２】
図１に示した再生機２１から再生された通常の転送速度の３倍の転送速度の再生データＰＬ１、ＰＬ２及びＰＬ３は、夫々再生タイミング同期信号Ｓｙに同期している。ここで、再生データＰＬ１は、１つのフレームが１２トラックで構成されている場合に、トラックＴｒ１、Ｔｒ３、Ｔｒ７及びＴｒ１０のデータだけとなり、再生データＰＬ２は、トラックＴｒ２、Ｔｒ５、Ｔｒ８及びＴｒ１１のデータだけとなり、トラックＴｒ３、Ｔｒ６、Ｔｒ９及びＴｒ１２のデータだけとなる。
【０２２３】
また、これらの再生データＰＬ１、ＰＬ２及びＰＬ３は、通常の転送速度での１フレーム期間（例えば４０ｍｓｅｃ）で夫々１２トラック分のデータ量となる。従って、３系統の再生データＰＬ１、ＰＬ２及びＰＬ３が並列に出力されるので、通常の転送速度での１フレーム期間においては、合計で３６トラック分の再生データが出力されることになり、結果として、通常の転送速度の３倍の転送速度で再生データが夫々転送されることになる。
【０２２４】
図１０に示したマルチプレクサ１４３はこれらの再生データＰＬ１、ＰＬ２及びＰＬ３の各トラック構成データをトラックＴｒ１、Ｔｒ２、・・・・Ｔｒ１１、Ｔｒ１２の順に、つまり、１系統にして出力する。このマルチプレクサ１４３の出力Ｍｏｕｔは、通常の転送速度での１フレーム期間の１／３の期間で、１フレーム分のデータ量となっている。
【０２２５】
つまり、マルチプレクサ１４３の出力Ｍｏｕｔのデータの内容Ｍｄから分かるように、通常の転送速度での１フレームの１／３の期間のデータは、トラックＴｒ１、Ｔｒ２、・・・・Ｔｒ１１及びＴｒ１２の１フレーム分のデータで構成されている。このマルチプレクサ１４３の出力Ｍｏｕｔは、バッファ１４４に供給されて一旦このバッファ１４４に格納される。再生タイミング制御回路１４９からの制御信号によってバッファ１４４から読み出されたデータＤＭｉｎはデマルチプレクサ１４５に供給される。図においては、デマルチプレクサ１４５に供給されるデータＤＭｉｎを、フレーム毎に区切って示している。この図においては、マルチプレクサ１４３の出力ＭｄのトラックＴｒ１、Ｔｒ２、・・・・Ｔｒ１１、Ｔｒ１２のデータがデマルチプレクサ１４５の入力ＤＭｉｎのフレームＦｒ５に対応していることを示している。
【０２２６】
デマルチプレクサ１４５が図に示すデータＤＭｉｎを例えば３フレーム単位で第１、第２及び第３キャッシュ１４６、１４７及び１４８に夫々振り分ける。図１４に示す、第１キャッシュ１４６に振り分けられるデータＣｄ１、第２キャッシュ１４７に振り分けられるデータＣｄ２、第３キャッシュ１４８に振り分けられるデータＣｄ３を見ると分かるように、先ず、第１キャッシュ１４６にフレームＦｒ３、Ｆｒ４及びＦｒ５のデータを振り分けると、次は、第２キャッシュ１４７にフレームＦｒ６、Ｆｒ７及びＦｒ８のデータを振り分け、次は、第３キャッシュ１４８にフレームＦｒ９、Ｆｒ１０及びＦｒ１１のデータを振り分け、次に、再び第１キャッシュ１４６にフレームＦｒ１２、Ｆｒ１３及びＦｒ１４のデータを振り分け、次に、第２キャッシュ１４７にフレームＦｒ１５、Ｆｒ１６及びＦｒ１７のデータを振り分け、・・・・ている。
【０２２７】
図１５は図１に示した再生機２１の転送速度が通常の転送速度の２倍の転送速度の場合のキャッシュ内のフレームデータの配列を示す説明図である。つまり、再生機２１の転送速度を通常の転送速度の２倍の転送速度にした場合には、第１及び第２キャッシュ１４６及び１４７を使用する。
【０２２８】
この場合は、再生機２１の転送速度を通常の転送速度の３倍の転送速度にした場合と同様に、図１０に示したデマルチプレクサ１４５は、バッファ１４４から読み出されたデータを３フレーム毎に第１または第２キャッシュ１４６または１４７に振り分ける。つまり、図１５に示す、第１キャッシュ１４６に振り分けられるデータＣｄ１、第２キャッシュ１４７に振り分けられるデータＣｄ２を見ると分かるように、先ず、第１キャッシュ１４６にフレームＦｒ３、Ｆｒ４及びＦｒ５のデータを振り分けると、次は、第２キャッシュ１４７にフレームＦｒ６、Ｆｒ７及びＦｒ８のデータを振り分け、次は、再び第２キャッシュ１４６にフレームＦｒ９、Ｆｒ１０及びＦｒ１１のデータを振り分け、・・・・ている。
【０２２９】
図１６は図１に示した再生機２１の転送速度が通常の転送速度の１倍の転送速度の場合のキャッシュ内のフレームデータの配列を示す説明図である。つまり、再生機２１の転送速度を通常の転送速度の１倍の転送速度にした場合には、第１キャッシュ１４６だけを使用する。
【０２３０】
この場合は、図１０に示したデマルチプレクサ１４５は、バッファ１４４から読み出されたデータを第１キャッシュ１４６に単純に供給ける。つまり、図１６に示す、第１キャッシュ１４６に振り分けられるデータＣｄ１見ると分かるように、第１キャッシュ１４６にフレームＦｒ３、Ｆｒ４、Ｆｒ５、Ｆｒ６、Ｆｒ７、・・・・のデータを振り分けている。
【０２３１】
Ｏ．３倍速再生時におけるディスクアレイコントローラの動作の説明（図１７参照）
【０２３２】
図１７は図１２に示したディスクアレイコントローラ１３８と、このディスクアレイコントローラ１３８に接続するディスクドライブ２２、２３、３０、３１、３４、３５、４２及び４３に夫々セットされるディスクＤＩＳＣ１、ＤＩＳＣ２、・・・・ＤＩＳＣ８を示し、どのようにしてフレームデータがディスクＤＩＳＣ１、ＤＩＳＣ２、・・・・ＤＩＳＣ８に記録されるかを示している。また、この図においては、フレームＦｒ３、Ｆｒ４、・・・・Ｆｒ２６のデータについてのみ示している。
【０２３３】
図１４を用いて説明したように、第１キャッシュ１４６には、フレームＦｒ３、Ｆｒ４及びＦｒ５、フレームＦｒ１２、Ｆｒ１３及びＦｒ１４、・・・・、第２キャッシュ１４７には、フレームＦｒ６、Ｆｒ７及びＦｒ８、フレームＦｒ１５、Ｆｒ１６及びＦｒ１７、・・・・、第３キャッシュ１４８には、フレームＦｒ９、Ｆｒ１０及びＦｒ１１、フレームＦｒ１８、Ｆｒ１９及びＦｒ２０、・・・・のように、順次、３フレームずつデータが供給される。
【０２３４】
図１２に示したディスクアレイコントローラ１３８の内部構成から分かるように、スイッチ１７２、１７４、１７６、１７８、１８０、１８２、１８４及び１８６は、第１キャッシュ１４６からバッファＢＦ１、ＢＦ２、・・・・ＢＦ８を介して供給される１フレーム分のデータ、第２キャッシュ１４７からバッファＢＦ１１、ＢＦ１２、・・・・ＢＦ１８を介して供給される１フレーム分のデータ、第３キャッシュ１４８からバッファＢＦ２１、ＢＦ２２、・・・・ＢＦ２８を介して供給される１フレーム分のデータを順次切り換える。
【０２３５】
従って、例えば第１キャッシュ１４６に、フレームＦｒ３、Ｆｒ４及びＦｒ５のデータ、フレームＦｒ１２、Ｆｒ１３及びＦｒ１４のデータ、フレームＦｒ２１、Ｆｒ２２及びＦｒ２３のデータが記憶され、第２キャッシュ１４７に、フレームＦｒ６、Ｆｒ７及びＦｒ８のデータ、フレームＦｒ１５、Ｆｒ１６及びＦｒ１７のデータ、フレームＦｒ２４、Ｆｒ２５及びＦｒ２６のデータが記憶され、第３キャッシュ１４８に、フレームＦｒ９、Ｆｒ１０及びＦｒ１１のデータ、フレームＦｒ１８、Ｆｒ１９及びＦｒ２０のデータが記憶される場合は次のようになる。
【０２３６】
即ち、第１キャッシュ１４６からフレームＦｒ３、Ｆｒ４及びＦｒ５の順序でデータが読み出される。このとき、スイッチＳ１は、制御部１７１からバス１７０を介して供給されるスイッチング制御信号によってオンにされる。また、スイッチ１７２の可動接点ｄが、制御部１７１からバス１７０を介して供給されるスイッチング制御信号によって固定接点ａに接続される。従って、この場合は、第１キャッシュ１４６から読み出されたフレームＦｒ３、Ｆｒ４及びＦｒ５のデータが、バッファＢＦ１、スイッチ１７２及び入出力端子１７３を介してディスクドライブ２２に供給され、このディスクドライブ２２にセットされているディスクＤＩＳＣ１の先頭のエリア（図１７において斜線で示す）に記録される。
【０２３７】
そして、同時に第２キャッシュ１４７からフレームＦｒ６、Ｆｒ７及びＦｒ８の順序でデータが読み出される。このとき、スイッチＳ１２は、制御部１７１からバス１７０を介して供給されるスイッチング制御信号によってオンにされる。また、スイッチ１７４の可動接点ｄが、制御部１７１からバス１７０を介して供給されるスイッチング制御信号によって固定接点ｂに接続される。従って、この場合は、第２キャッシュ１４７から読み出されたフレームＦｒ６、Ｆｒ７及びＦｒ８のデータが、バッファＢＦ１２、スイッチ１７４及び入出力端子１７５を介してディスクドライブ２３に供給され、このディスクドライブ２３にセットされているディスクＤＩＳＣ２の先頭のエリア（図１７において斜線で示す）に記録される。
【０２３８】
そして、同時に第３キャッシュ１４８からフレームＦｒ９、Ｆｒ１０及びＦｒ１１の順序でデータが読み出される。このとき、スイッチＳ２３は、制御部１７１からバス１７０を介して供給されるスイッチング制御信号によってオンにされる。また、スイッチ１７６の可動接点ｄが、制御部１７１からバス１７０を介して供給されるスイッチング制御信号によって固定接点ｃに接続される。従って、この場合は、第３キャッシュ１４８から読み出されたフレームＦｒ９、Ｆｒ１０及びＦｒ１１のデータが、バッファＢＦ２３、スイッチ１７６及び入出力端子１７７を介してディスクドライブ３０にセットされているディスクＤＩＳＣ３の先頭のエリア（図１７において斜線で示す）に記録される。
【０２３９】
次に、第１キャッシュ１４６からフレームＦｒ１２、Ｆｒ１３及びＦｒ１４の順序でデータが読み出される。このとき、スイッチＳ４は、制御部１７１からバス１７０を介して供給されるスイッチング制御信号によってオンにされる。また、スイッチ１７８の可動接点ｄが、制御部１７１からバス１７０を介して供給されるスイッチング制御信号によって固定接点ａに接続される。従って、この場合は、第１キャッシュ１４６から読み出されたフレームＦｒ１２、Ｆｒ１３及びＦｒ１４のデータが、バッファＢＦ４、スイッチ１７８及び入出力端子１７９を介してディスクドライブ３１に供給され、このディスクドライブ３１にセットされているディスクＤＩＳＣ４の先頭のエリア（図１７において斜線で示す）に記録される。
【０２４０】
そして、同時に第２キャッシュ１４７からフレームＦｒ１５、Ｆｒ１６及びＦｒ１７の順序でデータが読み出される。このとき、スイッチＳ１５は、制御部１７１からバス１７０を介して供給されるスイッチング制御信号によってオンにされる。また、スイッチ１８０の可動接点ｄが、制御部１７１からバス１７０を介して供給されるスイッチング制御信号によって固定接点ｂに接続される。従って、この場合は、第２キャッシュ１４７から読み出されたフレームＦｒ１５、Ｆｒ１６及びＦｒ１７のデータが、バッファＢＦ１５、スイッチ１８０及び入出力端子１８１を介してディスクドライブ３４に供給され、このディスクドライブ３４にセットされているディスクＤＩＳＣ５の先頭のエリア（図１７において斜線で示す）に記録される。
【０２４１】
そして、同時に第３キャッシュ１４８からフレームＦｒ１８、Ｆｒ１９及びＦｒ２０の順序でデータが読み出される。このとき、スイッチＳ２６は、制御部１７１からバス１７０を介して供給されるスイッチング制御信号によってオンにされる。また、スイッチ１８２の可動接点ｄが、制御部１７１からバス１７０を介して供給されるスイッチング制御信号によって固定接点ｃに接続される。従って、この場合は、第３キャッシュ１４８から読み出されたフレームＦｒ１８、Ｆｒ１９及びＦｒ２０のデータが、バッファＢＦ２６、スイッチ１８２及び入出力端子１８３を介してディスクドライブ３５にセットされているディスクＤＩＳＣ６の先頭のエリア（図１７において斜線で示す）に記録される。
【０２４２】
次に、第１キャッシュ１４６からフレームＦｒ２１、Ｆｒ２２及びＦｒ２３の順序でデータが読み出される。このとき、スイッチＳ７は、制御部１７１からバス１７０を介して供給されるスイッチング制御信号によってオンにされる。また、スイッチ１８４の可動接点ｄが、制御部１７１からバス１７０を介して供給されるスイッチング制御信号によって固定接点ａに接続される。従って、この場合は、第１キャッシュ１４６から読み出されたフレームＦｒ２１、Ｆｒ２２及びＦｒ２３のデータが、バッファＢＦ７、スイッチ１８４及び入出力端子１８５を介してディスクドライブ４２に供給され、このディスクドライブ４２にセットされているディスクＤＩＳＣ７の先頭のエリア（図１７において斜線で示す）に記録される。
【０２４３】
そして、同時に第２キャッシュ１４７からフレームＦｒ２４、Ｆｒ２５及びＦｒ２６の順序でデータが読み出される。このとき、スイッチＳ１８は、制御部１７１からバス１７０を介して供給されるスイッチング制御信号によってオンにされる。また、スイッチ１８６の可動接点ｄが、制御部１７１からバス１７０を介して供給されるスイッチング制御信号によって固定接点ｂに接続される。従って、この場合は、第２キャッシュ１４７から読み出されたフレームＦｒ２４、Ｆｒ２５及びＦｒ２６のデータが、バッファＢＦ１８、スイッチ１８６及び入出力端子１８７を介してディスクドライブ４３に供給され、このディスクドライブ４３にセットされているディスクＤＩＳＣ８の先頭のエリア（図１７において斜線で示す）に記録される。
【０２４４】
そして、以下同様にして順次第１、第２、第３キャッシュ１４６、１４７、１４８の３フレーム分のデータがディスクドライブ２２、２３、３０、３１、３４、３５、４２及び４３の各ディスクＤＩＳＣ１、ＤＩＳＣ２、・・・・ＤＩＳＣ８に記録される。
【０２４５】
Ｐ．図９のディスクアレイコントローラと図１のディスクドライブ２２、２３、３０、３１、３４、３５、４２及び４３との間のデータ転送タイミング（図１８及び図１９参照）
【０２４６】
次に、図１８及び図１９を順次参照して、図１に示した再生機２１の転送速度が通常の転送速度の３倍の場合に、第１、第２及び第３キャッシュから図１２に示した各バッファにデータを転送するタイミングについて説明する。この図１８及び図１９に示す転送タイミングは、図１３及び図１４に示した例と同じ場合である。
【０２４７】
尚、再生機２１にセットされているビデオ・テープ・カセットの磁気テープ上記録信号の内のどの信号からディスクＤＩＳＣ１に記録し始めるかの指定は、再生機２１を通常の再生速度で再生し、その再生信号を、データコントローラ２０及び記録モニタ出力部４４を介してテレビジョンモニタに供給し、オペレータがテレビジョンモニタに映出されている映像を見ながら、イン点したいときに、操作パネル３３ｄ、或いは、コネクタ３３ａ、３３ｂ、３３ｃに接続する編集機等のキーを押圧し、イン点データ（使用開始時点を示すタイムコード）をシステムコントローラ３３のメモリ等に指定することで行う。
【０２４８】
勿論、テレビジョンモニタ、或いは、操作パネル３３ｄに表示されるタイムコードをメモし、操作パネル３３ｄのテンキー等を介して、システムコントローラ３３に、メモしたタイムコードを直接入力するようにしても良い。
【０２４９】
また、イン点を指定した後に、再生機２１が自動的に所定プリロール期間だけリワインドし、その位置から再生状態になると共に、イン点に対応する再生信号から順にディスクＤＩＳＣ１、ＤＩＳＣ２、・・・・ＤＩＳＣ８に記録する場合は、システムコントローラ３３は、イン点となったときに、データコントローラ２０における転送サイクルの期間が期間ｔ０となるように、データコントローラ２０を制御する。
【０２５０】
図１８及び図１９において、ｔ０〜ｔ７は夫々転送期間を示し、ＣＡＣＨ１〜ＣＡＣＨ３は第１、第２及び第３キャッシュ１４６、１４７及び１４８を夫々示し、ＳＷ１、ＳＷ２及びＳＷ３は図１２に示したスイッチＳ１〜Ｓ８、Ｓ１１〜Ｓ１８及びＳ２１〜Ｓ２８のスイッチング制御信号を夫々示し、ＤＩＳＣ１〜ＤＩＳＣ８は図１７に示したディスクドライブ２２、２３、３０、３１、３４、３５、４２、４３にセットされている各ディスクを示し、ＤＳＷ１〜ＤＳＷ８は図１２に示したスイッチ１７２、１７４、１７６、１７８、１８０、１８２、１８４及び１８６のスイッチング制御信号を夫々示す。また、実線の矢印で示す書き込み期間Ｗｔは記録可能期間を示す。
【０２５１】
先ず、転送期間ｔ０においては、図１２に示した制御部１７１からバス１７０を介して供給されるスイッチング制御信号ＳＷ１によってスイッチＳ１がオンになり、これによって、第１キャッシュ１４６からバッファＢＦ１にフレームＦｒ３、Ｆｒ４及びＦｒ５のデータが転送される。そして、同時に制御部１７１からバス１７０を介して供給されるスイッチング制御信号ＳＷ２によってスイッチＳ１２がオンになり、これによって、第２キャッシュ１４７からバッファＢＦ１２にフレームＦｒ６、Ｆｒ７及びＦｒ８のデータが転送される。そして、同時に制御部１７１からバス１７０を介して供給されるスイッチング制御信号ＳＷ３によってスイッチＳ２３がオンになり、これによって、第３キャッシュ１４８からバッファＢＦ２３にフレームＦｒ９、Ｆｒ１０及びＦｒ１１のデータが転送される。
【０２５２】
このとき、実線の矢印で示す書き込み期間Ｗｔにおいては、制御部１７１からバス１７０を介して供給されるスイッチング制御信号ＤＳＷ６によって、スイッチ１８２の可動接点ｄが固定接点ａに接続されているので、バッファＢＦ６及びディスクＤＩＳＣ６間はデータ転送可能となる。また、制御部１７１からバス１７０を介して供給されるスイッチング制御信号ＤＳＷ７によって、スイッチ１８４の可動接点ｄが固定接点ｂに接続されているので、バッファＢＦ１７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ｃに接続されているので、バッファＢＦ２８及びディスクＤＩＳＣ８間はデータ転送可能となる。
【０２５３】
しかしながら、最初のサイクルの転送期間ｔ０の先頭から始まる書き込み期間Ｗｔでは、まだバッファＢＦ６、バッファＢＦ１７及びバッファＢＦ２８にはデータは記憶されていないので、ディスクＤＩＳＣ６、ディスクＤＩＳＫ７及びディスクＤＩＳＣ８に対するデータの書き込みは行われない。
【０２５４】
２番目以降のサイクルの転送期間ｔ０の書き込み期間Ｗｔからは、前の転送期間ｔ７において各バッファＢＦ６、ＢＦ１７、ＢＦ２８に転送されたデータをディスクＤＩＳＣ６、ＤＩＣ７及びＤＩＳＣ８に夫々記録することができる。
【０２５５】
転送期間ｔ１においては、図１２に示した制御部１７１からバス１７０を介して供給されるスイッチング制御信号ＳＷ１によってスイッチＳ４がオンになり、これによって、第１キャッシュ１４６からバッファＢＦ４にフレームＦｒ１２、Ｆｒ１３及びＦｒ１４のデータが転送される。そして、同時に制御部１７１からバス１７０を介して供給されるスイッチング制御信号ＳＷ２によってスイッチＳ１５がオンになり、これによって、第２キャッシュ１４７からバッファＢＦ１５にフレームＦｒ１５、Ｆｒ１６及びＦｒ１７のデータが転送される。そして、同時に制御部１７１からバス１７０を介して供給されるスイッチング制御信号ＳＷ３によってスイッチＳ２６がオンになり、これによって、第３キャッシュ１４８からバッファＢＦ２６にフレームＦｒ１８、Ｆｒ１９及びＦｒ２０のデータが転送される。
【０２５６】
このとき、実線の矢印で示す書き込み期間Ｗｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ１２及びディスクＤＩＳＣ２間はデータ転送可能となる。また、制御部１７１からバス１７０を介して供給されるスイッチング制御信号ＤＳＷ３によって、スイッチ１７６の可動接点ｄが固定接点ｃに接続されるので、バッファＢＦ２３及びディスクＤＩＳＣ３間はデータ転送可能となる。
【０２５７】
従って、この書き込み期間Ｗｔにおいては、前の転送期間ｔ０においてバッファＢＦ１に転送されたフレームＦｒ３、Ｆｒ４及びＦｒ５のデータが、ディスクＤＩＳＣ１に記録され、前の転送期間ｔ０においてバッファＢＦ１２に転送されたフレームＦｒ６、Ｆｒ７及びＦｒ８のデータが、ディスクＤＩＳＣ２に記録され、前の転送期間ｔ０においてバッファＢＦ２３に転送されたフレームＦｒ９、Ｆｒ１０及びＦｒ１１のデータがディスクＤＩＳＣ３に記録される。
【０２５８】
転送期間ｔ２においては、図１２に示した制御部１７１からバス１７０を介して供給されるスイッチング制御信号ＳＷ１によってスイッチＳ７がオンになり、これによって、第１キャッシュ１４６からバッファＢＦ７にフレームＦｒ２１、Ｆｒ２２及びＦｒ２３のデータが転送される。そして、同時に制御部１７１からバス１７０を介して供給されるスイッチング制御信号ＳＷ２によってスイッチＳ１８がオンになり、これによって、第２キャッシュ１４７からバッファＢＦ１８にフレームＦｒ２４、Ｆｒ２５及びＦｒ２６のデータが転送される。そして、同時に制御部１７１からバス１７０を介して供給されるスイッチング制御信号ＳＷ３によってスイッチＳ２１がオンになり、これによって、第３キャッシュ１４８からバッファＢＦ２１にフレームＦｒ２７、Ｆｒ２８及びＦｒ２９のデータが転送される。
【０２５９】
このとき、書き込み期間Ｗｔにおいては、制御部１７１からバス１７０を介して供給されるスイッチング制御信号ＤＳＷ４によって、スイッチ１７８の可動接点ｄが固定接点ａに接続されるので、バッファＢＦ４及びディスクＤＩＳＣ４間はデータ転送可能となる。また、制御部１７１からバス１７０を介して供給されるスイッチング制御信号ＤＳＷ５によって、スイッチ１８０の可動接点ｄが固定接点ｂに接続されるので、バッファＢＦ１５及びディスクＤＩＳＣ５間はデータ転送可能となる。また、制御部１７１からバス１７０を介して供給されるスイッチング制御信号ＤＳＷ６によって、スイッチ１８２の可動接点ｄが固定接点ｃに接続されるので、バッファＢＦ２６及びディスクＤＩＳＣ６間はデータ転送可能となる。
【０２６０】
従って、この書き込み期間Ｗｔにおいては、前の転送期間ｔ１においてバッファＢＦ４に転送されたフレームＦｒ１２、Ｆｒ１３及びＦｒ１４のデータが、ディスクＤＩＳＣ４に記録され、前の転送期間ｔ１においてバッファＢＦ１５に転送されたフレームＦｒ１５、Ｆｒ１６及びＦｒ１７のデータが、ディスクＤＩＳＣ５に記録され、前の転送期間ｔ１においてバッファＢＦ２６に転送されたフレームＦｒ１８、Ｆｒ１９及びＦｒ２０のデータが、ディスクＤＩＳＣ６に記録される。
【０２６１】
転送期間ｔ３においては、図１２に示した制御部１７１からバス１７０を介して供給されるスイッチング制御信号ＳＷ１によってスイッチＳ２がオンになり、これによって、第１キャッシュ１４６からバッファＢＦ２にフレームＦｒ３０、Ｆｒ３１及びＦｒ３２のデータが転送される。そして、同時に制御部１７１からバス１７０を介して供給されるスイッチング制御信号ＳＷ２によってスイッチＳ１３がオンになり、これによって、第２キャッシュ１４７からバッファＢＦ１３にフレームＦｒ３３、Ｆｒ３４及びＦｒ３５のデータが転送される。そして、同時に制御部１７１からバス１７０を介して供給されるスイッチング制御信号ＳＷ３によってスイッチＳ２４がオンになり、これによって、第３キャッシュ１４８からバッファＢＦ２４にフレームＦｒ３６、Ｆｒ３７及びＦｒ３８のデータが転送される。
【０２６２】
このとき、書き込み期間Ｗｔにおいては、制御部１７１からバス１７０を介して供給されるスイッチング制御信号ＤＳＷ７によって、スイッチ１８４の可動接点ｄが固定接点ａに接続されるので、バッファＢＦ７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ａに接続されるので、バッファＢＦ１８及びディスクＤＩＳＣ８間はデータ転送可能となる。また、制御部１７１からバス１７０を介して供給されるスイッチング制御信号ＤＳＷ１によって、スイッチ１７２の可動接点ｄが固定接点ｃに接続されるので、バッファＢＦ２１及びディスクＤＩＳＣ１間はデータ転送可能となる。
【０２６３】
従って、この書き込み期間Ｗｔにおいては、前の転送期間ｔ２においてバッファＢＦ７に転送されたフレームＦｒ２１、Ｆｒ２２及びＦＲ２３のデータが、ディスクＤＩＳＣ７に記録され、前の転送期間ｔ２においてバッファＢＦ１８に転送されたフレームＦｒ２４、Ｆｒ２５及びＦｒ２６のデータが、ディスクＤＩＳＣ８に記録され、前の転送期間ｔ２においてバッファＢＦ２１に転送されたフレームＦｒ２７、Ｆｒ２８及びＦｒ２９のデータが、ディスクＤＩＳＣ１に記録される。
【０２６４】
転送期間ｔ４においては、図１２に示した制御部１７１からバス１７０を介して供給されるスイッチング制御信号ＳＷ１によってスイッチＳ５がオンになり、これによって、第１キャッシュ１４６からバッファＢＦ５にフレームＦｒ３９、Ｆｒ４０及びＦｒ４１のデータが転送される。そして、同時に制御部１７１からバス１７０を介して供給されるスイッチング制御信号ＳＷ２によってスイッチＳ１６がオンになり、これによって、第２キャッシュ１４７からバッファＢＦ１６にフレームＦｒ４２、Ｆｒ４３及びＦｒ４４のデータが転送される。そして、同時に制御部１７１からバス１７０を介して供給されるスイッチング制御信号ＳＷ３によってスイッチＳ２７がオンになり、これによって、第３キャッシュ１４８からバッファＢＦ２７にフレームＦｒ４５、Ｆｒ４６及びＦｒ４７のデータが転送される。
【０２６５】
このとき、書き込み期間Ｗｔにおいては、制御部１７１からバス１７０を介して供給されるスイッチング制御信号ＤＳＷ２によって、スイッチ１７４の可動接点ｄが固定接点ａに接続されるので、バッファＢＦ２及びディスクＤＩＳＣ２間はデータ転送可能となる。また、制御部１７１からバス１７０を介して供給されるスイッチング制御信号ＤＳＷ３によって、スイッチ１７６の可動接点ｄが固定接点ｂに接続されるので、バッファＢＦ１３及びディスクＤＩＳＣ３間はデータ転送可能となる。また、制御部１７１からバス１７０を介して供給されるスイッチング制御信号ＤＳＷ４によって、スイッチ１７８の可動接点ｄが固定接点ｃに接続されるので、バッファＢＦ２４及びディスクＤＩＳＣ４間はデータ転送可能となる。
【０２６６】
従って、この書き込み期間Ｗｔにおいては、前の転送期間ｔ３においてバッファＢＦ２に転送されたフレームＦｒ３０、Ｆｒ３１及びＦｒ３２のデータが、ディスクＤＩＳＣ２に記録され、前の転送期間ｔ３においてバッファＢＦ１３に転送されたフレームＦｒ３３、Ｆｒ３４及びＦｒ３５のデータが、ディスクＤＩＳＣ３に記録され、前の転送期間ｔ３においてバッファＢＦ２４に転送されたフレームＦｒ３６、Ｆｒ３７及びＦｒ３８のデータが、ディスクＤＩＳＣ４に記録される。
【０２６７】
転送期間ｔ５においては、図１２に示した制御部１７１からバス１７０を介して供給されるスイッチング制御信号ＳＷ１によってスイッチＳ８がオンになり、これによって、第１キャッシュ１４６からバッファＢＦ８にフレームＦｒ４８、Ｆｒ４９及びＦｒ５０のデータが転送される。そして、同時に制御部１７１からバス１７０を介して供給されるスイッチング制御信号ＳＷ２によってスイッチＳ１１がオンになり、これによって、第２キャッシュ１４７からバッファＢＦ１１にフレームＦｒ５１、Ｆｒ５２及びＦｒ５３のデータが転送される。そして、同時に制御部１７１からバス１７０を介して供給されるスイッチング制御信号ＳＷ３によってスイッチＳ２２がオンになり、これによって、第３キャッシュ１４８からバッファＢＦ２２にフレームＦｒ５４、Ｆｒ５５及びＦｒ５６のデータが転送される。
【０２６８】
このとき、書き込み期間Ｗｔにおいては、制御部１７１からバス１７０を介して供給されるスイッチング制御信号ＤＳＷ５によって、スイッチ１８０の可動接点ｄが固定接点ａに接続されるので、バッファＢＦ５及びディスクＤＩＳＣ５間はデータ転送可能となる。また、制御部１７１からバス１７０を介して供給されるスイッチング制御信号ＤＳＷ６によって、スイッチ１８２の可動接点ｄが固定接点ｂに接続されるので、バッファＢＦ１６及びディスクＤＩＳＣ６間はデータ転送可能となる。また、制御部１７１からバス１７０を介して供給されるスイッチング制御信号ＤＳＷ７によって、スイッチ１８４の可動接点ｄが固定接点ｃに接続されるので、バッファＢＦ２７及びディスクＤＩＳＣ７間はデータ転送可能となる。
【０２６９】
従って、この書き込み期間Ｗｔにおいては、前の転送期間ｔ４においてバッファＢＦ５に転送されたフレームＦｒ３９、Ｆｒ４０及びＦｒ４１のデータが、ディスクＤＩＳＣ５に記録され、前の転送期間ｔ４においてバッファＢＦ１６に転送されたフレームＦｒ４２、Ｆｒ４３及びＦｒ４４のデータが、ディスクＤＩＳＣ６に記録され、前の転送期間ｔ４においてバッファＢＦ２７に転送されたフレームＦｒ４５、Ｆｒ４６及びＦｒ４７のデータが、ディスクＤＩＳＣ７に記録される。
【０２７０】
転送期間ｔ６においては、図１２に示した制御部１７１からバス１７０を介して供給されるスイッチング制御信号ＳＷ１によってスイッチＳ３がオンになり、これによって、第１キャッシュ１４６からバッファＢＦ３にフレームＦｒ５７、Ｆｒ５８及びＦｒ５９のデータが転送される。そして、同時に制御部１７１からバス１７０を介して供給されるスイッチング制御信号ＳＷ２によってスイッチＳ１４がオンになり、これによって、第２キャッシュ１４７からバッファＢＦ１４にフレームＦｒ６０、Ｆｒ６１及びＦｒ６２のデータが転送される。そして、同時に制御部１７１からバス１７０を介して供給されるスイッチング制御信号ＳＷ３によってスイッチＳ２５がオンになり、これによって、第３キャッシュ１４８からバッファＢＦ２５にフレームＦｒ６３、Ｆｒ６４及びＦｒ６５のデータが転送される。
【０２７１】
このとき、書き込み期間Ｗｔにおいては、制御部１７１からバス１７０を介して供給されるスイッチング制御信号ＤＳＷ１によって、スイッチ１７２の可動接点ｄが固定接点ａに接続されるので、バッファＢＦ１１及びディスクＤＩＳＣ１間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ２２及びディスクＤＩＳＣ２間はデータ転送可能となる。また、制御部１７１からバス１７０を介して供給されるスイッチング制御信号ＤＳＷ８によって、スイッチ１８６の可動接点ｄが固定接点ｃに接続されので、バッファＢＦ８及びディスクＤＩＳＣ８間はデータ転送可能となる。
【０２７２】
従って、この書き込み期間Ｗｔにおいては、前の転送期間ｔ５においてバッファＢＦ８に転送されたフレームＦｒ４８、Ｆｒ４９及びＦｒ５０のデータが、ディスクＤＩＳＣ８に記録され、前の転送期間ｔ５においてバッファＢＦ１１に転送されたフレームＦｒ５１、Ｆｒ５２及びＦｒ５３のデータが、ディスクＤＩＳＣ１に記録され、前の転送期間ｔ５においてバッファＢＦ２２に転送されたフレームＦｒ５４、Ｆｒ５５及びＦｒ５６のデータが、ディスクＤＩＳＣ２に記録される。
【０２７３】
転送期間ｔ７においては、図１２に示した制御部１７１からバス１７０を介して供給されるスイッチング制御信号ＳＷ１によってスイッチＳ６がオンになり、これによって、第１キャッシュ１４６からバッファＢＦ６にフレームＦｒ６６、Ｆｒ６７及びＦｒ６８のデータが転送される。そして、同時に制御部１７１からバス１７０を介して供給されるスイッチング制御信号ＳＷ２によってスイッチＳ１７がオンになり、これによって、第２キャッシュ１４７からバッファＢＦ１７にフレームＦｒ６９、Ｆｒ７０及びＦｒ７１のデータが転送される。そして、同時に制御部１７１からバス１７０を介して供給されるスイッチング制御信号ＳＷ３によってスイッチＳ２８がオンになり、これによって、第３キャッシュ１４８からバッファＢＦ２８にフレームＦｒ７２、Ｆｒ７３及びＦｒ７４のデータが転送される。
【０２７４】
このとき、書き込み期間Ｗｔにおいては、制御部１７１からバス１７０を介して供給されるスイッチング制御信号ＤＳＷ３によって、スイッチ１７６の可動接点ｄが固定接点ａに接続されるので、バッファＢＦ３及びディスクＤＩＳＣ３間はデータ転送可能となる。また、制御部１７１からバス１７０を介して供給されるスイッチング制御信号ＤＳＷ４によって、スイッチ１７８の可動接点ｄが固定接点ｂに接続されるので、バッファＢＦ１４及びディスクＤＩＳＣ４間はデータ転送可能となる。また、制御部１７１からバス１７０を介して供給されるスイッチング制御信号ＤＳＷ５によって、スイッチ１８０の可動接点ｄが固定接点ｃに接続されるので、バッファＢＦ２５及びディスクＤＩＳＣ５間はデータ転送可能となる。
【０２７５】
従って、この書き込み期間Ｗｔにおいては、前の転送期間ｔ６においてバッファＢＦ３に転送されたフレームＦｒ５７、Ｆｒ５８及びＦｒ５９のデータが、ディスクＤＩＳＣ３に記録され、前の転送期間ｔ６においてバッファＢＦ１４に転送されたフレームＦｒ６０、Ｆｒ６１及びＦｒ６２のデータが、ディスクＤＩＳＣ４に記録され、前の転送期間ｔ６においてバッファＢＦ２５に転送されたフレームＦｒ６３、Ｆｒ６４及びＦｒ６５のデータが、ディスクＤＩＳＣ５に記録される。
【０２７６】
２番目のサイクルの転送期間ｔ０においては、図１２に示した制御部１７１からバス１７０を介して供給されるスイッチング制御信号ＳＷ１によってスイッチＳ１がオンになり、これによって、第１キャッシュ１４６からバッファＢＦ１にフレームＦｒ７５、Ｆｒ７６及びＦｒ７７のデータが転送される。そして、同時に制御部１７１からバス１７０を介して供給されるスイッチング制御信号ＳＷ２によってスイッチＳ１２がオンになり、これによって、第２キャッシュ１４７からバッファＢＦ１２にフレームＦｒ７８、Ｆｒ７９及びＦｒ８０のデータが転送される。そして、同時に制御部１７１からバス１７０を介して供給されるスイッチング制御信号ＳＷ３によってスイッチＳ２３がオンになり、これによって、第３キャッシュ１４８からバッファＢＦ２３にフレームＦｒ８１、Ｆｒ８２及びＦｒ８３のデータが転送される。
【０２７７】
このとき、書き込み期間Ｗｔにおいては、制御部１７１からバス１７０を介して供給されるスイッチング制御信号ＤＳＷ６によって、スイッチ１８２の可動接点ｄが固定接点ａに接続されるので、バッファＢＦ６及びディスクＤＩＳＣ６間はデータ転送可能となる。また、制御部１７１からバス１７０を介して供給されるスイッチング制御信号ＤＳＷ７によって、スイッチ１８４の可動接点ｄが固定接点ｂに接続されるので、バッファＢＦ１７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ｃに接続されるので、バッファＢＦ２８及びディスクＤＩＳＣ８間はデータ転送可能となる。
【０２７８】
従って、この書き込み期間Ｗｔにおいては、前のサイクルの転送期間ｔ７においてバッファＢＦ６に転送されたフレームＦｒ６６、Ｆｒ６７及びＦｒ６８のデータが、ディスクＤＩＳＣ６に記録され、前の転送期間ｔ７においてバッファＢＦ１７に転送されたフレームＦｒ６９、Ｆｒ７０及びＦｒ７１のデータが、ディスクＤＩＳＣ７に記録され、前の転送期間ｔ７においてバッファＢＦ２８に転送されたフレームＦｒ７２、Ｆｒ７３及びＦｒ７４のデータが、ディスクＤＩＳＣ８に記録される。
【０２７９】
そして、以下同様に第１、第２、第３キャッシュ１４６、１４７及び１４８からバッファＢＦ１〜ＢＦ８、ＢＦ１１〜ＢＦ１８、ＢＦ２１〜ＢＦ２８にデータが転送され、バッファＢＦ１〜ＢＦ８、ＢＦ１１〜ＢＦ１８、ＢＦ２１〜ＢＦ２８に夫々転送されたデータがディスクドライブ２２、２３、３０、３１、３４、３５、４２、４３の各ディスクＤＩＳＣ１〜ＤＩＳＣ８に記録される。
【０２８０】
この例においては、図１に示した再生機２１を、通常の再生速度の３倍の速度で再生し、これによって得た通常の転送速度の３倍の転送速度の素材データを、マルチプレクサ１４３で１つの出力にし、これを一旦バッファ１４４で記憶した後に読み出し、読み出した素材データをデマルチプレクサ１４５で３フレームずつ３つの出力に分割し、分割した３つの出力を、第１、第２及び第３キャッシュ１４６、１４７及び１４８に夫々記憶し、最初の転送期間でこれら第１、第２及び第３キャッシュからバッファＢＦ１〜ＢＦ８、バッファＢＦ１１〜ＢＦ１８、バッファＢＦ２１〜ＢＦ２８に、記憶した素材データを転送し、次の転送期間でバッファＢＦ１〜ＢＦ８、バッファＢＦ１１〜ＢＦ１８、バッファＢＦ２１〜ＢＦ２８からディスクドライブ２２、２３、３０、３１、３４、３５、４２及び４３のディスクＤＩＳＣ１、ＤＩＳＣ２、・・・・ＤＩＳＣ８の内の３つのディスクＤＩＳＣ１、ＤＩＳＣ２、・・・・またはＤＩＳＣ８に記録するようにしたので、通常の再生速度の３倍の再生速度の再生素材データを、結果的に通常の記録速度の３倍の記録速度でディスクドライブ２２、２３、３０、３１、３４、３５、４２及び４３のディスクＤＩＳＣ１、ＤＩＳＣ２、・・・・ＤＩＳＣ８に記録することができ、これによって、再生機２１からディスクドライブ２２、２３、３０、３１、３４、３５、４２及び４３のディスクＤＩＳＣ１、ＤＩＳＣ２、・・・・ＤＩＳＣ８に素材を記録する時間を通常の時間の１／３にすることができる。
【０２８１】
また、上述の例においては、再生機２１の再生速度を通常の再生速度の３倍とし、ディスクドライブ２２、２３、３０、３１、３４、３５、４２及び４３の記録速度を等化的に３倍とした場合について説明したが、キャッシュの数、ディスクドライブの数、再生機２１の再生速度の設定によって更に高速の再生及び記録を行うことができる。
【０２８２】
Ｒ．３倍速再生時のキャッシュから記録機２４へのデータ転送動作の説明（図２０、図２１、図２２、図２３及び図２４参照）
【０２８３】
次に、図２０〜図２４を順次参照して、図１に示した再生機２１を３倍速で再生させた場合に、キャッシュから記録機２４にデータを転送する動作について図１及び図１１をも参照して説明する。尚、図２０〜図２４において、図１３〜図１６と対応する部分には同一符号を付し、その詳細説明を省略する。
【０２８４】
先ず、図２０から説明する。図２０は、ディスクドライブ２２、２３、３０、３１、３４、３５、４２及び４３を３倍速再生させた場合に、図１１に示した第１、第２及び第３キャッシュ１４６、１４７及び１４８に夫々供給されるデータ列Ｃｄ１、Ｃｄ２及びＣｄ３を夫々示している。
【０２８５】
既に図１７において説明したように、図１に示したディスクドライブ２２、２３、３０、３１、３４、３５、４２及び４３の各ディスクＤＩＳＣ１、ＤＩＳＣ２、・・・・ＤＩＳＣ８には、例えばフレームＦｒ３のデータから記録される場合においては、ディスクＤＩＳＣ１、ＤＩＳＣ２、・・・・ＤＩＳＣ８に夫々３フレーム分ずつ、即ち、ディスクＤＩＳＣ１にはフレームＦｒ３、Ｆｒ４及びＦｒ５のデータが、ディスクＤＩＳＣ２にはフレームＦｒ６、Ｆｒ７及びＦｒ８のデータが、・・・・ディスクＤＩＳＣ８にはフレームＦｒ２４、Ｆｒ２５及びＦｒ２６のデータが、ディスクＤＩＳＣ１にはフレームＦｒ２７、Ｆｒ２８及びＦｒ２９のデータが、・・・・記録される。
【０２８６】
従って、ディスクドライブ２２、２３、３０、３１、３４、３５、４２及び４３にセットされている各ディスクＤＩＳＣ１、ＤＩＳＣ２、・・・・ＤＩＳＣ８からデータを先頭から順に再生し、再生したデータを、図１に示した記録機２４に供給し、記録機２４にセットされている磁気テープに記録する場合は、ディスクドライブ２２、２３、３０、３１、３４、３５、４２及び４３の各ディスクＤＩＳＣ１、ＤＩＳＣ２、・・・・ＤＩＳＣ８から読み出したデータを、図１１に示した第１、第２及び第３キャッシュ１４６、１４７及び１４８に供給し、一旦これら第１、第２及び第３キャッシュ１４６、１４７及び１４８に記憶しなければならない。
【０２８７】
図２０はディスクドライブ２２、２３、３０、３１、３４、３５、４２及び４３の各ディスクＤＩＳＣ１、ＤＩＳＣ２、・・・・ＤＩＳＣ８から読み出されたデータの、第１、第２及び第３キャッシュ１４６、１４７及び１４８内でのデータ配列Ｃｄ１、Ｃｄ２及びＣｄ３を示している。
【０２８８】
第１、第２及び第３キャッシュ１４６、１４７及び１４８に記憶される順序は、図１３及び図１４を参照して説明した場合と同様に、フレームＦｒ３のデータから順次出力する場合には、先ず第１キャッシュ１４６には、フレームＦｒ３、Ｆｒ４及びＦｒ５のデータが、第２キャッシュ１４７には、フレームＦｒ６、Ｆｒ７及びＦｒ８のデータが、第３キャッシュ１４８には、フレームＦｒ９、Ｆｒ１０及びＦｒ１１のデータが、・・・・次に第１キャッシュ１４６にはフレームＦｒ１２、Ｆｒ１３及びＦｒ１４のデータが、第２キャッシュ１４７にはフレームＦｒ１５、Ｆｒ１６及びＦｒ１７のデータが、第３キャッシュ１４８にはフレームＦｒ１８、Ｆｒ１９及びＦｒ２０のデータが、・・・・順次記憶される。
【０２８９】
図２１は、ディスクドライブ２２、２３、３０、３１、３４、３５、４２及び４３を２倍速再生させた場合に、第１及び第２キャッシュ１４６及び１４７内でのフレームデータ配列Ｃｄ１及びＣｄ２を夫々示している。つまり、ディスクドライブ２２、２３、３０、３１、３４、３５、４２及び４３を２倍速再生する場合には、第１キャッシュ１４６と第２キャッシュ１４７を用いる。
【０２９０】
この場合においては、フレームＦｒ３のデータから順次出力する場合には、先ず第１キャッシュ１４６には、フレームＦｒ３、Ｆｒ４及びＦｒ５のデータが、第２キャッシュ１４７には、フレームＦｒ６、Ｆｒ７及びＦｒ８のデータが、次に第１キャッシュ１４６には、フレームＦｒ９、Ｆｒ１０及びＦｒ１１のデータが、第２キャッシュ１４７にはフレームＦｒ１２、Ｆｒ１３及びＦｒ１４のデータが、・・・・順次記憶される。
【０２９１】
図２２は、ディスクドライブ２２、２３、３０、３１、３４、３５、４２及び４３を１倍速再生させた場合に、第１キャッシュ１４６内でのフレームデータ配列Ｃｄ１を示している。つまり、ディスクドライブ２２、２３、３０、３１、３４、３５、４２及び４３を１倍速再生する場合には、第１キャッシュ１４６を用いる。
【０２９２】
この場合においては、フレームＦｒ３のデータから順次出力する場合には、第１キャッシュ１４６には、フレームＦｒ３、Ｆｒ４及びＦｒ５のデータが、続いてフレームＦｒ６、Ｆｒ７及びＦｒ８のデータが、・・・・順次記憶される。
【０２９３】
図２３は、３倍速時のマルチプレクサ１６１の出力Ｍｏｕｔ及びこの出力Ｍｏｕｔの内容Ｍｄを示している。この図に示すように、第１、第２及び第３キャッシュ１４６、１４７及び１４８から読み出されたフレームデータは、マルチプレクサ１６１に供給されてマルチプレクス処理され、１系統のデータとして出力される。この出力Ｍｏｕｔは、図から分かるように、フレームＦｒ３、Ｆｒ４、Ｆｒ５、・・・・Ｆｒ１５、Ｆｒ１６、Ｄｒ１７、Ｆｒ１８、・・・・の順に出力される。
【０２９４】
この出力Ｍｏｕｔを構成する各フレームデータは、内容Ｍｄから分かるように、１２トラック分のデータからなる。この図の例では、マルチプレクサ１６１の出力Ｍｏｕｔの内、フレームＦｒ７に着目している。この例では、フレームＦｒ７のデータが、トラックＴｒ１、Ｔｒ２、・・・・Ｔｒ１２のデータで構成されていることを矢印及び破線で示している。
【０２９５】
マルチプレクサ１６１から出力されたデータは、バッファ１６２に一旦記憶され、記録タイミング制御回路１６７からの制御信号によって読み出される。バッファ１６２から読み出されたデータは、デマルチプレクサ１６３に供給され、再び３系統のデータ列として出力される。これらの出力は、出力回路１６４、１６５及び１６６に夫々供給されて出力処理された後に、各出力端子１２５、１６５及び１２７を介して図１に示した記録機２４に供給される。
【０２９６】
図２４はデマルチプレクサ１６３で振り分けられて出力された記録データＲＬ１、ＲＬ２及びＲＬ３を夫々示している。また、Ｓｙは記録タイミング同期信号である。この図２４に示すように、デマルチプレクサ１６３は、バッファ１６３から読み出されたデータを、１トラックデータ単位で、出力回路１６４、１６５及び１６６に振り分ける。従って、出力回路１６４に供給される記録データＲＬ１は、トラックＴｒ１、Ｔｒ４、Ｔｒ７及びＴｒ１０のデータの繰り返しになり、出力回路１６５に供給される記録データＲＬ２は、トラックＴｒ２、Ｔｒ５、Ｔｒ８及びＴｒ１１のデータの繰り返しになり、出力回路１６６に供給される記録データＲＬ３は、トラックＴｒ３、Ｔｒ６、Ｔｒ９及びＴｒ１２のデータの繰り返しになる。
【０２９７】
また、図から分かるように、１フレームを１２トラックで構成するようにした場合、通常の転送速度における１フレームの期間（４０ｍｓｅｃ）には、記録データＲＬ１で１２トラック分、記録データＲＬ２で１２トラック分、記録データＲＬ３で１２トラック分のデータが各出力回路１６４、１６５及び１６６を介して出力されることになるので、１フレームの期間に３６トラック分のデータが出力されることになり、結果的に転送速度は、通常の転送速度の３倍ということになる。
【０２９８】
Ｓ．図９のディスクアレイコントローラによる図１のディスクドライブ２２、２３、３０、３１、３４、３５、４２及び４３からのデータ読み出しタイミング（図２５及び図２６参照）
【０２９９】
次に、図２５及び図２６を順次参照して、図１に示した記録機２４で通常の記録速度の３倍でデータを記録する場合に、図１２に示した各バッファから第１、第２及び第３キャッシュにデータを転送するタイミングについて説明する。この図２５及び図２６に示す転送タイミングは、図２０及び図２１に示した例と同じ場合である。
【０３００】
尚、記録機２４の状態としては、再生機２１から再生を行う場合と同様に、予め、記録機２４のビデオ・テープ・カセットを再生（図２に示した構成の場合）し、その再生映像をテレビジョンモニタ等で見ながら、オペレータがイン点をシステムコントローラ３３に指定する。そして、システムコントローラ３３の制御によって、記録機２４は所定のプリロール期間分だけリワインドする。
【０３０１】
この後、システムコントローラ３３は、以下に説明する、転送サイクルの転送期間ｔ２の所定時点（バッファＢＦ１のデータの第１キャッシュ１４６への書き込みが終了した時点、但しＦＩＦＯの場合は、読み出しが書き込みに追いつかない時点であれば良い）、或いは、期間ｔ３の開始時点と、記録機２４のイン点が一致するように制御する。
【０３０２】
図２５及び図２６において、ｔ０〜ｔ７は夫々転送期間を示し、ＣＡＣＨ１〜ＣＡＣＨ３は第１、第２及び第３キャッシュ１４６、１４７及び１４８を夫々示し、ＳＷ１、ＳＷ２及びＳＷ３は図１２に示したスイッチＳ１〜Ｓ８、Ｓ１１〜Ｓ１８及びＳ２１〜Ｓ２８のスイッチング制御信号を夫々示し、ＤＩＳＣ１〜ＤＩＳＣ８は図１７に示したディスクドライブ２２、２３、３０、３１、３４、３５、４２、４３にセットされている各ディスクを示し、ＤＳＷ１〜ＤＳＷ８は図１２に示したスイッチ１７２、１７４、１７６、１７８、１８０、１８２、１８４及び１８６のスイッチング制御信号を夫々示す。また、実線の矢印で示す読み出し期間Ｒｔはデータ転送可能期間を示す。また、以下の説明では、図２０及び図２１と同様に、フレームＦｒ３から順にディスクドライブ２２、２３、３０、３１、３４、３５、４２及び４３から出力されるものとする。
【０３０３】
既に説明したように、ディスクドライブ２２、２３、３０、３１、３４、３５、４２及び４３の各ディスクＤＩＳＣ１、ＤＩＳＣ２、・・・・ＤＩＳＣ８から読み出されたデータは、図１２に示したスイッチ１７２、１７４、１７６、１７８、１８０、１８２、１８４、１８６を介してバッファＢＦ１〜ＢＦ８、ＢＦ１１〜ＢＦ１８、ＢＦ２１〜ＢＦ２８に夫々供給される。
【０３０４】
先ず、最初のサイクルの転送期間ｔ０においては、図１２に示した制御部１７１からバス１７０を介して供給されるスイッチング制御信号ＳＷ１によってスイッチＳ３がオンになり、これによって、バッファＢＦ３から第１キャッシュ１４６にフレームのデータが転送できる状態になる。そして、同時に制御部１７１からバス１７０を介して供給されるスイッチング制御信号ＳＷ２によってスイッチＳ１４がオンになり、これによって、バッファＢＦ１４から第２キャッシュ１４７にフレームのデータが転送できる状態となる。そして、同時に制御部１７１からバス１７０を介して供給されるスイッチング制御信号ＳＷ３によってスイッチＳ２５がオンになり、これによって、バッファＢＦ２５から第３キャッシュ１４８にフレームのデータが転送できる状態となる。
【０３０５】
しかしながら、最初のサイクルの転送期間ｔ０においては、まだディスクＤＩＳＣ２、ＤＩＳＣ３及びＤＩＳＣ４からバッファＢＦ３、ＢＦ１４、ＢＦ２５にフレームのデータが供給されていないので、最初の転送期間ｔ０においては、第１、第２及び第３キャッシュ１４６、１４７及び１４８にはフレームのデータが供給されない。
【０３０６】
このとき、読み出し期間Ｒｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ１２及びディスクＤＩＳＣ２間はデータ転送可能となる。また、制御部１７１からバス１７０を介して供給されるスイッチング制御信号ＤＳＷ３によって、スイッチ１７６の可動接点ｄが固定接点ｃに接続されるので、バッファＢＦ２３及びディスクＤＩＳＣ３間はデータ転送可能となる。
【０３０７】
つまり、この読み出し期間Ｒｔにおいては、ディスクＤＩＳＣ１からバッファＢＦ１にフレームＦｒ３、Ｆｒ４及びＦｒ５のデータが供給され、ディスクＤＩＳＣ２からバッファＢＦ１２にフレームＦｒ６、Ｆｒ７及びＦｒ８のデータが供給され、ディスクＤＩＳＣ３からバッファＢＦ２３にフレームＦｒ９、Ｆｒ１０及びＦｒ１１のデータが供給される。
【０３０８】
転送期間ｔ１においては、図１２に示した制御部１７１からバス１７０を介して供給されるスイッチング制御信号ＳＷ１によってスイッチＳ６がオンになり、これによって、バッファＢＦ６から第１キャッシュ１４６にフレームのデータが転送できる状態になる。そして、同時に制御部１７１からバス１７０を介して供給されるスイッチング制御信号ＳＷ２によってスイッチＳ１４がオンになり、これによって、バッファＢＦ１７から第２キャッシュ１４７にフレームのデータが転送できる状態となる。そして、同時に制御部１７１からバス１７０を介して供給されるスイッチング制御信号ＳＷ３によってスイッチＳ２８がオンになり、これによって、バッファＢＦ２８から第３キャッシュ１４８にフレームのデータが転送できる状態となる。
【０３０９】
しかしながら、最初サイクルの転送期間ｔ１においては、まだディスクＤＩＳＣ６、ＤＩＳＣ７及びＤＩＳＣ８からバッファＢＦ６、ＢＦ１７、ＢＦ２８にフレームのデータが供給されていないので、この転送期間ｔ１においては、第１、第２及び第３キャッシュ１４６、１４７及び１４８にはフレームのデータが供給されない。
【０３１０】
このとき、読み出し期間Ｒｔにおいては、制御部１７１からバス１７０を介して供給されるスイッチング制御信号ＤＳＷ４によって、スイッチ１７８の可動接点ｄが固定接点ａに接続されるので、バッファＢＦ４及びディスクＤＩＳＣ４間はデータ転送可能となる。また、制御部１７１からバス１７０を介して供給されるスイッチング制御信号ＤＳＷ５によって、スイッチ１８０の可動接点ｄが固定接点ｂに接続されるので、バッファＢＦ１５及びディスクＤＩＳＣ５間はデータ転送可能となる。また、制御部１７１からバス１７０を介して供給されるスイッチング制御信号ＤＳＷ６によって、スイッチ１８２の可動接点ｄが固定接点ｃに接続されるので、バッファＢＦ２６及びディスクＤＩＳＣ６間はデータ転送可能となる。
【０３１１】
つまり、この読み出し期間Ｒｔにおいては、ディスクＤＩＳＣ４からバッファＢＦ４にフレームＦｒ１２、Ｆｒ１３及びＦｒ１４のデータが供給され、ディスクＤＩＳＣ５からバッファＢＦ１５にフレームＦｒ１５、Ｆｒ１６及びＦｒ１７のデータが供給され、ディスクＤＩＳＣ６からバッファＢＦ２６にフレームＦｒ１８、Ｆｒ１９及びＦｒ２０のデータが供給される。
【０３１２】
転送期間ｔ２においては、図１２に示した制御部１７１からバス１７０を介して供給されるスイッチング制御信号ＳＷ１によってスイッチＳ１がオンになり、これによって、前の転送期間ｔ０の読み出し期間ＲｔにおいてディスクＤＩＳＣ１からバッファＢＦ１に転送されているフレームＦｒ３、Ｆｒ４及びＦｒ５のデータが、バッファＢＦ１から第１キャッシュ１４６に転送される。そして、同時に制御部１７１からバス１７０を介して供給されるスイッチング制御信号ＳＷ２によってスイッチＳ１２がオンになり、これによって、前の転送期間ｔ０の読み出し期間ＲｔにおいてディスクＤＩＳＣ２からバッファＢＦ１２に転送されているフレームＦｒ６、Ｆｒ７及びＦｒ８のデータが、バッファＢＦ１２から第２キャッシュ１４７に転送される。そして、同時に制御部１７１からバス１７０を介して供給されるスイッチング制御信号ＳＷ３によってスイッチＳ２３がオンになり、これによって、前の転送期間ｔ０の読み出し期間ＲｔにおいてディスクＤＩＳＣ３からバッファＢＦ２３に転送されているフレームＦｒ９、Ｆｒ１０及びＦｒ１１のデータが、バッファＢＦ２３から第３キャッシュ１４８に転送される。
【０３１３】
このとき、読み出し期間Ｒｔにおいては、制御部１７１からバス１７０を介して供給されるスイッチング制御信号ＤＳＷ７によって、スイッチ１８４の可動接点ｄが固定接点ａに接続されるので、バッファＢＦ７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。また、制御部１７１からバス１７０を介して供給されるスイッチング制御信号ＤＳＷ１によって、スイッチ１７２の可動接点ｄが固定接点ｃに接続されるので、バッファＢＦ２１及びディスクＤＩＳＣ１間はデータ転送可能となる。
【０３１４】
つまり、この読み出し期間Ｒｔにおいては、ディスクＤＩＳＣ７からバッファＢＦ７にフレームＦｒ２１、Ｆｒ２２及びＦｒ２３のデータが供給され、ディスクＤＩＳＣ８からバッファＢＦ１８にフレームＦｒ２４、Ｆｒ２５及びＦｒ２６のデータが供給され、ディスクＤＩＳＣ１からバッファＢＦ２１にフレームＦｒ２７、Ｆｒ２８及びＦｒ２９のデータが供給される。
【０３１５】
転送期間ｔ３においては、図１２に示した制御部１７１からバス１７０を介して供給されるスイッチング制御信号ＳＷ１によってスイッチＳ４がオンになり、これによって、前の転送期間ｔ１の読み出し期間ＲｔにおいてディスクＤＩＳＣ４からバッファＢＦ４に転送されているフレームＦｒ１２、Ｆｒ１３及びＦｒ１４のデータが、バッファＢＦ４から第１キャッシュ１４６に転送される。そして、同時に制御部１７１からバス１７０を介して供給されるスイッチング制御信号ＳＷ２によってスイッチＳ１５がオンになり、これによって、前の転送期間ｔ１の読み出し期間ＲｔにおいてディスクＤＩＳＣ５からバッファＢＦ１５に転送されているフレームＦｒ１５、Ｆｒ１６及びＦｒ１７のデータが、バッファＢＦ１５から第２キャッシュ１４７に転送される。そして、同時に制御部１７１からバス１７０を介して供給されるスイッチング制御信号ＳＷ３によってスイッチＳ２６がオンになり、これによって、前の転送期間ｔ１の読み出し期間ＲｔにおいてディスクＤＩＳＣ６からバッファＢＦ２６に転送されているフレームＦｒ１８、Ｆｒ１９及びＦｒ２０のデータが、バッファＢＦ２６から第３キャッシュ１４８に転送される。
【０３１６】
このとき、読み出し期間Ｒｔにおいては、制御部１７１からバス１７０を介して供給されるスイッチング制御信号ＤＳＷ１によって、スイッチ１７４の可動接点ｄが固定接点ａに接続されるので、バッファＢＦ２及びディスクＤＩＳＣ２間はデータ転送可能となる。また、制御部１７１からバス１７０を介して供給されるスイッチング制御信号ＤＳＷ２によって、スイッチ１７６の可動接点ｄが固定接点ｂに接続されるので、バッファＢＦ１３及びディスクＤＩＳＣ３間はデータ転送可能となる。また、制御部１７１からバス１７０を介して供給されるスイッチング制御信号ＤＳＷ３によって、スイッチ１７８の可動接点ｄが固定接点ｃに接続されるので、バッファＢＦ２４及びディスクＤＩＳＣ４間はデータ転送可能となる。
【０３１７】
つまり、この読み出し期間Ｒｔにおいては、ディスクＤＩＳＣ２からバッファＢＦ２にフレームＦｒ３０、Ｆｒ３１及びＦｒ３２のデータが供給され、ディスクＤＩＳＣ３からバッファＢＦ１３にフレームＦｒ３３、Ｆｒ３４及びＦｒ３５のデータが供給され、ディスクＤＩＳＣ４からバッファＢＦ２４にフレームＦｒ３６、Ｆｒ３７及びＦｒ３８のデータが供給される。
【０３１８】
転送期間ｔ４においては、図１２に示した制御部１７１からバス１７０を介して供給されるスイッチング制御信号ＳＷ１によってスイッチＳ７がオンになり、これによって、前の転送期間ｔ２の読み出し期間ＲｔにおいてディスクＤＩＳＣ７からバッファＢＦ７に転送されているフレームＦｒ２１、Ｆｒ２２及びＦｒ２３のデータが、バッファＢＦ７から第１キャッシュ１４６に転送される。そして、同時に制御部１７１からバス１７０を介して供給されるスイッチング制御信号ＳＷ２によってスイッチＳ１８がオンになり、これによって、前の転送期間ｔ２の読み出し期間ＲｔにおいてディスクＤＩＳＣ８からバッファＢＦ１８に転送されているフレームＦｒ２４、Ｆｒ２５及びＦｒ２６のデータが、バッファＢＦ１８から第２キャッシュ１４７に転送される。そして、同時に制御部１７１からバス１７０を介して供給されるスイッチング制御信号ＳＷ３によってスイッチＳ２１がオンになり、これによって、前の転送期間ｔ２の読み出し期間ＲｔにおいてディスクＤＩＳＣ１からバッファＢＦ２１に転送されているフレームＦｒ２７、Ｆｒ２８及びＦｒ２９のデータが、バッファＢＦ２１から第３キャッシュ１４８に転送される。
【０３１９】
このとき、読み出し期間Ｒｔにおいては、制御部１７１からバス１７０を介して供給されるスイッチング制御信号ＤＳＷ５によって、スイッチ１８０の可動接点ｄが固定接点ａに接続されるので、バッファＢＦ５及びディスクＤＩＳＣ５間はデータ転送可能となる。また、制御部１７１からバス１７０を介して供給されるスイッチング制御信号ＤＳＷ６によって、スイッチ１８２の可動接点ｄが固定接点ｂに接続されるので、バッファＢＦ１６及びディスクＤＩＳＣ６間はデータ転送可能となる。また、制御部１７１からバス１７０を介して供給されるスイッチング制御信号ＤＳＷ３によって、スイッチ１８４の可動接点ｄが固定接点ｃに接続されるので、バッファＢＦ２７及びディスクＤＩＳＣ７間はデータ転送可能となる。
【０３２０】
つまり、この読み出し期間Ｒｔにおいては、ディスクＤＩＳＣ５からバッファＢＦ５にフレームＦｒ３９、Ｆｒ４０及びＦｒ４１のデータが供給され、ディスクＤＩＳＣ６からバッファＢＦ１６にフレームＦｒ４２、Ｆｒ４３及びＦｒ４４のデータが供給され、ディスクＤＩＳＣ７からバッファＢＦ２７にフレームＦｒ４５、Ｆｒ４６及びＦｒ４７のデータが供給される。
【０３２１】
転送期間ｔ５においては、図１２に示した制御部１７１からバス１７０を介して供給されるスイッチング制御信号ＳＷ１によってスイッチＳ２がオンになり、これによって、前の転送期間ｔ３の読み出し期間ＲｔにおいてディスクＤＩＳＣ２からバッファＢＦ２に転送されているフレームＦｒ３０、Ｆｒ３１及びＦｒ３２のデータが、バッファＢＦ２から第１キャッシュ１４６に転送される。そして、同時に制御部１７１からバス１７０を介して供給されるスイッチング制御信号ＳＷ２によってスイッチＳ１３がオンになり、これによって、前の転送期間ｔ３の読み出し期間ＲｔにおいてディスクＤＩＳＣ３からバッファＢＦ１３に転送されているフレームＦｒ３３、Ｆｒ３４及びＦｒ３５のデータが、バッファＢＦ１３から第２キャッシュ１４７に転送される。そして、同時に制御部１７１からバス１７０を介して供給されるスイッチング制御信号ＳＷ３によってスイッチＳ２４がオンになり、これによって、前の転送期間ｔ３の読み出し期間ＲｔにおいてディスクＤＩＳＣ４からバッファＢＦ２４に転送されているフレームＦｒ３６、Ｆｒ３７及びＦｒ３８のデータが、バッファＢＦ２４から第３キャッシュ１４８に転送される。
【０３２２】
このとき、読み出し期間Ｒｔにおいては、制御部１７１からバス１７０を介して供給されるスイッチング制御信号ＤＳＷ８によって、スイッチ１８６の可動接点ｄが固定接点ａに接続されるので、バッファＢＦ８及びディスクＤＩＳＣ８間はデータ転送可能となる。また、制御部１７１からバス１７０を介して供給されるスイッチング制御信号ＤＳＷ１によって、スイッチ１７２の可動接点ｄが固定接点ｂに接続されるので、バッファＢＦ１１及びディスクＤＩＳＣ１間はデータ転送可能となる。また、制御部１７１からバス１７０を介して供給されるスイッチング制御信号ＤＳＷ２によって、スイッチ１７４の可動接点ｄが固定接点ｃに接続されるので、バッファＢＦ２２及びディスクＤＩＳＣ２間はデータ転送可能となる。
【０３２３】
つまり、この読み出し期間Ｒｔにおいては、ディスクＤＩＳＣ８からバッファＢＦ８にフレームＦｒ５４、Ｆｒ５５及びＦｒ５６のデータが供給され、ディスクＤＩＳＣ１からバッファＢＦ１１にフレームＦｒ５７、Ｆｒ５８及びＦｒ５９のデータが供給され、ディスクＤＩＳＣ２からバッファＢＦ２２にフレームＦｒ６０、Ｆｒ６１及びＦｒ６２のデータが供給される。
【０３２４】
転送期間ｔ６においては、図１２に示した制御部１７１からバス１７０を介して供給されるスイッチング制御信号ＳＷ１によってスイッチＳ５がオンになり、これによって、前の転送期間ｔ４の読み出し期間ＲｔにおいてディスクＤＩＳＣ５からバッファＢＦ５に転送されているフレームＦｒ３９、Ｆｒ４０及びＦｒ４１のデータが、バッファＢＦ５から第１キャッシュ１４６に転送される。そして、同時に制御部１７１からバス１７０を介して供給されるスイッチング制御信号ＳＷ２によってスイッチＳ１６がオンになり、これによって、前の転送期間ｔ４の読み出し期間ＲｔにおいてディスクＤＩＳＣ６からバッファＢＦ１６に転送されているフレームＦｒ４２、Ｆｒ４３及びＦｒ４４のデータが、バッファＢＦ１６から第２キャッシュ１４７に転送される。そして、同時に制御部１７１からバス１７０を介して供給されるスイッチング制御信号ＳＷ３によってスイッチＳ２７がオンになり、これによって、前の転送期間ｔ４の読み出し期間ＲｔにおいてディスクＤＩＳＣ７からバッファＢＦ２７に転送されているフレームＦｒ４５、Ｆｒ４６及びＦｒ４７のデータが、バッファＢＦ２７から第３キャッシュ１４８に転送される。
【０３２５】
このとき、読み出し期間Ｒｔにおいては、制御部１７１からバス１７０を介して供給されるスイッチング制御信号ＤＳＷ３によって、スイッチ１７６の可動接点ｄが固定接点ａに接続されるので、バッファＢＦ３及びディスクＤＩＳＣ３間はデータ転送可能となる。また、制御部１７１からバス１７０を介して供給されるスイッチング制御信号ＤＳＷ４によって、スイッチ１７８の可動接点ｄが固定接点ｂに接続されるので、バッファＢＦ１４及びディスクＤＩＳＣ４間はデータ転送可能となる。また、制御部１７１からバス１７０を介して供給されるスイッチング制御信号ＤＳＷ５によって、スイッチ１８０の可動接点ｄが固定接点ｃに接続されるので、バッファＢＦ２５及びディスクＤＩＳＣ５間はデータ転送可能となる。
【０３２６】
つまり、この読み出し期間Ｒｔにおいては、ディスクＤＩＳＣ３からバッファＢＦ３にフレームＦｒ５７、Ｆｒ５８及びＦｒ５９のデータが供給され、ディスクＤＩＳＣ４からバッファＢＦ１４にフレームＦｒ６０、Ｆｒ６１及びＦｒ６２のデータが供給され、ディスクＤＩＳＣ５からバッファＢＦ２５にフレームＦｒ６３、Ｆｒ６４及びＦｒ６５のデータが供給される。
【０３２７】
転送期間ｔ７においては、図１２に示した制御部１７１からバス１７０を介して供給されるスイッチング制御信号ＳＷ１によってスイッチＳ８がオンになり、これによって、前の転送期間ｔ５の読み出し期間ＲｔにおいてディスクＤＩＳＣ８からバッファＢＦ８に転送されているフレームＦｒ５４、Ｆｒ５５及びＦｒ５６のデータが、バッファＢＦ８から第１キャッシュ１４６に転送される。そして、同時に制御部１７１からバス１７０を介して供給されるスイッチング制御信号ＳＷ２によってスイッチＳ１１がオンになり、これによって、前の転送期間ｔ５の読み出し期間ＲｔにおいてディスクＤＩＳＣ１からバッファＢＦ１１に転送されているフレームＦｒ４８、Ｆｒ４９及びＦｒ５０のデータが、バッファＢＦ１１から第２キャッシュ１４７に転送される。そして、同時に制御部１７１からバス１７０を介して供給されるスイッチング制御信号ＳＷ３によってスイッチＳ２２がオンになり、これによって、前の転送期間ｔ５の読み出し期間ＲｔにおいてディスクＤＩＳＣ２からバッファＢＦ２２に転送されているフレームＦｒ５１、Ｆｒ５２及びＦｒ５３のデータが、バッファＢＦ２２から第３キャッシュ１４８に転送される。
【０３２８】
このとき、読み出し期間Ｒｔにおいては、制御部１７１からバス１７０を介して供給されるスイッチング制御信号ＤＳＷ６によって、スイッチ１８２の可動接点ｄが固定接点ａに接続されるので、バッファＢＦ６及びディスクＤＩＳＣ６間はデータ転送可能となる。また、制御部１７１からバス１７０を介して供給されるスイッチング制御信号ＤＳＷ７によって、スイッチ１８４の可動接点ｄが固定接点ｂに接続されるので、バッファＢＦ１７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ｃに接続されるので、バッファＢＦ２８及びディスクＤＩＳＣ８間はデータ転送可能となる。
【０３２９】
つまり、この読み出し期間Ｒｔにおいては、ディスクＤＩＳＣ６からバッファＢＦ６にフレームＦｒ６６、Ｆｒ６７及びＦｒ６８のデータが供給され、ディスクＤＩＳＣ７からバッファＢＦ１７にフレームＦｒ６９、Ｆｒ７０及びＦｒ７１のデータが供給され、ディスクＤＩＳＣ８からバッファＢＦ２８にフレームＦｒ７２、Ｆｒ７３及びＦｒ７４のデータが供給される。
【０３３０】
次のサイクルの転送期間ｔ０においては、図１２に示した制御部１７１からバス１７０を介して供給されるスイッチング制御信号ＳＷ１によってスイッチＳ３がオンになり、これによって、前の転送期間ｔ６の読み出し期間ＲｔにおいてディスクＤＩＳＣ３からバッファＢＦ３に転送されているフレームＦｒ５７、Ｆｒ５８及びＦｒ５９のデータが、バッファＢＦ３から第１キャッシュ１４６に転送される。そして、同時に制御部１７１からバス１７０を介して供給されるスイッチング制御信号ＳＷ２によってスイッチＳ１４がオンになり、これによって、前の転送期間ｔ６の読み出し期間ＲｔにおいてディスクＤＩＳＣ４からバッファＢＦ１４に転送されているフレームＦｒ６０、Ｆｒ６１及びＦｒ６２のデータが、バッファＢＦ１４から第２キャッシュ１４７に転送される。そして、同時に制御部１７１からバス１７０を介して供給されるスイッチング制御信号ＳＷ３によってスイッチＳ２５がオンになり、これによって、前の転送期間ｔ６の読み出し期間ＲｔにおいてディスクＤＩＳＣ５からバッファＢＦ２５に転送されているフレームＦｒ６３、Ｆｒ６４及びＦｒ６５のデータが、バッファＢＦ２５から第３キャッシュ１４８に転送される。
【０３３１】
このとき、読み出し期間Ｒｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ１２及びディスクＤＩＳＣ２間はデータ転送可能となる。また、制御部１７１からバス１７０を介して供給されるスイッチング制御信号ＤＳＷ３によって、スイッチ１７６の可動接点ｄが固定接点ｃに接続されるので、バッファＢＦ２３及びディスクＤＩＳＣ３間はデータ転送可能となる。
【０３３２】
つまり、この読み出し期間Ｒｔにおいては、ディスクＤＩＳＣ１からバッファＢＦ１にフレームＦｒ７５、Ｆｒ７６及びＦｒ７７のデータが供給され、ディスクＤＩＳＣ２からバッファＢＦ１２にフレームＦｒ７８、Ｆｒ７９及びＦｒ８０のデータが供給され、ディスクＤＩＳＣ３からバッファＢＦ２３にフレームＦｒ８１、Ｆｒ８２及びＦｒ８３のデータが供給される。
【０３３３】
転送期間ｔ１においては、図１２に示した制御部１７１からバス１７０を介して供給されるスイッチング制御信号ＳＷ１によってスイッチＳ６がオンになり、これによって、前の転送期間ｔ７の読み出し期間ＲｔにおいてディスクＤＩＳＣ６からバッファＢＦ６に転送されているフレームＦｒ６６、Ｆｒ６７及びＦｒ６８のデータが、バッファＢＦ６から第１キャッシュ１４６に転送される。そして、同時に制御部１７１からバス１７０を介して供給されるスイッチング制御信号ＳＷ２によってスイッチＳ１７がオンになり、これによって、前の転送期間ｔ７の読み出し期間ＲｔにおいてディスクＤＩＳＣ７からバッファＢＦ１７に転送されているフレームＦｒ６９、Ｆｒ７０及びＦｒ７１のデータが、バッファＢＦ１７から第２キャッシュ１４７に転送される。そして、同時に制御部１７１からバス１７０を介して供給されるスイッチング制御信号ＳＷ３によってスイッチＳ２８がオンになり、これによって、前の転送期間ｔ７の読み出し期間ＲｔにおいてディスクＤＩＳＣ８からバッファＢＦ２８に転送されているフレームＦｒ７２、Ｆｒ７３及びＦｒ７４のデータが、バッファＢＦ２８から第３キャッシュ１４８に転送される。
【０３３４】
このとき、読み出し期間Ｒｔにおいては、制御部１７１からバス１７０を介して供給されるスイッチング制御信号ＤＳＷ４によって、スイッチ１７８の可動接点ｄが固定接点ａに接続されるので、バッファＢＦ４及びディスクＤＩＳＣ４間はデータ転送可能となる。また、制御部１７１からバス１７０を介して供給されるスイッチング制御信号ＤＳＷ５によって、スイッチ１８０の可動接点ｄが固定接点ｂに接続されるので、バッファＢＦ１５及びディスクＤＩＳＣ５間はデータ転送可能となる。また、制御部１７１からバス１７０を介して供給されるスイッチング制御信号ＤＳＷ６によって、スイッチ１８２の可動接点ｄが固定接点ｃに接続されるので、バッファＢＦ２６及びディスクＤＩＳＣ６間はデータ転送可能となる。
【０３３５】
つまり、この読み出し期間Ｒｔにおいては、ディスクＤＩＳＣ４からバッファＢＦ４にフレームＦｒ８４、Ｆｒ８５及びＦｒ８６のデータが供給され、ディスクＤＩＳＣ５からバッファＢＦ１５にフレームＦｒ８７、Ｆｒ８８及びＦｒ８９のデータが供給され、ディスクＤＩＳＣ６からバッファＢＦ２６にフレームＦｒ９０、Ｆｒ９１及びＦｒ９２のデータが供給される。
【０３３６】
そして、以降、同様にして、順次ディスクドライブ２２、２３、３０、３１、３４、３５、４２及び４３の各ディスクＤＩＳＣ１、ＤＩＳＣ２、・・・・ＤＩＳＣ８から再生されたデータがバッファＢＦ１〜ＢＦ８、ＢＦ１１〜ＢＦ１８、ＢＦ２１〜ＢＦ２８に供給された後に、第１、第２及び第３キャッシュ１４６、１４７及び１４８に供給され、更に、これら第１、第２及び第３キャッシュ１４６、１４７及び１４８から読み出されて図１に示した記録機２４に３系統（３倍の転送速度の場合）で供給され、この記録機２４にセットされているビデオ・テープ・カセットの磁気テープ上に傾斜トラックを形成するように記録される。
【０３３７】
この例においては、最初の転送期間でディスクドライブ２２、２３、３０、３１、３４、３５、４２及び４３の各ディスクＤＩＳＣ１、ＤＩＳＣ２、・・・・ＤＩＳＣ８の内の３つのディスクＤＩＳＣ１、ＤＩＳＣ２、・・・・またはＤＩＳＣ８から素材を等価的に３倍速で読み出し、読みだした素材をバッファＢＦ１〜ＢＦ８、バッファＢＦ１１〜ＢＦ１８、バッファＢＦ２１〜ＢＦ２８に一旦記憶し、転送期間を１つおいた次の転送期間において、バッファＢＦ１〜ＢＦ８、バッファＢＦ１１〜ＢＦ１８、バッファＢＦ２１〜ＢＦ２８に記憶してある素材を第１、第２及び第３キャッシュ１４６、１４７及び１４８に夫々供給して記憶し、これら第１、第２及び第３キャッシュ１４６、１４７及び１４８から記憶素材を読み出し、これら読みだした素材をマルチプレクサ１６１で１つの出力にし、この出力を、バッファ１６２を介してデマルチプレクサ１６３に供給し、このデマルチプレクサ１６４で３つに分割し、この３つに分割した素材データを高速記録再生ＶＴＲ（図１においては記録機２４）に供給し、この高速記録再生ＶＴＲで３倍速で記録するようにしたので、ディスクドライブ２２、２３、３０、３１、３４、３５、４２及び４３の各ディスクＤＩＳＣ１、ＤＩＳＣ２、・・・・ＤＩＳＣ８から等価的に３倍速で読みだした素材を３倍速で記録することができ、これによって、ディスクドライブ２２、２３、３０、３１、３４、３５、４２及び４３の各ディスクＤＩＳＣ１、ＤＩＳＣ２、・・・・ＤＩＳＣ８に記録されている素材を記録機２４にセットされているビデオ・テープ・カセットに記録する際の待ち時間を１／３にすることができる。
【０３３８】
尚、上述の例においては、第１、第２及び第３キャッシュ１４６、１４７及び１４８を用いて３倍速再生を行い、これによって得た再生素材を記録機２４に供給して記録機２４において３倍速記録を行う場合について説明したが、キャッシュの数、記録機２４の記録能力、ディスクドライブ２２、２３、３０、３１、３４、３５、４２及び４３の数の設定によって容易に所望の速度での記録を行うことができる。
【０３３９】
Ｔ．ディスク上の任意のＭ箇所を再生する場合の動作説明（図２７、図２８及び図２９参照）
【０３４０】
次に、図１７に示したディスクＤＩＳＣ１、ＤＩＳ２、・・・・ＤＩＳＣ８上に素材毎に記録してある音声、映像及びサブコードデータを素材毎に任意に再生する場合の動作について説明する。
【０３４１】
図２７から説明する。図２７は、素材ＡＶｓ１の音声、映像及びサブコードデータ（図中、ドットで示す領域）をディスクＤＩＳＣ１、ＤＩＳＣ２、・・・・ＤＩＳＣ８の順に記録し、素材ＡＶｓ２の音声、映像及びサブコードデータ（図中、斜線で示す領域）をディスクＤＩＳＣ２、ＤＩＳＣ３、・・・・ＤＩＳＣ４の順に記録し、・・・・素材ＡＶｓｎの音声、映像及びサブコードデータ（図中、素材ＡＶｓ２と反対方向の斜線で示す領域）を記録している場合を示す。
【０３４２】
次に、図２８及び図２９を参照してディスクＤＩＳＣ１、ＤＩＳＣ２、・・・・ＤＩＳＣ８から、素材ＡＶｓ１と素材ＡＶｓ２を、再生する場合について説明する。従って、この場合、Ｍ＝２となる。これら図２８及び図２９に示す各符号は、図１８及び図１９や、図２５及び図２６に示した符号と同様なので、その説明を省略する。尚、素材ＡＶｓ１のデータは、各ディスクドライブ２２、２３、３０、３１、３４、３５、４２及び４３の各ディスクＤＩＳＣ１、ＤＩＳＣ２、・・・・ＤＩＳＣ８の各エリアの先頭からフレームＦｒ１から順に記録し、素材ＡＶｓ２のデータは、各ディスクドライブ２２、２３、３０、３１、３４、３５、４２及び４３の各ディスクＤＩＳＣ２、ＤＩＳＣ３、・・・・ＤＩＳＣ１の各エリアの先頭からフレームＦｒ１から順に記録しているものとする。
【０３４３】
既に説明したように、ディスクドライブ２２、２３、３０、３１、３４、３５、４２及び４３の各ディスクＤＩＳＣ１、ＤＩＳＣ２、・・・・ＤＩＳＣ８から読み出された素材ＡＶｓ１及びＡＶｓ２のデータは、図１２に示したスイッチ１７２、１７４、１７６、１７８、１８０、１８２、１８４、１８６を介してバッファＢＦ１〜ＢＦ８及びＢＦ１１〜ＢＦ１８に夫々供給される。
【０３４４】
尚、図２７を参照して説明したように、素材ＡＶｓ１のデータは、その先頭のフレームＦｒ１のデータから順に、ディスクＤＩＳＣ１、ＤＩＳＣ２、・・・・ＤＩＳＣ８の順にディスクＤＩＳＣ１〜ＤＩＳＫ８に記録され、素材ＡＶｓ２のデータは、その先頭のフレームＦｒ１のデータから順に、ディスクＤＩＳＣ２、ＤＩＳＣ３、・・・・ＤＩＳＣ１の順に、ディスクＤＩＳＣ１〜ＤＩＳＣ８に記録されている。
【０３４５】
従って、素材ＡＶｓ１のデータは、最初のサイクルの転送期間ｔ０から読み出しが開始され、この転送期間ｔ０において、フレームＦｒ１、Ｆｒ２、・・・・の順に、ディスクＤＩＳＣ１から読み出されるが、素材ＡＶｓ２のデータは、最初のサイクルの転送期間ｔ３から読み出しが開始され、この転送期間ｔ３において、フレームＦｒ１、Ｆｒ２、・・・・の順に、ディスクＤＩＳＣ２から読み出される。
【０３４６】
これは、もしも、最初のサイクルの転送期間ｔ０において、素材ＡＶｓ２のデータをディスクＤＩＳＣ７（以下に説明するタイミングチャートでは、ディスクＤＩＳＣ７である）から読み出しを行ってしまうと、素材ＡＶｓ２のデータは、ディスクＤＩＳＣ２から、フレームＦｒ１、Ｆｒ２、・・・・の順に記録されているので、例えば、最初のサイクルの転送期間ｔ０において、ディスクＤＩＳＣ７から読み出しを行うと、この転送期間ｔ０に読み出される素材ＡＶｓ２のデータは、フレームＦｒ１６、Ｆｒ１７及びＦｒ１８となり、従って、素材ＡＶｓ２のデータは、フレームＦｒ１６から出力されてしまうことになるからである。
【０３４７】
このための制御としては、３つの再生制御方法が考えられる。第１の再生制御方法は、最初のサイクルにおいて、ディスクＤＩＳＣ２を再生する期間となるまでは、スイッチＳ１〜Ｓ８、スイッチＳ１１〜Ｓ１８、スイッチＳ２１〜Ｓ２８の内の対応するスイッチをオフにし、２番目のサイクルにおいて、ディスクＤＩＳＣ７、ＤＩＳＣ８及びＤＩＳＣ１の同じアドレス部分を再生する方法である。
【０３４８】
第２の再生制御方法は、最初のサイクルにおいて、ディスクＤＩＳＣ２を再生する期間となるまでは、スイッチＳ１〜Ｓ８、スイッチＳ１１〜Ｓ１８、スイッチＳ２１〜Ｓ２８の内の対応するスイッチをオフにし、２番目のサイクルにおいて、ディスクＤＩＳＣ７、ＤＩＳＣ８及びＤＩＳＣ１の同じアドレス部分の再生を行わないようにする方法である。
【０３４９】
また、第３の再生制御方法は、スイッチＳ１〜Ｓ８、Ｓ１１〜Ｓ１８、Ｓ２１〜Ｓ２８の制御は全てのサイクルで同様に行い、最初のサイクルだけ、ディスクＤＩＳＣ２を再生する期間からディスクＤＩＳＣ２の再生を行う方法である。
【０３５０】
何れの方法を採用した場合においても、データコントローラ２０の制御部１７１、或いはシステムコントローラ３３がディスクドライブ４２、４３及び２２を制御することで実現できる。以下の説明では、第３の再生制御方法を採用した場合について説明する。
【０３５１】
先ず、最初サイクルの転送期間ｔ０においては、図１２に示した制御部１７１からバス１７０を介して供給されるスイッチング制御信号ＳＷ１によってスイッチＳ７がオンになり、これによって、バッファＢＦ７から第１キャッシュ１４６に素材ＡＶｓ１のフレームのデータが転送できる状態になる。そして、同時に制御部１７１からバス１７０を介して供給されるスイッチング制御信号ＳＷ２によってスイッチＳ１５がオンになり、これによって、バッファＢＦ１５から第２キャッシュ１４７に素材ＡＶｓ２のフレームのデータが転送できる状態となる。尚、第３キャッシュ１４８はＭ＝２の場合には用いない。
【０３５２】
しかしながら、最初のサイクルの転送期間ｔ０においては、まだディスクＤＩＳＣ７からバッファＢＦ７に素材ＡＶｓ１のフレームのデータが供給されておらず、また、ＤＩＳＣ５からバッファ１５に素材ＡＶｓ２のフレームのデータが供給されていないので、最初の転送期間ｔ０においては、第１及び第２キャッシュ１４６及び１４７には素材ＡＶｓ１及びＡＶｓ２のフレームのデータが供給されない。
【０３５３】
このとき、読み出し期間Ｒｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。従って、最初のサイクルの転送期間ｔ０の読み出し期間Ｒｔにおいては、ディスクＤＩＳＣ１からバッファＢＦ１に素材ＡＶｓ１のフレームＦｒ１、Ｆｒ２及びＦｒ３のデータが供給される。
【０３５４】
また、制御部１７１からバス１７０を介して供給されるスイッチング制御信号ＤＳＷ７によって、スイッチ１８４の可動接点ｄが固定接点ｂに接続されるので、バッファＢＦ１７及びディスクＤＩＳＣ７間はデータ転送可能となる。しかしながら、最初のサイクルの転送期間ｔ０の読み出し期間Ｒｔにおいては、ディスクドライブ４２は再生状態ではないので、ディスクＤＩＳＣ７からバッファＢＦ１７に素材ＡＶｓ２のフレームＦｒ１６、Ｆｒ１７及びＦｒ１８のデータは供給されない。ディスクＤＩＳＣ７からバッファＢＦ１７に、素材ＡＶｓ２のフレームＦｒ１６、Ｆｒ１７及びＦｒ１８のデータが供給されるのは、２番目のサイクルの転送期間ｔ０の読み出し期間Ｒｔとなる。
【０３５５】
転送期間ｔ１においては、図１２に示した制御部１７１からバス１７０を介して供給されるスイッチング制御信号ＳＷ１によってスイッチＳ８がオンになり、これによって、バッファＢＦ８から第１キャッシュ１４６に素材ＡＶｓ１のフレームのデータが転送できる状態になる。そして、同時に制御部１７１からバス１７０を介して供給されるスイッチング制御信号ＳＷ２によってスイッチＳ１６がオンになり、これによって、バッファＢＦ１６から第２キャッシュ１４７に素材ＡＶｓ２のフレームのデータが転送できる状態となる。
【０３５６】
しかしながら、最初のサイクルの転送期間ｔ１においては、まだディスクＤＩＳＣ８からバッファＢＦ８に素材ＡＶｓ１のフレームのデータが供給されず、また、ディスクＤＩＳＣ６からバッファＢＦ１６に素材ＡＶｓ２のフレームのデータが供給されていないので、転送期間ｔ１においては、第１及び第２キャッシュ１４６及び１４７には素材ＡＶｓ１及びＡＶｓ２のフレームのデータが供給されない。
【０３５７】
このとき、読み出し期間Ｒｔにおいては、制御部１７１からバス１７０を介して供給されるスイッチング制御信号ＤＳＷ２によって、スイッチ１７４の可動接点ｄが固定接点ａに接続されるので、バッファＢＦ２及びディスクＤＩＳＣ２間はデータ転送可能となる。つまり、最初のサイクルの転送期間ｔ１の読み出し期間Ｒｔにおいては、ディスクＤＩＳＣ２からバッファＢＦ２に素材ＡＶｓ１のフレームＦｒ４、Ｆｒ５及びＦｒ６のデータが供給される。
【０３５８】
また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。しかしながら、最初のサイクルの転送期間ｔ１の読み出し期間Ｒｔにおいては、ディスクドライブ４３が再生状態ではないので、ディスクＤＩＳＣ８からバッファＢＦ１８に素材ＡＶｓ２のフレームＦｒ１９、Ｆｒ２０及びＦｒ２１のデータは供給されない。ディスクＤＩＳＣ８からバッファＢＦ１８に素材ＡＶｓ２のフレームＦｒ１９、Ｆｒ２０及びＦｒ２１のデータが供給されるのは、２番目のサイクルの転送期間ｔ１の読み出し期間Ｒｔとなる。
【０３５９】
転送期間ｔ２においては、図１２に示した制御部１７１からバス１７０を介して供給されるスイッチング制御信号ＳＷ１によってスイッチＳ１がオンになり、これによって、前の転送期間ｔ０の読み出し期間ＲｔにおいてディスクＤＩＳＣ１からバッファＢＦ１に転送されている素材ＡＶｓ１のフレームＦｒ１、Ｆｒ２及びＦｒ３のデータが、バッファＢＦ１から第１キャッシュ１４６に転送される。
【０３６０】
一方、制御部１７１からバス１７０を介して供給されるスイッチング制御信号ＳＷ２によってスイッチＳ１７がオンになるが、最初のサイクルの転送期間ｔ０の読み出し期間Ｒｔにおいて、ディスクドライブ４２からバッファＢＦ１７にデータは転送されていないので、バッファＢＦ１７から第２キャッシュ１４６にはデータが転送されない。
【０３６１】
但し、２番目のサイクルの転送期間ｔ２からは、図１２に示した制御部１７１からバス１７０を介して供給されるスイッチング制御信号ＳＷ２によってスイッチＳ１７がオンになり、これによって、最初のサイクルの転送期間ｔ０の読み出し期間ＲｔにおいてディスクＤＩＳＣ７からバッファＢＦ１７に転送されているフレームのデータが、バッファＢＦ１７から第２キャッシュ１４７に転送される。
【０３６２】
一方、転送期間ｔ２の読み出し期間Ｒｔにおいては、制御部１７１からバス１７０を介して供給されるスイッチング制御信号ＤＳＷ３によって、スイッチ１７６の可動接点ｄが固定接点ａに接続されるので、バッファＢＦ３及びディスクＤＩＳＣ３間はデータ転送可能となる。つまり、最初のサイクルの転送期間ｔ２の読み出し期間Ｒｔにおいては、ディスクＤＩＳＣ３からバッファＢＦ３に素材ＡＶｓ１のフレームＦｒ７、Ｆｒ８及びＦｒ９のデータが供給される
【０３６３】
また、制御部１７１からバス１７０を介して供給されるスイッチング制御信号ＤＳＷ１によって、スイッチ１７２の可動接点ｄが固定接点ｂに接続されるので、バッファＢＦ１１及びディスクＤＩＳＣ１間はデータ転送可能となる。しかしながら、最初のサイクルの転送期間ｔ２の読み出し期間Ｒｔにおいては、ディスクドライブ２２が再生状態ではないので、ディスクＤＩＳＣ１からバッファＢＦ１１に素材ＡＶｓ２のフレームＦｒ２２、Ｆｒ２３及びＦｒ２４のデータが供給されない。ディスクＤＩＳＣ１からバッファＢＦ１１に素材ＡＶｓ２のフレームＦｒ２２、Ｆｒ２３及びＦｒ２４のデータが供給されるのは、２番目のサイクルの転送期間ｔ２の読み出し期間Ｒｔとなる。
【０３６４】
転送期間ｔ３においては、図１２に示した制御部１７１からバス１７０を介して供給されるスイッチング制御信号ＳＷ１によってスイッチＳ２がオンになり、これによって、前の転送期間ｔ１の読み出し期間ＲｔにおいてディスクＤＩＳＣ２からバッファＢＦ２に転送されている素材ＡＶｓ１のフレームＦｒ４、Ｆｒ５及びＦｒ６のデータが、バッファＢＦ２から第１キャッシュ１４６に転送される。
【０３６５】
一方、最初のサイクルの転送期間ｔ３においては、制御部１７１からバス１７０を介して供給されるスイッチング制御信号ＳＷ２によってスイッチＳ１８がオンになるが、最初のサイクルの転送期間ｔ１の読み出し期間Ｒｔにおいて、ディスクドライブ４３からバッファＢＦ１８にデータが転送されていないので、バッファＢＦ１８から第２キャッシュ１４６にはデータが転送されない。
【０３６６】
但し、２番目のサイクルの転送期間ｔ３からは、図１２に示した制御部１７１からバス１７０を介して供給されるスイッチング制御信号ＳＷ２によってスイッチＳ１８がオンになり、これによって、最初のサイクルの転送期間ｔ１の読み出し期間ＲｔにおいてディスクＤＩＳＣ８からバッファＢＦ１８に転送されているフレームのデータが、バッファＢＦ１８から第２キャッシュ１４７に転送される。
【０３６７】
一方、最初のサイクルの転送期間ｔ３の読み出し期間Ｒｔにおいては、制御部１７１からバス１７０を介して供給されるスイッチング制御信号ＤＳＷ４によって、スイッチ１７８の可動接点ｄが固定接点ａに接続されるので、バッファＢＦ４及びディスクＤＩＳＣ４間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ１２及びディスクＤＩＳＣ２間はデータ転送可能となる。
【０３６８】
つまり、最初のサイクルの転送期間ｔ３の読み出し期間Ｒｔにおいては、ディスクＤＩＳＣ４からバッファＢＦ４に素材ＡＶｓ１のフレームＦｒ１０、Ｆｒ１１及びＦｒ１２のデータが供給され、ディスクドライブディスクＤＩＳＣ２からバッファＢＦ１２に素材ＡＶｓ２のフレームＦｒ１、Ｆｒ２及びＦｒ３のデータが供給される。
【０３６９】
転送期間ｔ４においては、図１２に示した制御部１７１からバス１７０を介して供給されるスイッチング制御信号ＳＷ１によってスイッチＳ３がオンになり、これによって、前の転送期間ｔ２の読み出し期間ＲｔにおいてディスクＤＩＳＣ３からバッファＢＦ３に転送されている素材ＡＶｓ１のフレームＦｒ７、Ｆｒ８及びＦｒ９のデータが、バッファＢＦ３から第１キャッシュ１４６に転送される。
【０３７０】
一方、最初のサイクルの転送期間ｔ４においては、制御部１７１からバス１７０を介して供給されるスイッチング制御信号ＳＷ２によってスイッチＳ１１がオンになるが、最初のサイクルの転送期間ｔ２の読み出し期間Ｒｔにおいては、ディスクドライブ２２からバッファＢＦ１１にデータが供給されていないので、バッファＢＦ１１から第２キャッシュ１４７にはデータが供給されない。
【０３７１】
但し、２番目のサイクルの転送期間ｔ４からは、図１２に示した制御部１７１からバス１７０を介して供給されるスイッチング制御信号ＳＷ２によってスイッチＳ１１がオンになり、これによって、前の転送期間ｔ２の読み出し期間ＲｔにおいてディスクＤＩＳＣ１からバッファＢＦ１１に転送されているフレームのデータが、バッファＢＦ１１から第２キャッシュ１４７に転送される。
【０３７２】
一方、最初のサイクルの転送期間ｔ４の読み出し期間Ｒｔにおいては、制御部１７１からバス１７０を介して供給されるスイッチング制御信号ＤＳＷ５によって、スイッチ１８０の可動接点ｄが固定接点ａに接続されるので、バッファＢＦ５及びディスクＤＩＳＣ５間はデータ転送可能となる。また、制御部１７１からバス１７０を介して供給されるスイッチング制御信号ＤＳＷ３によって、スイッチ１７６の可動接点ｄが固定接点ｂに接続されるので、バッファＢＦ１３及びディスクＤＩＳＣ３間はデータ転送可能となる。
【０３７３】
つまり、最初のサイクルの転送期間ｔ４の読み出し期間Ｒｔにおいては、ディスクＤＩＳＣ５からバッファＢＦ５に素材ＡＶｓ１のフレームＦｒ１３、Ｆｒ１４及びＦｒ１５のデータが供給され、ディスクＤＩＳＣ３からバッファＢＦ１３に素材ＡＶｓ２のフレームＦｒ４、Ｆｒ５及びＦｒ６のデータが供給される。
【０３７４】
転送期間ｔ５においては、図１２に示した制御部１７１からバス１７０を介して供給されるスイッチング制御信号ＳＷ１によってスイッチＳ４がオンになり、これによって、前の転送期間ｔ３の読み出し期間ＲｔにおいてディスクＤＩＳＣ４からバッファＢＦ４に転送されている素材ＡＶｓ１のフレームＦｒ１０、Ｆｒ１１及びＦｒ１２のデータが、バッファＢＦ４から第１キャッシュ１４６に転送される。そして、同時に制御部１７１からバス１７０を介して供給されるスイッチング制御信号ＳＷ２によってスイッチＳ１２がオンになり、これによって、前の転送期間ｔ３の読み出し期間ＲｔにおいてディスクＤＩＳＣ２からバッファＢＦ１２に転送されている素材ＡＶｓ２のフレームＦｒ１、Ｆｒ２及びＦｒ３のデータが、バッファＢＦ１２から第２キャッシュ１４７に転送される。
【０３７５】
これによって、素材ＡＶｓ２のデータが、先頭のデータである、フレームＦｒ１から順次出力されることになる。
【０３７６】
このとき、読み出し期間Ｒｔにおいては、制御部１７１からバス１７０を介して供給されるスイッチング制御信号ＤＳＷ６によって、スイッチ１８２の可動接点ｄが固定接点ａに接続されるので、バッファＢＦ６及びディスクＤＩＳＣ６間はデータ転送可能となる。また、制御部１７１からバス１７０を介して供給されるスイッチング制御信号ＤＳＷ４によって、スイッチ１７８の可動接点ｄが固定接点ｂに接続されるので、バッファＢＦ１４及びディスクＤＩＳＣ４間はデータ転送可能となる。
【０３７７】
つまり、この読み出し期間Ｒｔにおいては、ディスクＤＩＳＣ６からバッファＢＦ６に素材ＡＶｓ１のフレームＦｒ１６、Ｆｒ１７及びＦｒ１８のデータが供給され、ディスクＤＩＳＣ４からバッファＢＦ１４に素材ＡＶｓ２のフレームＦｒ７、Ｆｒ８及びＦｒ９のデータが供給される。
【０３７８】
転送期間ｔ６においては、図１２に示した制御部１７１からバス１７０を介して供給されるスイッチング制御信号ＳＷ１によってスイッチＳ５がオンになり、これによって、前の転送期間ｔ４の読み出し期間ＲｔにおいてディスクＤＩＳＣ５からバッファＢＦ５に転送されている素材ＡＶｓ１のフレームＦｒ１３、Ｆｒ１４及びＦｒ１５のデータが、バッファＢＦ５から第１キャッシュ１４６に転送される。そして、同時に制御部１７１からバス１７０を介して供給されるスイッチング制御信号ＳＷ２によってスイッチＳ１３がオンになり、これによって、前の転送期間ｔ４の読み出し期間ＲｔにおいてディスクＤＩＳＣ３からバッファＢＦ１３に転送されている素材ＡＶｓ２のフレームＦｒ４、Ｆｒ５及びＦｒ６のデータが、バッファＢＦ１３から第２キャッシュ１４７に転送される。
【０３７９】
このとき、読み出し期間Ｒｔにおいては、制御部１７１からバス１７０を介して供給されるスイッチング制御信号ＤＳＷ７によって、スイッチ１８４の可動接点ｄが固定接点ａに接続されるので、バッファＢＦ７及びディスクＤＩＳＣ７間はデータ転送可能となる。また、制御部１７１からバス１７０を介して供給されるスイッチング制御信号ＤＳＷ５によって、スイッチ１８０の可動接点ｄが固定接点ｂに接続されるので、バッファＢＦ１５及びディスクＤＩＳＣ５間はデータ転送可能となる。
【０３８０】
つまり、この読み出し期間Ｒｔにおいては、ディスクＤＩＳＣ７からバッファＢＦ７に素材ＡＶｓ１のフレームＦｒ１９、Ｆｒ２０及びＦｒ２１のデータが供給され、ディスクＤＩＳＣ５からバッファＢＦ１５に素材ＡＶｓ２のフレームＦｒ１０、Ｆｒ１１及びＦｒ１２のデータが供給される。
【０３８１】
転送期間ｔ７においては、図１２に示した制御部１７１からバス１７０を介して供給されるスイッチング制御信号ＳＷ１によってスイッチＳ６がオンになり、これによって、前の転送期間ｔ５の読み出し期間ＲｔにおいてディスクＤＩＳＣ６からバッファＢＦ６に転送されている素材ＡＶｓ１のフレームＦｒ１６、Ｆｒ１７及びＦｒ１８のデータが、バッファＢＦ６から第１キャッシュ１４６に転送される。そして、同時に制御部１７１からバス１７０を介して供給されるスイッチング制御信号ＳＷ２によってスイッチＳ１４がオンになり、これによって、前の転送期間ｔ５の読み出し期間ＲｔにおいてディスクＤＩＳＣ４からバッファＢＦ１４に転送されている素材ＡＶｓ２のフレームＦｒ７、Ｆｒ８及びＦｒ９のデータが、バッファＢＦ１４から第２キャッシュ１４７に転送される。
【０３８２】
このとき、読み出し期間Ｒｔにおいては、制御部１７１からバス１７０を介して供給されるスイッチング制御信号ＤＳＷ８によって、スイッチ１８６の可動接点ｄが固定接点ａに接続されるので、バッファＢＦ８及びディスクＤＩＳＣ８間はデータ転送可能となる。また、制御部１７１からバス１７０を介して供給されるスイッチング制御信号ＤＳＷ６によって、スイッチ１８２の可動接点ｄが固定接点ｂに接続されるので、バッファＢＦ１６及びディスクＤＩＳＣ６間はデータ転送可能となる。
【０３８３】
つまり、この読み出し期間Ｒｔにおいては、ディスクＤＩＳＣ８からバッファＢＦ８に素材ＡＶｓ１のフレームＦｒ２２、Ｆｒ２３及びＦｒ２４のデータが供給され、ディスクＤＩＳＣ６からバッファＢＦ１６に素材ＡＶｓ２のフレームＦｒ１３、Ｆｒ１４及びＦｒ１５のデータが供給される。
【０３８４】
２番目のサイクルの転送期間ｔ０においては、図１２に示した制御部１７１からバス１７０を介して供給されるスイッチング制御信号ＳＷ１によってスイッチＳ７がオンになり、これによって、前の転送期間ｔ６の読み出し期間ＲｔにおいてディスクＤＩＳＣ７からバッファＢＦ７に転送されている素材ＡＶｓ１のフレームＦｒ１９、Ｆｒ２０及びＦｒ２１のデータが、バッファＢＦ７から第１キャッシュ１４６に転送される。そして、同時に制御部１７１からバス１７０を介して供給されるスイッチング制御信号ＳＷ２によってスイッチＳ１５がオンになり、これによって、前の転送期間ｔ６の読み出し期間ＲｔにおいてディスクＤＩＳＣ５からバッファＢＦ１５に転送されている素材ＡＶｓ２のフレームＦｒ１０、Ｆｒ１１及びＦｒ１２のデータが、バッファＢＦ１５から第２キャッシュ１４７に転送される。
【０３８５】
このとき、読み出し期間Ｒｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。また、制御部１７１からバス１７０を介して供給されるスイッチング制御信号ＤＳＷ７によって、スイッチ１８４の可動接点ｄが固定接点ｂに接続されるので、バッファＢＦ１７及びディスクＤＩＳＣ７間はデータ転送可能となる。
【０３８６】
つまり、この２番目のサイクルの転送期間ｔ０の読み出し期間Ｒｔにおいては、ディスクＤＩＳＣ１からバッファＢＦ１に素材ＡＶｓ１のフレームＦｒ２５、Ｆｒ２６及びＦｒ２７のデータが供給され、ディスクＤＩＳＣ７からバッファＢＦ１２にフレームＦｒ１６、Ｆｒ１７及びＦｒ１８のデータが供給される。
【０３８７】
２番目のサイクルの転送期間ｔ１においては、図１２に示した制御部１７１からバス１７０を介して供給されるスイッチング制御信号ＳＷ１によってスイッチＳ８がオンになり、これによって、前の転送期間ｔ７の読み出し期間ＲｔにおいてディスクＤＩＳＣ８からバッファＢＦ８に転送されている素材ＡＶｓ１のフレームＦｒ２２、Ｆｒ２３及びＦｒ２４のデータが、バッファＢＦ８から第１キャッシュ１４６に転送される。そして、同時に制御部１７１からバス１７０を介して供給されるスイッチング制御信号ＳＷ２によってスイッチＳ１６がオンになり、これによって、前の転送期間ｔ７の読み出し期間ＲｔにおいてディスクＤＩＳＣ６からバッファＢＦ１６に転送されている素材ＡＶｓ２のフレームＦｒ１３、Ｆｒ１４及びＦｒ１５のデータが、バッファＢＦ１６から第２キャッシュ１４７に転送される。
【０３８８】
このとき、読み出し期間Ｒｔにおいては、制御部１７１からバス１７０を介して供給されるスイッチング制御信号ＤＳＷ２によって、スイッチ１７４の可動接点ｄが固定接点ａに接続されるので、バッファＢＦ２及びディスクＤＩＳＣ２間はデータ転送可能となる。また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。
【０３８９】
つまり、２番目のサイクルの転送期間ｔ１の読み出し期間Ｒｔにおいては、ディスクＤＩＳＣ２からバッファＢＦ２に素材ＡＶｓ１のフレームＦｒ２８、Ｆｒ２９及びＦｒ３０のデータが供給され、ディスクＤＩＳＣ８からバッファＢＦ１８に素材ＡＶｓ２のフレームＦｒ１９、Ｆｒ２０及びＦｒ２１のデータが供給される。
【０３９０】
２番目のサイクルの転送期間ｔ２においては、図１２に示した制御部１７１からバス１７０を介して供給されるスイッチング制御信号ＳＷ１によってスイッチＳ１がオンになり、これによって、前の転送期間ｔ０の読み出し期間ＲｔにおいてディスクＤＩＳＣ１からバッファＢＦ１に転送されている素材ＡＶｓ１のフレームＦｒ２５、Ｆｒ２６及びＦｒ２７のデータが、バッファＢＦ１から第１キャッシュ１４６に転送される。そして、同時に制御部１７１からバス１７０を介して供給されるスイッチング制御信号ＳＷ２によってスイッチＳ１７がオンになり、これによって、前の転送期間ｔ０の読み出し期間ＲｔにおいてディスクＤＩＳＣ７からバッファＢＦ１７に転送されている素材ＡＶｓ２のフレームＦｒ１６、Ｆｒ１７及びＦｒ１８のデータが、バッファＢＦ１７から第２キャッシュ１４７に転送される。
【０３９１】
このとき、読み出し期間Ｒｔにおいては、制御部１７１からバス１７０を介して供給されるスイッチング制御信号ＤＳＷ１によって、スイッチ１７２の可動接点ｄが固定接点ａに接続されるので、バッファＢＦ１１及びディスクＤＩＳＣ１間はデータ転送可能となる。また、制御部１７１からバス１７０を介して供給されるスイッチング制御信号ＤＳＷ３によって、スイッチ１７６の可動接点ｄが固定接点ｂに接続されるので、バッファＢＦ３及びディスクＤＩＳＣ３間はデータ転送可能となる。
【０３９２】
つまり、２番目のサイクルの転送期間ｔ２の読み出し期間Ｒｔにおいては、ディスクＤＩＳＣ１からバッファＢＦ１１に素材ＡＶｓ２のフレームＦｒ２２、Ｆｒ２３及びＦｒ２４のデータが供給され、ディスクＤＩＳＣ１からバッファＢＦ１１に素材ＡＶｓ２のフレームＦｒ３１、Ｆｒ３２及びＦｒ３３のデータが供給される。
【０３９３】
そして、以降、同様にして、順次ディスクドライブ２２、２３、３０、３１、３４、３５、４２及び４３の各ディスクＤＩＳＣ１、ＤＩＳＣ２、・・・・ＤＩＳＣ８から再生された素材ＡＶｓ１のデータがバッファＢＦ１〜ＢＦ８に、ディスクドライブ２３、３０、３１、３４、３５、４２、４３及び２２の各ディスクＤＩＳＣ２、ＤＩＳＣ３、・・・・ＤＩＳＣ１から再生された素材ＡＶｓ２のデータがＢＦ１１〜ＢＦ１８に夫々供給された後に、第１及び第２キャッシュ１４６及び１４７に供給され、更に、これら第１及び第２キャッシュ１４６及び１４７から読み出される。
【０３９４】
尚、素材ＡＶｓ１のデータは、ディスクドライブ２２、２３、３０、３１、３４、３５、４２及び４３の各ディスクＤＩＳＣ１、ＤＩＳＣ２、・・・・ＤＩＳＣ８にフレームＦｒ１、Ｆｒ２、・・・・Ｆｒｎの順序で記録され、素材ＡＶｓ２のデータは、ディスクドライブ２３、３０、３１、３４、３５、４２、４３及び２２の各ディスクＤＩＳＣ２、ＤＩＳＣ３、・・・・ＤＩＳＣ１にフレームＦｒ１、Ｆｒ２、・・・・Ｆｒｎの順序で記録され、しかも、同じディスクＤＩＳＣ１、ＤＩＳＣ２、・・・・ＤＩＳＣ８を時分割でアクセスするようにしている。従って、素材ＡＶｓ２の任意のフレームデータは、素材ＡＶｓ１の同じフレームデータが、ディスクＤＩＳＣ１〜ＤＩＳＣ８から読み出されてバッファＢＦ１〜ＢＦ８に供給される時点よりも、３転送期間分だけ遅れる。
【０３９５】
例えば素材ＡＶｓ１のフレームＦｒ１のデータは、転送期間ｔ０から始まる読み出し期間ＲｔにディスクＤＩＳＣ１から読み出され、バッファＢＦ１に供給されるが、素材ＡＶｓ２のフレームＦｒ１のデータは、転送期間ｔ３から始まる読み出し期間ＲｔにディスクＤＩＳＣ２から読み出され、バッファＢＦ１２に供給される。
【０３９６】
従って、第１キャッシュ１４６から読み出される素材ＡＶｓ１のデータのフレームと、第２キャッシュ１４７から読み出される素材ＡＶｓ２のデータのフレームとを一致させるために、本例では、バッファＢＦ１〜ＢＦ８に記憶したフレームデータを読み出すタイミングを、バッファＢＦ１１〜ＢＦ１８に記憶したフレームデータを読み出すタイミングに合わせるようにしている。この制御は、図１２に示した制御部１７１が行う。つまり、再生のタイミングをフレーム単位まで合わせるようにしている。
【０３９７】
尚、上述の例においては、Ｍ＝２の場合について説明したが、Ｍ＝３でも同じ用に独立して再生を行うことができる。この場合、第１、第２及び第３キャッシュ１４６、１４７及び１４８を使用することが前提となる。従って、Ｍ＝４の場合には、キャッシュをもう１つ増やせば良い。
【０３９８】
この例においては、最初の転送期間においてディスクドライブ２２、２３、３０、３１、３４、３５、４２及び４３の各ディスクＤＩＳＣ１、ＤＩＳＣ２、・・・・ＤＩＳＣ８上の任意のＭ箇所を再生し、再生して得た複数の再生素材を、バッファＢＦ１〜ＢＦ８、バッファＢＦ１１〜ＢＦ１８、バッファＢＦ２１〜ＢＦ２８に記憶し、転送期間を１つおいた次の転送期間において、バッファＢＦ１〜ＢＦ８、バッファＢＦ１１〜ＢＦ１８、バッファＢＦ２１〜ＢＦ２８に記憶してある素材データを読み出し、読みだした素材データを第１、第２及び第３キャッシュ１４６、１４７及び１４８に記憶し、これら第１、第２及び第３キャッシュ１４６、１４７及び１４８に記憶した素材データを読み出して出力するようにしたので、同時に複数の素材を出力することができ、これによって、例えば再生用のＶＴＲを複数台使用するといった大規模なシステム或いは装置の構築、複数台のＶＴＲを同期させて各出力の位相を合わせるための回路の追加、複数台のＶＴＲに同時再生させたい素材テープをセットしたり、或いは、このような素材テープを各ＶＴＲ用に編集して作成するといった煩わしい作業を全て排除することができる。また、本例においては、再生機２１で再生した素材や外部入力素材を、ディスクドライブ２２、２３、３０、３１、３４、３５、４２及び４３のディスクＤＩＳＣ１、ＤＩＳＣ２、・・・・ＤＩＳＣ８に一旦記録し、これらの素材データを複数再生できるようにしているので、ライブラリシステム等のアーカイブとして使用でき、ディスクのアクセスの良さ、ＶＴＲが使用するビデオ・テープ・カセットの大記録容量といった夫々の利点を生かしながら、よりオペレータに負担のかからない、且つ、規模の小さい装置或いはシステムを提供することができる。
【０３９９】
Ｕ．ディスク上の任意のＭ箇所を再生、且つ、高速記録再生ＶＴＲからの１倍速の再生信号をディスク上に記録する場合の動作説明（図３０、図３１及び図３２参照）
【０４００】
次に、図１７に示したディスクＤＩＳＣ１、ＤＩＳ２、・・・・ＤＩＳＣ８上に素材毎に記録してある音声、映像及びサブコードデータを素材毎に任意に再生し、且つ、図１に示した再生機２１からの１倍速の音声、映像及びサブコードデータをディスクＤＩＳＣ１、ＤＩＳＣ２、・・・・ＤＩＳＣ３に記録する場合の動作について説明する。
【０４０１】
図３０から説明する。図３０は、素材ＡＶｓ１の音声、映像及びサブコードデータ（図中、ドットで示す領域）をディスクＤＩＳＣ１、ＤＩＳＣ２、・・・・ＤＩＳＣ８の順に記録し、素材ＡＶｓ２の音声、映像及びサブコードデータ（図中、斜線で示す領域）をディスクＤＩＳＣ２、ＤＩＳＣ３、・・・・ＤＩＳＣ４の順に記録し、・・・・素材ＡＶｓｎの音声、映像及びサブコードデータ（図中、素材ＡＶｓ２の斜線と逆の斜線で示す領域）を記録している場合を示す。
【０４０２】
そして、以上のような記録状態のディスクＤＩＳＣ１、ＤＩＳＣ２、・・・・ＤＩＳＣ８に、図１に示した再生機２１からの素材を、元々ディスクＤＩＳＣ１、ＤＩＳＣ２、・・・・ＤＩＳＣ８の素材ＡＶｓｎ−１の音声、映像及びサブコードデータ（図中、網目で示す領域）の記録されているエリアに記録している場合を示す。
【０４０３】
つまり、図３０においては、ディスクＤＩＳＣ１、ＤＩＳＣ２、・・・・ＤＩＳＣ８から素材ＡＶｓ１及びＡＶｓ２のデータを再生すると同時に、図１に示した再生機２１からの素材データを、ディスクＤＩＳＣ１、ＤＩＳＣ２、・・・・ＤＩＳＣ８に記録している状態を示している。
【０４０４】
次に、図３１及び図３２を参照してディスクＤＩＳＣ１、ＤＩＳＣ２、・・・・ＤＩＳＣ８から、素材ＡＶｓ１と素材ＡＶｓ２を再生すると同時に、図１に示した再生機２１からの素材を記録する場合について説明する。
【０４０５】
これら図３１及び図３２に示す各符号は、図１８及び図１９、図２５及び図２６、図２８及び２９に夫々示した符号と同様なので、その説明を省略する。尚、素材ＡＶｓ１のデータは、各ディスクドライブ２２、２３、３０、３１、３４、３５、４２及び４３の各ディスクＤＩＳＣ１、ＤＩＳＣ２、・・・・ＤＩＳＣ８の各エリアの先頭からフレームＦｒ１から順に記録し、素材ＡＶｓ２のデータは、各ディスクドライブ２２、２３、３０、３１、３４、３５、４２及び４３の各ディスクＤＩＳＣ２、ＤＩＳＣ３、・・・・ＤＩＳＣ１の各エリアの先頭からフレームＦｒ１から順に記録しているものとする。
【０４０６】
既に説明したように、ディスクドライブ２２、２３、３０、３１、３４、３５、４２及び４３の各ディスクＤＩＳＣ１、ＤＩＳＣ２、・・・・ＤＩＳＣ８から読み出された素材ＡＶｓ１及びＡＶｓ２のデータは、図１２に示したスイッチ１７２、１７４、１７６、１７８、１８０、１８２、１８４、１８６を介してバッファＢＦ１〜ＢＦ８及びＢＦ１１〜ＢＦ１８に夫々供給される。
【０４０７】
尚、図３０に示すように、素材ＡＶｓ１のデータは、ディスクＤＩＳＣ１から順に、フレームＦｒ１、Ｆｒ２、・・・・の順に記録され、素材ＡＶｓ２のデータは、ディスクＤＩＳＣ２から順に、フレームＦｒ１、Ｆｒ２、・・・・の順に記録されているので、図２７〜図２９を参照して説明したように、以下の例では、第３の再生制御方法を採用した場合について説明する。
【０４０８】
また、図１に示した再生機２１からの１倍速再生信号、或いは、図１に示した入力部２５を介して供給される外部入力信号は、以下に示す転送サイクルの内の最初のサイクルの転送期間ｔ３の開始に同期して供給されるものとする。
【０４０９】
このタイミングの制御は、システムコントローラ３３の制御によって、データコントローラ２０が転送サイクルに入り、最初の転送サイクルの期間ｔ３の開始時点に、再生機２１の再生信号の内の、ディスクＤＩＳＣ１に記録する部分が、第３キャッシュ１４８に供給されるようにタイミングを取ることによって行われる。従って、システムコントローラ３３は、再生機２１に再生開始を示す制御信号を供給してから実際に再生信号が再生機２１から出力されるまでの、いわゆる立ち上がり時間が内部のメモリ等にセットされている。
【０４１０】
また、再生機２１にセットされているビデオ・テープ・カセットの磁気テープ上記録信号の内のどの信号からディスクＤＩＳＣ１に記録し始めるかは、通常、オペレータが操作パネル３３ｄ、或いは、コネクタ３３ａ、３３ｂ、３３ｃに接続する編集機等を介して、イン点データ（使用開始時点を示すタイムコード）をシステムコントローラ３３に指定することになる。
【０４１１】
従って、もしも再生機２１を再生する場合に、プリロール期間を設定し、イン点に対応する再生信号から順にディスクＤＩＳＣ１、ＤＩＳＣ２、・・・・ＤＩＳＣ８に記録する場合は、システムコントローラ３３は、イン点となったときに、データコントローラ２０における転送サイクルの期間が期間ｔ３となるように、データコントローラ２０を制御する。
【０４１２】
先ず、最初のサイクルの転送期間ｔ０においては、図１２に示した制御部１７１からバス１７０を介して供給されるスイッチング制御信号ＳＷ１によってスイッチＳ７がオンになり、これによって、バッファＢＦ７から第１キャッシュ１４６に素材ＡＶｓ１のフレームのデータが転送できる状態になる。そして、同時に制御部１７１からバス１７０を介して供給されるスイッチング制御信号ＳＷ２によってスイッチＳ１５がオンになり、これによって、バッファＢＦ１５から第２キャッシュ１４７に素材ＡＶｓ２のフレームのデータが転送できる状態となる。
【０４１３】
しかしながら、最初のサイクルの転送期間ｔ０においては、まだディスクＤＩＳＣ７からバッファＢＦ７に素材ＡＶｓ１のフレームのデータが供給されておらず、また、ディスクＤＩＳＣ５からバッファ１５に素材ＡＶｓ２のフレームのデータが供給されていないので、最初のサイクルの転送期間ｔ０においては、第１及び第２キャッシュ１４６及び１４７には、素材ＡＶｓ１及びＡＶｓ２のフレームのデータが供給されない。
【０４１４】
また、制御部１７１からバス１７０を介して供給されるスイッチング制御信号ＳＷ３によって、スイッチ２６がオンになり、これによって、第３キャッシュ１４８に記憶されているデータが、バッファＢＦ２６に転送できる状態となる。
【０４１５】
しかしながら、最初のサイクルの転送期間ｔ０においては、再生機２１からの再生素材としてのフレームのデータは、第３キャッシュ１４８に供給されていないので、第３キャッシュ１４８からバッファＢＦ２６にはデータが転送されない。
【０４１６】
このとき、読み出し期間Ｒｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。つまり、最初のサイクルの転送期間ｔ０の読み出し期間Ｒｔにおいては、ディスクＤＩＳＣ１から読み出された素材ＡＶｓ１のフレームＦｒ１、Ｆｒ２及びＦｒ３のデータが、バッファＢＦ１に供給される。
【０４１７】
また、制御部１７１からバス１７０を介して供給されるスイッチング制御信号ＤＳＷ７によって、スイッチ１８４の可動接点ｄが固定接点ｂに接続されるので、バッファＢＦ１７及びディスクＤＩＳＣ７間はデータ転送可能となる。しかしながら、最初のサイクルの転送期間ｔ０の読み出し期間Ｒｔにおいては、ディスクドライブ４２が再生状態ではないので、ＤＩＳＣ７からバッファＢＦ７に、素材ＡＶｓ２のフレームＦｒ１６、Ｆｒ１７及びＦｒ１８のデータは供給されない。素材ＡＶｓ２のフレームＦｒ１６、Ｆｒ１７及びＦｒ１８のデータがバッファＢＦ７に供給されるのは、２番目のサイクルの転送期間ｔ０の読み出し期間Ｒｔとなる。
【０４１８】
一方、最初のサイクルの転送期間ｔ０の書き込み期間Ｗｔにおいては、制御部１７１からバス１７０を介して供給されるスイッチング制御信号ＤＳＷ５によって、スイッチ１８０の可動接点ｄが固定接点ｃに接続されるので、バッファＢＦ２５及びディスクＤＩＳＣ５間データ転送可能となる。しかしながら、最初のサイクルの転送期間ｔ０においては、バッファＢＦ２５には再生機２１からは何も転送されていないので、この場合にはディスクＤＩＳＣ５にはデータが記録されない。
【０４１９】
転送期間ｔ１においては、図１２に示した制御部１７１からバス１７０を介して供給されるスイッチング制御信号ＳＷ１によってスイッチＳ８がオンになり、これによって、バッファＢＦ８から第１キャッシュ１４６に素材ＡＶｓ１のフレームのデータが転送できる状態になる。そして、同時に制御部１７１からバス１７０を介して供給されるスイッチング制御信号ＳＷ２によって、スイッチＳ１６がオンになり、これによって、バッファＢＦ１６から第２キャッシュ１４７に素材ＡＶｓ２のフレームのデータが転送できる状態となる。
【０４２０】
しかしながら、最初のサイクルの転送期間ｔ１においては、まだディスクＤＩＳＣ８からバッファＢＦ８に素材ＡＶｓ１のフレームのデータが供給されず、また、ディスクＤＩＳＣ６からバッファＢＦ１６に素材ＡＶｓ２のフレームのデータが供給されていないので、最初のサイクルの転送期間ｔ１においては、第１及び第２キャッシュ１４６及び１４７には、素材ＡＶｓ１及びＡＶｓ２のフレームのデータが供給されない。
【０４２１】
一方、制御部１７１からバス１７０を介して供給されるスイッチング制御信号ＳＷ３によって、スイッチＳ２７がオンになり、これによって、第３キャッシュ１４８に記憶されている再生機２１からの再生素材としてのフレームのデータが、バッファＢＦ２７に転送できる状態となる。しかしながら、最初のサイクルの転送期間ｔ１においては、再生機２１からの再生素材としてのフレームデータは、第３キャッシュ１４８に供給されていないので、第３キャッシュ１４８からバッファＢＦ２７にデータが転送されない。
【０４２２】
このとき、読み出し期間Ｒｔにおいては、制御部１７１からバス１７０を介して供給されるスイッチング制御信号ＤＳＷ２によって、スイッチ１７４の可動接点ｄが固定接点ａに接続されるので、バッファＢＦ２及びディスクＤＩＳＣ２間はデータ転送可能となる。つまり、この読み出し期間Ｒｔにおいては、ディスクＤＩＳＣ２からバッファＢＦ２に素材ＡＶｓ１のフレームＦｒ４、Ｆｒ５及びＦｒ６のデータが供給される。
【０４２３】
また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。しかしながら、最初のサイクルの転送期間ｔ１の読み出し期間Ｒｔにおいては、ディスクドライブ４３は再生状態ではないので、ディスクＤＩＳＣ８からバッファＢＦ１８に素材ＡＶｓ２のフレームＦｒ１９、Ｆｒ２０及びＦｒ２１のデータが供給されない。ディスクＤＩＳＣ８からバッファＢＦ１８に素材ＡＶｓ２のフレームＦｒ１９、Ｆｒ２０及びＦｒ２１のデータが供給されるのは、２番目のサイクルの転送期間ｔ１の読み出し期間Ｒｔとなる。
【０４２４】
一方、書き込み期間Ｗｔにおいては、制御部１７１からバス１７０を介して供給されるスイッチング制御信号ＤＳＷ６によって、スイッチ１８２の可動接点ｄが固定接点ｃに接続されるので、バッファＢＦ２６及びディスクＤＩＳＣ６間はデータ転送可能となる。しかしながら、最初のサイクルの転送期間ｔ０においては、第３キャッシュ１４８からバッファＢＦ２６にデータが転送されていないので、転送期間ｔ１の書き込み期間Ｗｔにおいては、ディスクＤＩＳＣ６にデータは記録されない。
【０４２５】
転送期間ｔ２においては、図１２に示した制御部１７１からバス１７０を介して供給されるスイッチング制御信号ＳＷ１によってスイッチＳ１がオンになり、これによって、前の転送期間ｔ０の読み出し期間ＲｔにおいてディスクＤＩＳＣ１から読み出されて、バッファＢＦ１に転送されている素材ＡＶｓ１のフレームＦｒ１、Ｆｒ２及びＦｒ３のデータが、バッファＢＦ１から第１キャッシュ１４６に転送される。従って、第１キャッシュ１４６から素材ＡＶｓ１のフレームＦｒ１、Ｆｒ２及びＦｒ３のデータが出力される。
【０４２６】
そして、同時に制御部１７１からバス１７０を介して供給されるスイッチング制御信号ＳＷ２によってスイッチＳ１７がオンになり、これによって、バッファＢＦ１７及び第２キャッシュ１４７間のデータ転送が可能になる。しかしながら、最初のサイクルの転送期間ｔ０の読み出し期間Ｒｔにおいては、ディスクＤＩＳＣ７からバッファＢＦ１７に、素材ＡＶｓ２のフレームのデータが供給されていないので、バッファＢＦ１７から第２キャッシュ１４７にデータは転送されない。
【０４２７】
一方、制御部１７１からバス１７０を介して供給されるスイッチング制御信号ＳＷ３によって、スイッチＳ２８がオンになり、これによって、第３キャッシュ１４８及びバッファＢＦ２８間がデータ転送可能となる。しかしながら、再生機２１からの再生素材データが、第３キャッシュ１４８に供給されていないので、第３キャッシュ１４８からバッファＢＦ２８にデータは供給されない。
【０４２８】
このとき、読み出し期間Ｒｔにおいては、制御部１７１からバス１７０を介して供給されるスイッチング制御信号ＤＳＷ３によって、スイッチ１７６の可動接点ｄが固定接点ａに接続されるので、バッファＢＦ３及びディスクＤＩＳＣ３間はデータ転送可能となる。つまり、この読み出し期間Ｒｔにおいては、ディスクＤＩＳＣ３から読み出された素材ＡＶｓ１のフレームＦｒ７、Ｆｒ８及びＦｒ９のデータが、バッファＢＦ３に供給される。
【０４２９】
また、制御部１７１からバス１７０を介して供給されるスイッチング制御信号ＤＳＷ１によって、スイッチ１７２の可動接点ｄが固定接点ｂに接続されるので、バッファＢＦ１１及びディスクＤＩＳＣ１間はデータ転送可能となる。しかしながら、最初のサイクルの転送期間ｔ２の読み出し期間Ｒｔにおいては、ディスクドライブ２２が再生状態ではないので、ディスクＤＩＳＣ１からバッファＢＦ１１に素材ＡＶｓ２のフレームＦｒ２２、Ｆｒ２３及びＦｒ２４のデータは供給されない。ディスクＤＩＳＣ１からバッファＢＦ１１に素材ＡＶｓ２のフレームＦｒ２２、Ｆｒ２３及びＦｒ２４のデータが供給されるのは、２番目のサイクルの転送期間ｔ２の読み出し期間Ｒｔとなる。
【０４３０】
また、書き込み期間Ｗｔにおいては、制御部１７１からバス１７０を介して供給されるスイッチング制御信号ＤＳＷ７によって、スイッチ１８４の可動接点ｄが固定接点ｃに接続されるので、バッファＢＦ２７及びディスクＤＩＳＣ７間はデータ転送可能となる。しかしながら、最初のサイクルの転送期間ｔ１の書き込み期間Ｗｔにおいては、第３キャッシュ１４８からバッファＢＦ２７にデータが転送されていないので、ディスク７にデータは記録されない。
【０４３１】
転送期間ｔ３においては、図１２に示した制御部１７１からバス１７０を介して供給されるスイッチング制御信号ＳＷ１によってスイッチＳ２がオンになり、これによって、前の転送期間ｔ１の読み出し期間ＲｔにおいてディスクＤＩＳＣ２から読み出されてバッファＢＦ２に転送されている、素材ＡＶｓ１のフレームＦｒ４、Ｆｒ５及びＦｒ６のデータが、バッファＢＦ２から第１キャッシュ１４６に転送される。
【０４３２】
そして、同時に制御部１７１からバス１７０を介して供給されるスイッチング制御信号ＳＷ２によってスイッチＳ１８がオンになり、これによって、第２キャッシュ１４７及びバッファＢＦ１８間はデータ転送可能となる。しかしながら、最初のサイクルの転送期間ｔ１の読み出し期間Ｒｔにおいて、ディスクＤＩＳＣ８からバッファＢＦ１８に、素材ＡＶｓ２のフレームのデータが転送されていないので、バッファＢＦ１８から第２キャッシュ１４７にデータが転送されない。
【０４３３】
一方、制御部１７１からバス１７０を介して供給されるスイッチング制御信号ＳＷ３によって、スイッチＳ２１がオンになり、これによって、第３キャッシュ１４８及びバッファＢＦ２１間がデータ転送可能となる。従って、再生機２１からの再生素材としての、フレームＦｒ１、Ｆｒ２及びＦｒ３のデータが、第３キャッシュ１４８に供給されて記憶された、再生機２１からのフレームＦｒ１、Ｆｒ２及びＦｒ３のデータが、バッファＢＦ２１に記憶される。
【０４３４】
このとき、読み出し期間Ｒｔにおいては、制御部１７１からバス１７０を介して供給されるスイッチング制御信号ＤＳＷ４によって、スイッチ１７８の可動接点ｄが固定接点ａに接続されるので、バッファＢＦ４及びディスクＤＩＳＣ４間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ１２及びディスクＤＩＳＣ２間はデータ転送可能となる。つまり、この読み出し期間Ｒｔにおいては、ディスクＤＩＳＣ４から読み出された素材ＡＶｓ１のフレームＦｒ１０、Ｆｒ１１及びＦｒ１２のデータが、バッファＢＦ４に供給され、ディスクＤＩＳＣ２から読み出された素材ＡＶｓ２のフレームＦｒ１、Ｆｒ２及びＦｒ３のデータが、バッファＢＦ１２に供給される。
【０４３５】
また、書き込み期間Ｗｔにおいては、制御部１７１からバス１７０を介して供給されるスイッチング制御信号ＤＳＷ８によって、スイッチ１８６の可動接点ｄが固定接点ｃに接続されるので、バッファＢＦ２８及びディスクＤＩＳＣ８間はデータ転送可能となる。しかいながら、最初のサイクルの転送期間ｔ２においては、第３キャッシュ１４８からバッファＢＦ２８にデータが転送されていないので、ディスクＤＩＳＣ８にデータは記録されない。
【０４３６】
転送期間ｔ４においては、図１２に示した制御部１７１からバス１７０を介して供給されるスイッチング制御信号ＳＷ１によってスイッチＳ３がオンになり、これによって、前の転送期間ｔ２の読み出し期間ＲｔにおいてディスクＤＩＳＣ３からバッファＢＦ３に転送されている、素材ＡＶｓ１のフレームＦｒ７、Ｆｒ８及びＦｒ９のデータが、バッファＢＦ３から第１キャッシュ１４６に転送される。
【０４３７】
また、制御部１７１からバス１７０を介して供給されるスイッチング制御信号ＳＷ２によってスイッチＳ１１がオンになり、これによって、第２キャッシュ１４７及びバッファＢＦ１１間がデータ転送可能となる。しかしながら、最初のサイクルの転送期間ｔ２の読み出し期間Ｒｔにおいては、ディスクＤＩＳＣ１からバッファＢＦ１１にデータが転送されていないので、バッファＢＦ１１から第２キャッシュ１４７にデータは供給されない。
【０４３８】
一方、制御部１７１からバス１７０を介して供給されるスイッチング制御信号ＳＷ３によって、スイッチＳ２２がオンになり、これによって、第３キャッシュ１４８に記憶されている、再生機２１からの再生素材としてのフレームＦｒ４、Ｆｒ５及びＦｒ６のデータが、バッファＦｒ２２に供給される。
【０４３９】
このとき、読み出し期間Ｒｔにおいては、制御部１７１からバス１７０を介して供給されるスイッチング制御信号ＤＳＷ５によって、スイッチ１８０の可動接点ｄが固定接点ａに接続されるので、バッファＢＦ５及びディスクＤＩＳＣ５間はデータ転送可能となる。また、制御部１７１からバス１７０を介して供給されるスイッチング制御信号ＤＳＷ３によって、スイッチ１７６の可動接点ｄが固定接点ｂに接続されるので、バッファＢＦ１３及びディスクＤＩＳＣ３間はデータ転送可能となる。つまり、この読み出し期間Ｒｔにおいては、ディスクＤＩＳＣ５から読み出された素材ＡＶｓ１のフレームＦｒ１３、Ｆｒ１４及びＦｒ１５のデータが、バッファＢＦ５に供給され、ディスクＤＩＳＣ３から読み出された素材ＡＶｓ２のフレームＦｒ４、Ｆｒ５及びＦｒ６のデータが、バッファＢＦ１３に供給される。
【０４４０】
一方、書き込み期間Ｗｔにおいては、制御部１７１からバス１７０を介して供給されるスイッチング制御信号ＤＳＷ１によって、スイッチ１７２の可動接点ｄが固定接点ｃに接続されるので、バッファＢＦ２１及びディスクＤＩＳＣ１間はデータ転送可能となる。従って、前の転送期間ｔ３において、第３キャッシュ１４８からバッファＢＦ２１に供給されている、再生機２１からの再生素材としてのフレームＦｒ１、Ｆｒ２及びＦｒ３のデータが、ディスクＤＩＳＣ１に供給されて記録される。
【０４４１】
転送期間ｔ５においては、図１２に示した制御部１７１からバス１７０を介して供給されるスイッチング制御信号ＳＷ１によってスイッチＳ４がオンになり、これによって、前の転送期間ｔ３の読み出し期間Ｒｔにおいて、ディスクＤＩＳＣ４から読み出されてバッファＢＦ４に転送されている、素材ＡＶｓ１のフレームＦｒ１０、Ｆｒ１１及びＦｒ１２のデータが、バッファＢＦ４から第１キャッシュ１４６に転送される。
【０４４２】
また、制御部１７１からバス１７０を介して供給されるスイッチング制御信号ＳＷ２によってスイッチＳ１２がオンになり、これによって、前の転送期間ｔ３の読み出し期間Ｒｔにおいて、ディスクＤＩＳＣ２から読み出されてバッファＢＦ１２に転送されている、素材ＡＶｓ１のフレームＦｒ１、Ｆｒ２及びＦｒ３のデータが、バッファＢＦ１２から第２キャッシュ１４７に供給される。
【０４４３】
一方、制御部１７１からバス１７０を介して供給されるスイッチング制御信号ＳＷ３によって、スイッチＳ２３がオンになり、これによって、第３キャッシュ１４８に記憶されている、再生機２１からの再生素材としてのフレームＦｒ７、Ｆｒ８及びＦｒ９のデータが、バッファＦｒ２２に供給される。
【０４４４】
このとき、読み出し期間Ｒｔにおいては、制御部１７１からバス１７０を介して供給されるスイッチング制御信号ＤＳＷ６によって、スイッチ１８２の可動接点ｄが固定接点ａに接続されるので、バッファＢＦ６及びディスクＤＩＳＣ６間はデータ転送可能となる。また、制御部１７１からバス１７０を介して供給されるスイッチング制御信号ＤＳＷ４によって、スイッチ１７８の可動接点ｄが固定接点ｂに接続されるので、バッファＢＦ１４及びディスクＤＩＳＣ４間はデータ転送可能となる。つまり、この読み出し期間Ｒｔにおいては、ディスクＤＩＳＣ６から読み出された素材ＡＶｓ１のフレームＦｒ１６、Ｆｒ１７及びＦｒ１８のデータが、バッファＢＦ６に供給され、ディスクＤＩＳＣ４から読み出された素材ＡＶｓ２のフレームＦｒ７、Ｆｒ８及びＦｒ９のデータが、バッファＢＦ１４に供給される。
【０４４５】
一方、書き込み期間Ｗｔにおいては、制御部１７１からバス１７０を介して供給されるスイッチング制御信号ＤＳＷ２によって、スイッチ１７４の可動接点ｄが固定接点ｃに接続されるので、バッファＢＦ２２及びディスクＤＩＳＣ２間はデータ転送可能となる。従って、前の転送期間ｔ４において、第３キャッシュ１４８からバッファＢＦ２２に供給されている、再生機２１からの再生素材としてのフレームＦｒ４、Ｆｒ５及びＦｒ６のデータが、ディスクＤＩＳＣ２に供給されて記録される。
【０４４６】
転送期間ｔ６においては、図１２に示した制御部１７１からバス１７０を介して供給されるスイッチング制御信号ＳＷ１によってスイッチＳ５がオンになり、これによって、前の転送期間ｔ４の読み出し期間Ｒｔにおいて、ディスクＤＩＳＣ５から読み出されてバッファＢＦ５に転送されている、素材ＡＶｓ１のフレームＦｒ１３、Ｆｒ１４及びＦｒ１５のデータが、バッファＢＦ５から第１キャッシュ１４６に転送される。
【０４４７】
また、制御部１７１からバス１７０を介して供給されるスイッチング制御信号ＳＷ２によってスイッチＳ１３がオンになり、これによって、前の転送期間ｔ４の読み出し期間Ｒｔにおいて、ディスクＤＩＳＣ３から読み出されてバッファＢＦ１３に転送されている、素材ＡＶｓ１のフレームＦｒ４、Ｆｒ５及びＦｒ６のデータが、バッファＢＦ１３から第２キャッシュ１４７に供給される。
【０４４８】
一方、制御部１７１からバス１７０を介して供給されるスイッチング制御信号ＳＷ３によって、スイッチＳ２４がオンになり、これによって、第３キャッシュ１４８に記憶されている、再生機２１からの再生素材としてのフレームＦｒ１０、Ｆｒ１１及びＦｒ１２のデータが、バッファＦｒ２４に供給される。
【０４４９】
このとき、読み出し期間Ｒｔにおいては、制御部１７１からバス１７０を介して供給されるスイッチング制御信号ＤＳＷ７によって、スイッチ１８４の可動接点ｄが固定接点ａに接続されるので、バッファＢＦ７及びディスクＤＩＳＣ７間はデータ転送可能となる。また、制御部１７１からバス１７０を介して供給されるスイッチング制御信号ＤＳＷ５によって、スイッチ１８０の可動接点ｄが固定接点ｂに接続されるので、バッファＢＦ１５及びディスクＤＩＳＣ５間はデータ転送可能となる。つまり、この読み出し期間Ｒｔにおいては、ディスクＤＩＳＣ７から読み出された素材ＡＶｓ１のフレームＦｒ１９、Ｆｒ２０及びＦｒ２１のデータが、バッファＢＦ７に供給され、ディスクＤＩＳＣ５から読み出された素材ＡＶｓ２のフレームＦｒ１０、Ｆｒ１１及びＦｒ１２のデータが、バッファＢＦ１５に供給される。
【０４５０】
一方、書き込み期間Ｗｔにおいては、制御部１７１からバス１７０を介して供給されるスイッチング制御信号ＤＳＷ３によって、スイッチ１７６の可動接点ｄが固定接点ｃに接続されるので、バッファＢＦ２３及びディスクＤＩＳＣ３間はデータ転送可能となる。従って、前の転送期間ｔ５において、第３キャッシュ１４８からバッファＢＦ２３に供給されている、再生機２１からの再生素材としてのフレームＦｒ７、Ｆｒ８及びＦｒ９のデータが、ディスクＤＩＳＣ３に供給されて記録される。
【０４５１】
転送期間ｔ７においては、図１２に示した制御部１７１からバス１７０を介して供給されるスイッチング制御信号ＳＷ１によってスイッチＳ６がオンになり、これによって、前の転送期間ｔ５の読み出し期間Ｒｔにおいて、ディスクＤＩＳＣ６から読み出されてバッファＢＦ６に転送されている、素材ＡＶｓ１のフレームＦｒ１６、Ｆｒ１７及びＦｒ１８のデータが、バッファＢＦ６から第１キャッシュ１４６に転送される。
【０４５２】
また、制御部１７１からバス１７０を介して供給されるスイッチング制御信号ＳＷ２によってスイッチＳ１４がオンになり、これによって、前の転送期間ｔ５の読み出し期間Ｒｔにおいて、ディスクＤＩＳＣ４から読み出されてバッファＢＦ１４に転送されている、素材ＡＶｓ１のフレームＦｒ７、Ｆｒ８及びＦｒ９のデータが、バッファＢＦ１４から第２キャッシュ１４７に供給される。
【０４５３】
一方、制御部１７１からバス１７０を介して供給されるスイッチング制御信号ＳＷ３によって、スイッチＳ２５がオンになり、これによって、第３キャッシュ１４８に記憶されている、再生機２１からの再生素材としてのフレームＦｒ１３、Ｆｒ１４及びＦｒ１５のデータが、バッファＦｒ２５に供給される。
【０４５４】
このとき、読み出し期間Ｒｔにおいては、制御部１７１からバス１７０を介して供給されるスイッチング制御信号ＤＳＷ８によって、スイッチ１８６の可動接点ｄが固定接点ａに接続されるので、バッファＢＦ８及びディスクＤＩＳＣ８間はデータ転送可能となる。また、制御部１７１からバス１７０を介して供給されるスイッチング制御信号ＤＳＷ６によって、スイッチ１８２の可動接点ｄが固定接点ｂに接続されるので、バッファＢＦ１６及びディスクＤＩＳＣ６間はデータ転送可能となる。つまり、この読み出し期間Ｒｔにおいては、ディスクＤＩＳＣ８から読み出された素材ＡＶｓ１のフレームＦｒ２２、Ｆｒ２３及びＦｒ２４のデータが、バッファＢＦ８に供給され、ディスクＤＩＳＣ６から読み出された素材ＡＶｓ２のフレームＦｒ１３、Ｆｒ１４及びＦｒ１５のデータが、バッファＢＦ１６に供給される。
【０４５５】
一方、書き込み期間Ｗｔにおいては、制御部１７１からバス１７０を介して供給されるスイッチング制御信号ＤＳＷ４によって、スイッチ１７８の可動接点ｄが固定接点ｃに接続されるので、バッファＢＦ２４及びディスクＤＩＳＣ４間はデータ転送可能となる。従って、前の転送期間ｔ６において、第３キャッシュ１４８からバッファＢＦ２４に供給されている、再生機２１からの再生素材としてのフレームＦｒ１０、Ｆｒ１１及びＦｒ１２のデータが、ディスクＤＩＳＣ４に供給されて記録される。
【０４５６】
２番目のサイクルの転送期間ｔ０においては、図１２に示した制御部１７１からバス１７０を介して供給されるスイッチング制御信号ＳＷ１によってスイッチＳ７がオンになり、これによって、前の転送期間ｔ６の読み出し期間Ｒｔにおいて、ディスクＤＩＳＣ７から読み出されてバッファＢＦ７に転送されている、素材ＡＶｓ１のフレームＦｒ１９、Ｆｒ２０及びＦｒ２１のデータが、バッファＢＦ７から第１キャッシュ１４６に転送される。
【０４５７】
また、制御部１７１からバス１７０を介して供給されるスイッチング制御信号ＳＷ２によってスイッチＳ１５がオンになり、これによって、前の転送期間ｔ６の読み出し期間Ｒｔにおいて、ディスクＤＩＳＣ５から読み出されてバッファＢＦ１５に転送されている、素材ＡＶｓ１のフレームＦｒ１０、Ｆｒ１１及びＦｒ１２のデータが、バッファＢＦ１５から第２キャッシュ１４７に供給される。
【０４５８】
一方、制御部１７１からバス１７０を介して供給されるスイッチング制御信号ＳＷ３によって、スイッチＳ２６がオンになり、これによって、第３キャッシュ１４８に記憶されている、再生機２１からの再生素材としてのフレームＦｒ１６、Ｆｒ１７及びＦｒ１８のデータが、バッファＦｒ２６に供給される。
【０４５９】
このとき、読み出し期間Ｒｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。また、制御部１７１からバス１７０を介して供給されるスイッチング制御信号ＤＳＷ７によって、スイッチ１８４の可動接点ｄが固定接点ｂに接続されるので、バッファＢＦ１７及びディスクＤＩＳＣ７間はデータ転送可能となる。つまり、この読み出し期間Ｒｔにおいては、ディスクＤＩＳＣ１から読み出された素材ＡＶｓ１のフレームＦｒ２５、Ｆｒ２６及びＦｒ２７のデータが、バッファＢＦ１に供給され、ディスクＤＩＳＣ７から読み出された素材ＡＶｓ２のフレームＦｒ１６、Ｆｒ１７及びＦｒ１８のデータが、バッファＢＦ１７に供給される。
【０４６０】
一方、書き込み期間Ｗｔにおいては、制御部１７１からバス１７０を介して供給されるスイッチング制御信号ＤＳＷ５によって、スイッチ１８０の可動接点ｄが固定接点ｃに接続されるので、バッファＢＦ２５及びディスクＤＩＳＣ５間はデータ転送可能となる。従って、前の転送期間ｔ７において、第３キャッシュ１４８からバッファＢＦ２５に供給されている、再生機２１からの再生素材としてのフレームＦｒ１３、Ｆｒ１４及びＦｒ１５のデータが、ディスクＤＩＳＣ５に供給されて記録される。
【０４６１】
２番目のサイクルの転送期間ｔ１においては、図１２に示した制御部１７１からバス１７０を介して供給されるスイッチング制御信号ＳＷ１によってスイッチＳ８がオンになり、これによって、前の転送期間ｔ７の読み出し期間Ｒｔにおいて、ディスクＤＩＳＣ８から読み出されてバッファＢＦ８に転送されている、素材ＡＶｓ１のフレームＦｒ２２、Ｆｒ２３及びＦｒ２４のデータが、バッファＢＦ８から第１キャッシュ１４６に転送される。
【０４６２】
また、制御部１７１からバス１７０を介して供給されるスイッチング制御信号ＳＷ２によってスイッチＳ１６がオンになり、これによって、前の転送期間ｔ７の読み出し期間Ｒｔにおいて、ディスクＤＩＳＣ６から読み出されてバッファＢＦ１６に転送されている、素材ＡＶｓ２のフレームＦｒ１３、Ｆｒ１４及びＦｒ１５のデータが、バッファＢＦ１６から第２キャッシュ１４７に供給される。
【０４６３】
一方、制御部１７１からバス１７０を介して供給されるスイッチング制御信号ＳＷ３によって、スイッチＳ２７がオンになり、これによって、第３キャッシュ１４８に記憶されている、再生機２１からの再生素材としてのフレームＦｒ１９、Ｆｒ２０及びＦｒ２１のデータが、バッファＦｒ２７に供給される。
【０４６４】
このとき、読み出し期間Ｒｔにおいては、制御部１７１からバス１７０を介して供給されるスイッチング制御信号ＤＳＷ２によって、スイッチ１７４の可動接点ｄが固定接点ａに接続されるので、バッファＢＦ２及びディスクＤＩＳＣ２間はデータ転送可能となる。また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。つまり、この読み出し期間Ｒｔにおいては、ディスクＤＩＳＣ２から読み出された素材ＡＶｓ１のフレームＦｒ２８、Ｆｒ２９及びＦｒ３０のデータが、バッファＢＦ２に供給され、ディスクＤＩＳＣ８から読み出された素材ＡＶｓ２のフレームＦｒ１９、Ｆｒ２０及びＦｒ２１のデータが、バッファＢＦ１８に供給される。
【０４６５】
一方、書き込み期間Ｗｔにおいては、制御部１７１からバス１７０を介して供給されるスイッチング制御信号ＤＳＷ６によって、スイッチ１８２の可動接点ｄが固定接点ｃに接続されるので、バッファＢＦ２６及びディスクＤＩＳＣ６間はデータ転送可能となる。従って、前の転送期間ｔ０において、第３キャッシュ１４８からバッファＢＦ２６に供給されている、再生機２１からの再生素材としてのフレームＦｒ１６、Ｆｒ１７及びＦｒ１８のデータが、ディスクＤＩＳＣ６に供給されて記録される。
【０４６６】
そして、以降、同様にして、順次ディスクドライブ２２、２３、３０、３１、３４、３５、４２及び４３の各ディスクＤＩＳＣ１、ＤＩＳＣ２、・・・・ＤＩＳＣ８から再生された素材ＡＶｓ１のデータがバッファＢＦ１〜ＢＦ８に、ディスクドライブ２３、３０、３１、３４、３５、４２、４３及び２２の各ディスクＤＩＳＣ２、ＤＩＳＣ３、・・・・ＤＩＳＣ１から再生された素材ＡＶｓ２のデータがＢＦ１１〜ＢＦ１８に夫々供給された後に、第１及び第２キャッシュ１４６及び１４７に供給され、更に、これら第１及び第２キャッシュ１４６及び１４７から読み出される。そして、同時に、再生機２１からの再生素材データが、第３キャッシュ１４８を介してバッファＢＦ２１〜ＢＦ２８に供給され、これらのバッファＢＦ２１〜ＢＦ２８を介してディスクＤＩＳＣ１〜ＤＩＳＣ８に供給されて記録される。
【０４６７】
尚、素材ＡＶｓ１のデータは、ディスクドライブ２２、２３、３０、３１、３４、３５、４２及び４３の各ディスクＤＩＳＣ１、ＤＩＳＣ２、・・・・ＤＩＳＣ８にフレームＦｒ１、Ｆｒ２、・・・・Ｆｒｎの順序で記録され、素材ＡＶｓ２のデータは、ディスクドライブ２３、３０、３１、３４、３５、４２、４３及び２２の各ディスクＤＩＳＣ２、ＤＩＳＣ３、・・・・ＤＩＳＣ１にフレームＦｒ１、Ｆｒ２、・・・・Ｆｒｎの順序で記録され、しかも、同じディスクＤＩＳＣ１、ＤＩＳＣ２、・・・・ＤＩＳＣ８を時分割でアクセスするようにしている。従って、素材ＡＶｓ２の任意のフレームデータは、素材ＡＶｓ１の同じフレームデータが、ディスクＤＩＳＣ１〜ＤＩＳＣ８から読み出されてバッファＢＦ１〜ＢＦ８に供給される時点よりも、３転送期間分だけ遅れる。
【０４６８】
例えば素材ＡＶｓ１のフレームＦｒ１のデータは、転送期間ｔ０から始まる読み出し期間ＲｔにディスクＤＩＳＣ１から読み出され、バッファＢＦ１に供給されるが、素材ＡＶｓ２のフレームＦｒ１のデータは、転送期間ｔ３から始まる読み出し期間ＲｔにディスクＤＩＳＣ２から読み出され、バッファＢＦ１２に供給される。
【０４６９】
従って、第１キャッシュ１４６から読み出される素材ＡＶｓ１のデータのフレームと、第２キャッシュ１４７から読み出される素材ＡＶｓ２のデータのフレームとを一致させるために、本例では、バッファＢＦ１〜８に記憶したフレームデータを読み出すタイミングを、バッファＢＦ１１〜ＢＦ１８に記憶したフレームデータを読み出すタイミングに合わせるようにしている。この制御は、図１２に示した制御部１７１が行う。また、ディスクＤＩＳＣ１〜ＤＩＳＣ８への記録は、素材ＡＶｓ２のデータの読み出しの開始時点の次の時点（図３１及び３２においては、転送期間ｔ４からとなる）から開始するものとする。
【０４７０】
尚、上述の例においては、Ｍ＝２の場合について説明したが、キャッシュをもう１つ増やせば、Ｍ＝３でも同じ用に独立して再生を行うことができる。
【０４７１】
また、上述の例においては、再生機２１からの再生素材としてのデータをディスクＤＩＳＣ１〜ＤＩＳＣ８に記録する場合について説明したが、この逆、つまり、ディスクＤＩＳＣ１〜ＤＩＳＣ８に記録されている素材データを図１に示した記録機２４に供給して記録するようにしても良い。この場合は、再生機２１からの再生素材としてのデータをディスクＤＩＳＣ１〜ＤＩＳＣ８に供給して記録した場合とデータの転送方向が逆になるだけで、タイミングは同じとなる。
【０４７２】
また、上述の例においては、図１に示した再生機２１からの再生素材、或いは外部入力素材をディスクドライブ２２、２３、３０、３１、３４、３５、４２及び４３の各ディスクＤＩＳＣ１、ＤＩＳＣ２、・・・・ＤＩＳＣ８に記録する場合について説明したが、ディスクドライブ２２、２３、３０、３１、３４、３５、４２及び４３の各ディスクＤＩＳＣ１、ＤＩＳＣ２、・・・・ＤＩＳＣ８から任意のＭ箇所を再生し、これ以外に、更に他の素材を再生し、その再生素材を図１に示した記録機２４に供給し、この記録機２４にセットされているビデオ・テープ・カセットに記録するようにしても良い。
【０４７３】
タイミングは、図３１及び図３２に示した書き込み期間Ｗｔを読み出し期間Ｒｔに置き換えれば良い。図３１及び図３２に示した書き込み期間ＷｔをＲｔに置き換えた場合、図３１及び図３２に示した第３キャッシュ１４８及びバッファＢＦ２１〜ＢＦ２８間に示す矢印の方向が逆になり、また、ディスクＤＩＳＣ１〜ＤＩＳＣ８から読み出された素材が、バッファＢＦ２１〜ＢＦ２８に供給されて記憶されることになる。このようにした場合は、ディスクＤＩＳＣ１〜ＤＩＳＣ８の任意のＭ箇所を再生している最中に、他の任意の箇所を再生し、その再生素材を例えば図１に示した記録機２４に供給し、この記録機２４にセットされているビデオ・テープ・カセットに記録することができる。従って、ディスクＤＩＳＣ１〜ＤＩＳＣ８の任意の箇所を再生している最中に、必要な部分を記録機２４にセットされているビデオ・テープ・カセットに記録、或いは待避用として記録することができる。つまり、１つの作業を行いながら、別の作業を行うことができ、システム或いは装置の構成を最も簡単にし、且つ、記録再生作業を高速化することができる。
【０４７４】
この例においては、転送期間ｎにおいて、ディスクドライブ２２、２３、３０、３１、３４、３５、４２及び４３の各ディスクＤＩＳＣ１、ＤＩＳＣ２、・・・・ＤＩＳＣ８の任意の２箇所から読みだした再生素材をバッファＢＦ１〜ＢＦ８、バッファＢＦ１１〜ＢＦ１８に記憶すると共に、図１に示した再生機２１からの１倍速再生素材或いは外部入力素材を第３キャッシュ１４８からバッファＢＦ２１〜ＢＦ２８に記憶し、転送期間ｎ＋１において、バッファＢＦ２１〜ＢＦ２８に記憶した素材をディスクドライブ２２、２３、３０、３１、３４、３５、４２及び４３の各ディスクＤＩＳＣ１、ＤＩＳＣ２、・・・・ＤＩＳＣ８に記録し、転送期間ｎ＋２において、バッファＢＦ１〜ＢＦ８、バッファＢＦ１１〜ＢＦ１８から読みだした素材を第１及び第２キャッシュ１４６及び１４７に夫々記憶し、これら第１、及び第２キャッシュ１４６及び１４７に記憶した素材を読み出し、読み出した素材を出力するようにしたので、例えば繰り返し再生を行っている最中に、その再生を中断しなくとも、他の素材をディスクＤＩＳＣ１〜ＤＩＳＣ８に記録することができる。勿論、複数のディスクＤＩＳＣ１〜ＤＩＳＣ８を有しているので、システム或いは装置の構成を最も簡単にすることができる。
【０４７５】
Ｖ．ディスク上の任意の１箇所を２倍速再生、且つ、高速記録再生ＶＴＲからの２倍速の再生信号をディスク上に記録する場合の動作説明（図３３、図３４及び図３５参照）
【０４７６】
次に、図１７に示したディスクＤＩＳＣ１、ＤＩＳ２、・・・・ＤＩＳＣ８上に素材毎に記録してある音声、映像及びサブコードデータを任意に２倍速再生し、且つ、図１に示した再生機２１からの２倍速の音声、映像及びサブコードデータをディスクＤＩＳＣ１、ＤＩＳＣ２、・・・・ＤＩＳＣ３に記録する場合の動作について説明する。
【０４７７】
図３３から説明する。図３３は、素材ＡＶｓ１の音声、映像及びサブコードデータ（図中、ドットで示す領域）をディスクＤＩＳＣ１、ＤＩＳＣ２、・・・・ＤＩＳＣ８の順に記録し、素材ＡＶｓ２の音声、映像及びサブコードデータ（図中、斜線で示す領域）をディスクＤＩＳＣ２、ＤＩＳＣ３、・・・・ＤＩＳＣ４の順に記録し、・・・・素材ＡＶｓｎの音声、映像及びサブコードデータ（図中、素材ＡＶｓ２の斜線と逆の斜線で示す領域）を記録している場合を示す。
【０４７８】
そして、以上のような記録状態のディスクＤＩＳＣ１、ＤＩＳＣ２、・・・・ＤＩＳＣ８に、図１に示した再生機２１からの２倍速再生素材を、元々ディスクＤＩＳＣ１、ＤＩＳＣ２、・・・・ＤＩＳＣ８の素材ＡＶｓ１の音声、映像及びサブコードデータの記録されているエリア（図中、ドットで示す領域）に記録し、同時に、素材ＡＶｓｎ−１（図中素材ＡＶｓ２と逆の斜線で示す領域）の音声、映像及びサブコードデータを２倍速で再生する場合を示す。
【０４７９】
つまり、図３３においては、図１に示した再生機２１からの２倍速再生素材データを、ディスクＤＩＳＣ１、ＤＩＳＣ２、・・・・ＤＩＳＣ８に記録すると共に、ディスクＤＩＳＣ１、ＤＩＳＣ２、・・・・ＤＩＳＣ８に記録されている素材ＡＶｓｎ−１のデータを２倍速で再生している状態を示している。
【０４８０】
次に、図３４及び図３５を参照してディスクＤＩＳＣ１、ＤＩＳＣ２、・・・・ＤＩＳＣ８から、素材ＡＶｓｎ−１を２倍速再生すると同時に、図１に示した再生機２１からの２倍速再生データをディスクＤＩＳＣ１、ＤＩＳＣ２、・・・・ＤＩＳＣ８の素材ＡＶｓ１が記録されているエリアに記録する場合について説明する。
【０４８１】
これら図３４及び図３５に示す各符号は、図１８及び図１９、図２５及び図２６、図２８及び２９、図３１及び図３２に夫々示した符号と同様なので、その説明を省略する。
【０４８２】
先ず、最初の転送期間ｔ０においては、図１２に示した制御部１７１からバス１７０を介して供給されるスイッチング制御信号ＳＷ１によってスイッチＳ１がオンになり、これによって、第１キャッシュ１４６からバッファＢＦ１に、再生機２１からの再生素材としてフレームＦｒ１、Ｆｒ２及びＦｒ３のデータが転送される。同時に、制御部１７１からバス１７０を介して供給されるスイッチング制御信号ＳＷ２によってスイッチＳ１２がオンになり、これによって、第２キャッシュ１４７からバッファＢＦ１２に再生機２１からの再生素材としてのフレームＦｒ４、Ｆｒ５及びＦｒ６のデータが転送される。
【０４８３】
一方、制御部１７１からバス１７０を介して供給されるスイッチング制御信号ＳＷ３によってスイッチＳ２７及びスイッチＳ２８がオンになる。これによって、バッファＢＦ２７から第３キャッシュ１４８に、素材ＡＶｓｎ−１のフレームＦｒ１、Ｆｒ２及びＦｒ３のデータを、また、バッファＢＦ２８から第３キャッシュ１４８に、素材ＡＶｓｎ−１のフレームＦｒ４、Ｆｒ５及びＦｒ６のデータを転送できる状態になる。
【０４８４】
しかしながら、最初の転送期間ｔ０においては、まだディスクＤＩＳＣ８からバッファＢＦ２７及びＢＦ２８に夫々素材ＡＶｓｎ−１のフレームのデータが供給されていないので、最初サイクルの転送期間ｔ０においては、第３キャッシュ１４８には素材ＡＶｓｎ−１のフレームのデータが供給されない。
【０４８５】
このとき、書き込み期間Ｗｔにおいては、制御部１７１からバス１７０を介して供給されるスイッチング制御信号ＤＳＷ７によって、スイッチ１８４の可動接点ｄが固定接点ａに接続されるので、バッファＢＦ７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。
【０４８６】
しかしながら、この書き込み期間Ｗｔにおいては、第１キャッシュ１４６からバッファＢＦ７に、再生機２１からの再生素材のデータが供給されておらず、また、第２キャッシュ１４７からバッファＢＦ１８に、再生機２１からの再生素材のデータが供給されていないので、ディスクＤＩＳＣ７及びＤＩＳＣ８に対する、再生機２１からの再生素材のデータの記録は行われない。
【０４８７】
転送期間ｔ１においては、図１２に示した制御部１７１からバス１７０を介して供給されるスイッチング制御信号ＳＷ１によってスイッチＳ３がオンになり、これによって、第１キャッシュ１４６からバッファＢＦ３に、再生機２１からの再生素材としてのフレームＦｒ７、Ｆｒ８及びＦｒ９のデータが転送され、続いて、第２キャッシュ１４７からバッファＢＦ１４に、再生機２１からの再生素材としてのフレームＦｒ１０、Ｆｒ１１及びＦｒ１２のデータが転送される。
【０４８８】
このとき、書き込み期間Ｗｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ１２及びディスクＤＩＳＣ２間はデータ転送可能となる。
【０４８９】
つまり、この書き込み期間Ｗｔにおいては、バッファＢＦ１に記憶されている、再生機２１からの再生素材としてのフレームＦｒ１、Ｆｒ２及びＦｒ３のデータがディスクＤＩＳＣ１に供給されて記録され、バッファＢＦ１２に記憶されている、再生機２１からの再生素材としてのフレームＦｒ４、Ｆｒ５及びＦｒ６のデータはディスクＤＩＳＣ２に供給されて記録される。
【０４９０】
転送期間ｔ２においては、図１２に示した制御部１７１からバス１７０を介して供給されるスイッチング制御信号ＳＷ１によってスイッチＳ５がオンになり、これによって、第１キャッシュ１４６からバッファＢＦ５に、再生機２１からの再生素材としてのフレームＦｒ１３、Ｆｒ１４及びＦｒ１５のデータが転送され、続いて、第２キャッシュ１４７からバッファＢＦ１６に、再生機２１からの再生素材としてのフレームＦｒ１６、Ｆｒ１７及びＦｒ１８のデータが転送される。
【０４９１】
このとき、書き込み期間Ｗｔにおいては、制御部１７１からバス１７０を介して供給されるスイッチング制御信号ＤＳＷ３によって、スイッチ１７６の可動接点ｄが固定接点ａに接続されるので、バッファＢＦ３及びディスクＤＩＳＣ３間はデータ転送可能となる。また、制御部１７１からバス１７０を介して供給されるスイッチング制御信号ＤＳＷ４によって、スイッチ１７８の可動接点ｄが固定接点ｂに接続されるので、バッファＢＦ１４及びディスクＤＩＳＣ４間はデータ転送可能となる。
【０４９２】
つまり、この書き込み期間Ｗｔにおいては、バッファＢＦ３に記憶されている、再生機２１からの再生素材としてのフレームＦｒ７、Ｆｒ８及びＦｒ９のデータがディスクＤＩＳＣ３に供給されて記録され、バッファＢＦ１４に記憶されている、再生機２１からの再生素材としてのフレームＦｒ１０、Ｆｒ１１及びＦｒ１２のデータがディスクＤＩＳＣ４に供給されて記録される。
【０４９３】
転送期間ｔ３においては、図１２に示した制御部１７１からバス１７０を介して供給されるスイッチング制御信号ＳＷ１によってスイッチＳ７がオンになり、これによって、第１キャッシュ１４６からバッファＢＦ７に、再生機２１からの再生素材としてのフレームＦｒ１９、Ｆｒ２０及びＦｒ２１のデータが転送され、続いて、第２キャッシュ１４７からバッファＢＦ１８に、再生機２１からの再生素材としてのフレームＦｒ２２、Ｆｒ２３及びＦｒ２４のデータが転送される。
【０４９４】
このとき、読み出し期間Ｒｔにおいては、制御部１７１からバス１７０を介して供給されるスイッチング制御信号ＤＳＷ１によって、スイッチ１７２の可動接点ｄが、固定接点ｃに接続されるので、バッファＢＦ２１及びディスクＤＩＳＣ１間はデータ転送可能となる。また、制御部１７１からバス１７０を介して供給されるスイッチング制御信号ＤＳＷ２によって、スイッチ１７４の可動接点ｄが、固定接点ｃに接続されるので、バッファＢＦ２２及びディスクＤＩＳＣ２間はデータ転送可能となる。
【０４９５】
つまり、この読み出し期間Ｒｔにおいては、ディスクＤＩＳＣ１に記録されている素材ＡＶｓｎ−１のフレームＦｒ１、Ｆｒ２及びＦｒ３のデータが、ディスクＤＩＳＣ１から読み出されてバッファＢＦ２１に記憶され、ディスクＤＩＳＣ２に記録されている素材ＡＶｓｎ−１のフレームＦｒ４、Ｆｒ５及びＦｒ６のデータが、ディスクＤＩＳＣ２から読み出されてバッファＢＦ２２に記憶される。
【０４９６】
また、書き込み期間Ｗｔにおいては、制御部１７１からバス１７０を介して供給されるスイッチング制御信号ＤＳＷ５によって、スイッチ１８０の可動接点ｄが固定接点ａに接続されるので、バッファＢＦ５及びディスクＤＩＳＣ５間はデータ転送可能となる。また、制御部１７１からバス１７０を介して供給されるスイッチング制御信号ＤＳＷ６によって、スイッチ１８２の可動接点ｄが固定接点ｂに接続されるので、バッファＢＦ１６及びディスクＤＩＳＣ６間はデータ転送可能となる。
【０４９７】
つまり、この書き込み期間Ｗｔにおいては、バッファＢＦ５に記憶されている、再生機２１からの再生素材としてのフレームＦｒ１３、Ｆｒ１４及びＦｒ１５のデータがディスクＤＩＳＣ５に供給されて記録され、バッファＢＦ１６に記憶されている、再生機２１からの再生素材としてのフレームＦｒ１６、Ｆｒ１７及びＦｒ１８のデータがディスクＤＩＳＣ６に供給されて記録される。
【０４９８】
転送期間ｔ４においては、図１２に示した制御部１７１からバス１７０を介して供給されるスイッチング制御信号ＳＷ１によってスイッチＳ１がオンになり、これによって、第１キャッシュ１４６からバッファＢＦ１に、再生機２１からの再生素材としてのフレームＦｒ２５、Ｆｒ２６及びＦｒ２７のデータが転送され、続いて、第２キャッシュ１４７からバッファＢＦ１２に、再生機２１からの再生素材としてのフレームＦｒ２８、Ｆｒ２９及びＦｒ３０のデータが転送される。
【０４９９】
このとき、読み出し期間Ｒｔにおいては、制御部１７１からバス１７０を介して供給されるスイッチング制御信号ＤＳＷ３によって、スイッチ１７６の可動接点ｄが、固定接点ｃに接続されるので、バッファＢＦ２３及びディスクＤＩＳＣ３間はデータ転送可能となる。また、制御部１７１からバス１７０を介して供給されるスイッチング制御信号ＤＳＷ４によって、スイッチ１７８の可動接点ｄが、固定接点ｃに接続されるので、バッファＢＦ２４及びディスクＤＩＳＣ４間はデータ転送可能となる。
【０５００】
つまり、この読み出し期間Ｒｔにおいては、ディスクＤＩＳＣ３に記録されている素材ＡＶｓｎ−１のフレームＦｒ７、Ｆｒ８及びＦｒ９のデータが、ディスクＤＩＳＣ３から読み出されてバッファＢＦ２３に記憶され、ディスクＤＩＳＣ４に記録されている素材ＡＶｓｎ−１のフレームＦｒ１０、Ｆｒ１１及びＦｒ１２のデータが、ディスクＤＩＳＣ４から読み出されてバッファＢＦ２４に記憶される。
【０５０１】
また、書き込み期間Ｗｔにおいては、制御部１７１からバス１７０を介して供給されるスイッチング制御信号ＤＳＷ７によって、スイッチ１８４の可動接点ｄが固定接点ａに接続されるので、バッファＢＦ７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。
【０５０２】
つまり、この書き込み期間Ｗｔにおいては、バッファＢＦ７に記憶されている、再生機２１からの再生素材としてのフレームＦｒ１９、Ｆｒ２０及びＦｒ２１のデータがディスクＤＩＳＣ７に供給されて記録され、バッファＢＦ１８に記憶されている、再生機２１からの再生素材としてのフレームＦｒ２２、Ｆｒ２３及びＦｒ２４のデータがディスクＤＩＳＣ８に供給されて記録される。
【０５０３】
転送期間ｔ５においては、図１２に示した制御部１７１からバス１７０を介して供給されるスイッチング制御信号ＳＷ１によってスイッチＳ１がオンになり、これによって、第１キャッシュ１４６からバッファＢＦ３に、再生機２１からの再生素材としてのフレームＦｒ３１、Ｆｒ３２及びＦｒ３３のデータが転送され、続いて、第２キャッシュ１４７からバッファＢＦ１４に、再生機２１からの再生素材としてのフレームＦｒ３４、Ｆｒ３５及びＦｒ３６のデータが転送される。また、制御部１７１からバス１７０を介して供給されるスイッチング制御信号ＳＷ３によってスイッチＳ２１及びＳ２２がオンになり、これによって、前の転送期間ｔ３において、ディスクＤＩＳＣ１からバッファＢＦ２１に転送されている素材ＡＶｓｎ−１のフレームＦｒ１、Ｆｒ２及びＦｒ３のデータが、第３キャッシュ１４８に供給され、続いて、前の転送期間ｔ３において、ディスクＤＩＳＣ２からバッファＢＦ２２に転送されている素材ＡＶｓｎ−１のフレームＦｒ４、Ｆｒ５及びＦｒ６のデータが、第３キャッシュ１４８に供給される。
【０５０４】
このとき、書き込み期間Ｗｔにおいては、制御部１７１からバス１７０を介して供給されるスイッチング制御信号ＤＳＷ１によって、スイッチ１７２の可動接点ｄが固定接点ａに接続されるので、バッファＢＦ１及びディスクＤＩＳＣ１間はデータ転送可能となる。また、制御部１７１からバス１７０を介して供給されるスイッチング制御信号ＤＳＷ２によって、スイッチ１７４の可動接点ｄが固定接点ｂに接続されるので、バッファＢＦ１２及びディスクＤＩＳＣ２間はデータ転送可能となる。
【０５０５】
つまり、この書き込み期間Ｗｔにおいては、バッファＢＦ１に記憶されている、再生機２１からの再生素材としてのフレームＦｒ２５、Ｆｒ２６及びＦｒ２７のデータがディスクＤＩＳＣ１に供給されて記録され、バッファＢＦ１２に記憶されている、再生機２１からの再生素材としてのフレームＦｒ２８、Ｆｒ２９及びＦｒ３０のデータがディスクＤＩＳＣ２に供給されて記録される。
【０５０６】
また、読み出し期間Ｒｔにおいては、制御部１７１からバス１７０を介して供給されるスイッチング制御信号ＤＳＷ５によって、スイッチ１８０の可動接点ｄが、固定接点ｃに接続されるので、バッファＢＦ２５及びディスクＤＩＳＣ５間はデータ転送可能となる。また、制御部１７１からバス１７０を介して供給されるスイッチング制御信号ＤＳＷ６によって、スイッチ１８２の可動接点ｄが、固定接点ｃに接続されるので、バッファＢＦ２６及びディスクＤＩＳＣ６間はデータ転送可能となる。
【０５０７】
つまり、この読み出し期間Ｒｔにおいては、ディスクＤＩＳＣ５に記録されている素材ＡＶｓｎ−１のフレームＦｒ１３、Ｆｒ１４及びＦｒ１５のデータが、ディスクＤＩＳＣ５から読み出されてバッファＢＦ２５に記憶され、ディスクＤＩＳＣ６に記録されている素材ＡＶｓｎ−１のフレームＦｒ１６、Ｆｒ１７及びＦｒ１８のデータが、ディスクＤＩＳＣ６から読み出されてバッファＢＦ２６に記憶される。
【０５０８】
転送期間ｔ６においては、図１２に示した制御部１７１からバス１７０を介して供給されるスイッチング制御信号ＳＷ１によってスイッチＳ５がオンになり、これによって、第１キャッシュ１４６からバッファＢＦ５に、再生機２１からの再生素材としてのフレームＦｒ３７、Ｆｒ３８及びＦｒ３９のデータが転送され、続いて、第２キャッシュ１４７からバッファＢＦ１６に、再生機２１からの再生素材としてのフレームＦｒ４０、Ｆｒ４１及びＦｒ４２のデータが転送される。また、制御部１７１からバス１７０を介して供給されるスイッチング制御信号ＳＷ３によってスイッチＳ２３及びＳ２４がオンになり、これによって、前の転送期間ｔ４において、ディスクＤＩＳＣ３からバッファＢＦ２３に転送されている素材ＡＶｓｎ−１のフレームＦｒ７、Ｆｒ８及びＦｒ９のデータが、第３キャッシュ１４８に供給され、続いて、前の転送期間ｔ４において、ディスクＤＩＳＣ４からバッファＢＦ２４に転送されている素材ＡＶｓｎ−１のフレームＦｒ１０、Ｆｒ１１及びＦｒ１２のデータが、第３キャッシュ１４８に供給される。
【０５０９】
このとき、書き込み期間Ｗｔにおいては、制御部１７１からバス１７０を介して供給されるスイッチング制御信号ＤＳＷ３によって、スイッチ１７６の可動接点ｄが固定接点ａに接続されるので、バッファＢＦ３及びディスクＤＩＳＣ３間はデータ転送可能となる。また、制御部１７１からバス１７０を介して供給されるスイッチング制御信号ＤＳＷ４によって、スイッチ１７４の可動接点ｄが固定接点ｂに接続されるので、バッファＢＦ１４及びディスクＤＩＳＣ４間はデータ転送可能となる。
【０５１０】
つまり、この書き込み期間Ｗｔにおいては、バッファＢＦ３に記憶されている、再生機２１からの再生素材としてのフレームＦｒ３１、Ｆｒ３２及びＦｒ３３のデータが、ディスクＤＩＳＣ３に供給されて記録され、バッファＢＦ１４に記憶されている、再生機２１からの再生素材としてのフレームＦｒ３４、Ｆｒ３５及びＦｒ３６のデータが、ディスクＤＩＳＣ４に供給されて記録される。
【０５１１】
また、読み出し期間Ｒｔにおいては、制御部１７１からバス１７０を介して供給されるスイッチング制御信号ＤＳＷ７によって、スイッチ１８４の可動接点ｄが、固定接点ｃに接続されるので、バッファＢＦ２７及びディスクＤＩＳＣ７間はデータ転送可能となる。また、制御部１７１からバス１７０を介して供給されるスイッチング制御信号ＤＳＷ８によって、スイッチ１８６の可動接点ｄが、固定接点ｃに接続されるので、バッファＢＦ２８及びディスクＤＩＳＣ８間はデータ転送可能となる。
【０５１２】
つまり、この読み出し期間Ｒｔにおいては、ディスクＤＩＳＣ７に記録されている素材ＡＶｓｎ−１のフレームＦｒ１９、Ｆｒ２０及びＦｒ２１のデータが、ディスクＤＩＳＣ７から読み出されてバッファＢＦ２７に記憶され、ディスクＤＩＳＣ８に記録されている素材ＡＶｓｎ−１のフレームＦｒ２２、Ｆｒ２３及びＦｒ２４のデータが、ディスクＤＩＳＣ８から読み出されてバッファＢＦ２８に記憶される。
【０５１３】
転送期間ｔ７においては、図１２に示した制御部１７１からバス１７０を介して供給されるスイッチング制御信号ＳＷ１によってスイッチＳ７がオンになり、これによって、第１キャッシュ１４６からバッファＢＦ７に、再生機２１からの再生素材としてのフレームＦｒ４３、Ｆｒ４４及びＦｒ４５のデータが転送され、続いて、第２キャッシュ１４７からバッファＢＦ１８に、再生機２１からの再生素材としてのフレームＦｒ４６、Ｆｒ４７及びＦｒ４８のデータが転送される。また、制御部１７１からバス１７０を介して供給されるスイッチング制御信号ＳＷ３によってスイッチＳ２５及びＳ２６がオンになり、これによって、前の転送期間ｔ５において、ディスクＤＩＳＣ５からバッファＢＦ２５に転送されている素材ＡＶｓｎ−１のフレームＦｒ１３、Ｆｒ１４及びＦｒ１５のデータが、第３キャッシュ１４８に供給され、続いて、前の転送期間ｔ５において、ディスクＤＩＳＣ６からバッファＢＦ２６に転送されている素材ＡＶｓｎ−１のフレームＦｒ１６、Ｆｒ１７及びＦｒ１８のデータが、第３キャッシュ１４８に供給される。
【０５１４】
このとき、書き込み期間Ｗｔにおいては、制御部１７１からバス１７０を介して供給されるスイッチング制御信号ＤＳＷ５によって、スイッチ１８０の可動接点ｄが固定接点ａに接続されるので、バッファＢＦ５及びディスクＤＩＳＣ５間はデータ転送可能となる。また、制御部１７１からバス１７０を介して供給されるスイッチング制御信号ＤＳＷ６によって、スイッチ１８２の可動接点ｄが固定接点ｂに接続されるので、バッファＢＦ１６及びディスクＤＩＳＣ６間はデータ転送可能となる。
【０５１５】
つまり、この書き込み期間Ｗｔにおいては、バッファＢＦ５に記憶されている、再生機２１からの再生素材としてのフレームＦｒ３７、Ｆｒ３８及びＦｒ３９のデータが、ディスクＤＩＳＣ５に供給されて記録され、バッファＢＦ１６に記憶されている、再生機２１からの再生素材としてのフレームＦｒ４０、Ｆｒ４１及びＦｒ４２のデータが、ディスクＤＩＳＣ６に供給されて記録される。
【０５１６】
次の転送期間ｔ０においては、図１２に示した制御部１７１からバス１７０を介して供給されるスイッチング制御信号ＳＷ１によってスイッチＳ１がオンになり、これによって、第１キャッシュ１４６からバッファＢＦ１に、再生機２１からの再生素材としてのフレームＦｒ４９、Ｆｒ５０及びＦｒ５１のデータが転送され、続いて、第２キャッシュ１４７からバッファＢＦ１２に、再生機２１からの再生素材としてのフレームＦｒ５２、Ｆｒ５３及びＦｒ５４のデータが転送される。また、制御部１７１からバス１７０を介して供給されるスイッチング制御信号ＳＷ３によってスイッチＳ２７及びＳ２８がオンになり、これによって、前の転送期間ｔ６において、ディスクＤＩＳＣ７からバッファＢＦ２７に転送されている素材ＡＶｓｎ−１のフレームＦｒ１９、Ｆｒ２０及びＦｒ２１のデータが、第３キャッシュ１４８に供給され、続いて、前の転送期間ｔ６において、ディスクＤＩＳＣ８からバッファＢＦ２８に転送されている素材ＡＶｓｎ−１のフレームＦｒ２２、Ｆｒ２３及びＦｒ２４のデータが、第３キャッシュ１４８に供給される。
【０５１７】
このとき、書き込み期間Ｗｔにおいては、制御部１７１からバス１７０を介して供給されるスイッチング制御信号ＤＳＷ７によって、スイッチ１８４の可動接点ｄが固定接点ａに接続されるので、バッファＢＦ７及びディスクＤＩＳＣ７間はデータ転送可能となる。また、制御部１７１からバス１７０を介して供給されるスイッチング制御信号ＤＳＷ８によって、スイッチ１８６の可動接点ｄが固定接点ｂに接続されるので、バッファＢＦ１８及びディスクＤＩＳＣ８間はデータ転送可能となる。
【０５１８】
つまり、この書き込み期間Ｗｔにおいては、バッファＢＦ７に記憶されている、再生機２１からの再生素材としてのフレームＦｒ４３、Ｆｒ４４及びＦｒ４５のデータが、ディスクＤＩＳＣ７に供給されて記録され、バッファＢＦ１８に記憶されている、再生機２１からの再生素材としてのフレームＦｒ４６、Ｆｒ４７及びＦｒ４８のデータが、ディスクＤＩＳＣ８に供給されて記録される。
【０５１９】
そして、以下、同様にして、再生機２１からの再生素材としてのフレームデータが第１及び第２キャッシュ１４６及び１４７を介してバッファＢＦ１〜ＢＦ８、バッファＢＦ１１〜ＢＦ１８に供給され、これらバッファＢＦ１〜ＢＦ８、バッファＢＦ１１〜ＢＦ１８からディスクＤＩＳＣ１〜ＤＳＩＣ８に記録され、また、ディスクＤＩＳＣ１〜ＤＩＳＣ８から２倍速で読み出された素材ＡＶｓｎ−１のフレームデータが、バッファＢＦ２１〜ＢＦ２８を介して第３キャッシュ１４８に供給され、この第３キャッシュ１４８を介して出力される。
【０５２０】
尚、上述の例においては、再生機２１からの２倍速の再生素材としてのデータをディスクＤＩＳＣ１〜ＤＩＳＣ８に記録し、ディスクＤＩＳＣ１〜ＤＩＳＣ８に記録されている素材を２倍速で再生して出力する場合について説明したが、この逆、つまり、ディスクＤＩＳＣ１〜ＤＩＳＣ８に記録されている素材データを２倍速で再生して図１に示した記録機２４に供給して記録し、再生機２１からの２倍速の再生素材としてのデータをディスクＤＩＳＣ１〜ＤＩＳＣ８に供給して記録するようにしても良い。この場合は、再生機２１からの再生素材としてのデータをディスクＤＩＳＣ１〜ＤＩＳＣ８に供給して記録した場合、並びに、ディスクＤＩＳＣ１〜ＤＩＳＣ８から再生したデータを出力する場合とデータの転送方向が逆になるだけで、タイミングは同じとなる。
【０５２１】
この例においては、転送期間ｔｎにおいて、図１に示した再生機２１からの２倍速再生素材を第１及び第２キャッシュから夫々バッファＢＦ１〜ＢＦ８、バッファＢＦ１１〜ＢＦ１８に記憶し、転送期間ｔｎ＋１において、バッファＢＦ１〜ＢＦ８及びＢＦ１１〜ＢＦ１８に記憶されている素材を読み出し、読みだした素材をディスクドライブ２２、２３、３０、３１、３４、３５、４２及び４３のディスクＤＩＳＣ１、ＤＩＳＣ２、・・・・ＤＩＳＣ８に夫々記録し、転送期間ｔｎ＋３において、ディスクＤＩＳＣ１〜ＤＩＳＣ８から等価的に２倍速再生で素材を読み出し、読みだした素材をバッファＢＦ２１〜ＢＦ２８に記憶し、転送期間ｔｎ＋５において、バッファＢＦ２１〜ＢＦ２８の素材を読み出し、読み出した素材を第３キャッシュ１４８に供給し、この第３キャッシュ１４８から読みだした素材をマルチプレクサ１６１、バッファ１６２、デマルチプレクサ１６３、出力回路１６４、１６５及び１６６を介して図１に示した記録機２４に供給するようにしたので、図１に示した再生機２１からの２倍速再生素材をディスクドライブ２２、２３、３０、３１、３４、３５、４２及び４３の各ディスクＤＩＳＣ１、ＤＩＳＣ２、・・・・ＤＩＳＣ８に等価的に２倍速記録でき、同時に、ディスクドライブ２２、２３、３０、３１、３４、３５、４２及び４３の各ディスクＤＩＳＣ１、ＤＩＳＣ２、・・・・ＤＩＳＣ８の素材を等価的に２倍速再生し、この２倍速再生して得た素材を、図１に示した記録機２４に供給し、２倍速記録を行うことができ、これによって、記録再生作業をより高速にすることができると共に、並行して３つの作業を行うことができるので、通常の記録再生作業で同じ作業を行った場合の作業時間の１／６に短縮することができる。
【０５２２】
以上のように、本例においては、再生機２１及び記録機２４を、夫々図２に示したような高速記録再生ＶＴＲで構成し、再生機２１、記録機２４、ディスクドライブ２２、２３、３０、３１、３４、３５、４２及び４３、入力部２５、サブコード発生回路３２、再生出力部３６、４１及び４９、記録モニタ出力部４４間にデータコントローラ２０を配置して、これら間のデータ転送を、データコントローラ２０で行うと共に、操作パネル３３ｄの操作、コネクタ３３ａ、３３ｂ、３３ｃを介して供給される外部機器（例えば外部編集機やコントローラ等）からの制御データ等に基いて、入力端子３３ｅ、３３ｆを介して供給される外部同期信号に同期して、システムコントローラ３３でデータコントローラ２０を制御して、再生機２１で再生した通常の転送速度のｎ倍の転送速度のデータをディスクドライブ２２、２３、３０、３１、３４、３５、４２及び４３の各ディスクＤＩＳＫ１〜ＤＩＳＫ８に供給して記録し、ディスクドライブ２２、２３、３０、３１、３４、３５、４２及び４３の各ディスクＤＩＳＫ１〜ＤＩＳＫ８に記録されているデータを通常再生速度のｎ倍の再生速度で再生して通常のｎ倍の転送速度のデータを得、この通常の転送速度のｎ倍の転送速度のデータを記録機２４に供給し、この記録機２４において、通常の記録速度のｎ倍の記録速度でデータを記録するようにしたので、記録再生作業時間を通常の１／ｎに短縮できる。
【０５２３】
また、第１、第２及び第３キャッシュ１４６、１４７及び１４８に、スイッチＳ１〜Ｓ８、スイッチＳ１１〜Ｓ１８、スイッチＳ２１〜Ｓ２８を介して、夫々８個のバッファＢＦ１〜ＢＦ８、ＢＦ１１〜ＢＦ１８、ＢＦ２１〜ＢＦ２８を接続し、更にこれらのバッファＢＦ１〜ＢＦ８、ＢＦ１１〜ＢＦ１８、ＢＦ２１〜ＢＦ２８をスイッチ１７２、１７４、１７６、１７８、１８０、１８２、１８４及び１８６を介して８個のディスクドライブ２２、２３、３０、３１、３４、３５、４２及び４３に接続し、制御部１７１によって、スイッチＳ１〜Ｓ８、スイッチＳ１１〜Ｓ１８、スイッチＳ２１〜Ｓ２８を切り換え制御して、第１、第２及び第３キャッシュ１４６、１４７及び１４８からバッファＢＦ１〜ＢＦ８、ＢＦ１１〜ＢＦ１８、ＢＦ２１〜ＢＦ２８へのデータ転送、並びに、バッファＢＦ１〜ＢＦ８、バッファＢＦ１１〜ＢＦ１８、バッファＢＦ２１〜ＢＦ２８から第１、第２及び第３キャッシュ１４６、１４７及び１４８へのデータ転送を行い、スイッチ１７２、１７４、１７６、１７８、１８０、１８２、１８４及び１８６を切り換え制御して、バッファＢＦ１〜ＢＦ８、バッファＢＦ１１〜ＢＦ１８、バッファＢＦ２１〜ＢＦ２８からディスクＤＩＳＫ１〜ＤＩＳＫ８へのデータ転送、並びにディスクＤＩＳＫ１〜ＤＩＳＫ８からバッファＢＦ１〜ＢＦ８、バッファＢＦ１１〜ＢＦ１８、バッファＢＦ２１〜ＢＦ２８へのデータ転送を行うようにしたので、ディスクＤＩＳＫ１〜ＤＩＳＫ８の任意のＭ箇所の同時再生、ディスクＤＩＳＫ１〜ＤＩＳＫ８の任意のＭ箇所の同時再生と再生機２１からの通常の転送速度のｎ倍の転送速度のデータ或いは外部からのデータの記録を、最も簡単な構成で行うことができる。
【０５２４】
また、再生機２１からの再生データをディスクドライブ２２、２３、３０、３１、３４、３５、４２及び４３のディスクＤＩＳＫ１〜ＤＩＳＫ８に一旦記録するようにしているので、ディスクＤＩＳＫ１〜ＤＩＳＫ８の再生方法、再生速度を簡単に変えることができると共に、ディスクというメディアを用いているので、何度も再生を行ってもディスクを傷めることがない。
【０５２５】
また、記録再生装置或いはシステム内におけるデータ転送速度を、通常の転送速度のｎ倍の転送速度にすることができるので、再生機２１及び記録機２４をディジタルＶＴＲで構成しても記録再生作業時間を短縮することができる。
【０５２６】
尚、上述の例においては、再生機２１、記録機２４を夫々図２に示した高速記録再生ＶＴＲで構成した場合について説明したが、再生機２１を図２に示した高速記録再生ＶＴＲの再生系とし、記録機２４を図２に示した高速記録再生ＶＴＲの記録系としても良い。また、再生機２１及び記録機２４を夫々図２に示した高速記録再生ＶＴＲで構成した場合は、再生機２１を記録用に用い、記録機２４を再生用に用いても良い。
【０５２７】
Ｗ．図１に示した記録再生装置を１つの筐体に収納して編集機として上位編集システムに組み込んだ場合の構成及びその動作説明（図３６参照）
【０５２８】
図３６は図１に示した記録再生装置を一体型の編集機とし、この一体型の編集機を編集システムに組み込んだ場合の構成例を示す構成図である。つまり、図１に示した記録再生装置を１つの筐体に組み込み、一体型の編集機としたものを編集システムの中枢部として編集システムに組み込んだ場合の構成図である。
【０５２９】
図において、１８０は図１に示した記録再生装置を１つの編集機として１つの筐体内に収納した高効率編集機であり、この高効率編集機１８０は記録入力Ｒｉｎ用の入力端子を２つ、Ａロールとしての映像及び音声データＰ１の出力用の出力端子、Ｂロールとしての映像及び音声データＰ２の出力用の出力端子、Ｃロール、或いはオプションとしての映像及び音声データＰ３の出力用の出力端子、後述するエディタコントローラ１８４からの制御信号の内、記録制御信号を受け付けるための記録制御信号入力端子としてのコネクタ３３ａ、エディタコントローラ１８４からの制御信号の内、再生制御信号を受け付けるための再生制御信号入力端子としてのコネクタ３３ｂ、エディタコントローラ１８４からの制御信号の内、ハードディスク制御信号を受け付けるためのハードディスク制御信号入力端子としてのコネクタ３３ｃを有する。尚、内部の構成については図１と同様なので、詳細説明は省略する。
【０５３０】
１８２は音声ミクサであり、高効率編集機１８０からの音声データＡｕ１、Ａｕ２及びＡｕ３に対して音声信号処理、例えばレベル調整、イコライジング、エフェクト処理、混合を行う。この信号処理はエディタコントローラ１８４からの制御信号によって自動的に行われるが、オペレータによって手動で行うようにしても良い。この音声ミクサ１８２の混合出力Ａｍｉｘは高効率編集機１８０に供給される。
【０５３１】
１８３はＤＭＥスイッチャであり、このＤＭＥスイッチャ１８３は高効率編集機１８０からの映像データＶｉ１、Ｖｉ２及びＶｉ３に対して各種特殊効果処理、例えばディゾルブ、ワイプ、ミックス処理等を施し、その出力Ｖｍｉｘを高効率編集機１８０に供給する。
【０５３２】
エディタコントローラ１８４は例えばリモートコントローラであり、３つのエディタコントロールケーブルＥｃ１、Ｅｃ２及びＥｃ３で高効率編集機１８０と接続すると共に、エディタコントロールケーブルＥｃ４でＤＭＥスイッチャ１８３と接続し、エディタコントロールケーブルＥｃ５で音声ミクサ１８２を接続する。勿論、この接続は赤外線によるコードレス接続でも良い。このエディタコントローラ１８４はケーブルＥｃ１を介して記録制御信号を高効率編集機１８０に供給する。図１に対応させて説明すると、このエディタコントローラ１８４の記録制御信号の出力端子と、図１に示したシステムコントローラ３３のコネクタ３３ａをケーブルＥｃ１で接続することによって、エディタコントローラ１８４からの記録制御信号をシステムコントローラ３３に供給し、システムコントローラ３３によって記録機２４を制御することができる。
【０５３３】
また、エディタコントローラ１８４はケーブルＥｃ２を介して再生制御信号を高効率編集機１８０に供給する。図１に対応させて説明すると、このエディタコントローラ１８４の再生制御信号の出力端子と、図１に示したシステムコントローラ３３のコネクタ３３ｂをケーブルＥｃ２で接続することによって、エディタコントローラ１８４からの再生制御信号をシステムコントローラ３３に供給し、システムコントローラ３３によって再生機２１を制御することができる。
【０５３４】
また、エディタコントローラ１８４はケーブルＥｃ３を介してハードディスク制御信号を高効率編集機１８０に供給する。図１に対応させて説明すると、このエディタコントローラ１８４のハードディスク制御信号の出力端子と、図１に示したシステムコントローラ３３のコネクタ３３ｃをケーブルＥｃ３で接続することによって、エディタコントローラ１８４からのハードディスク制御信号をシステムコントローラ３３によってディスクドライブ２２、２３、３０、３１、３４、３５、４２及び４３を制御することができる。
【０５３５】
また、エディタコントローラ１８４はケーブルＥｃ４を介してＤＭＥスイッチャ１８３に制御信号を供給し、ＤＭＥスイッチャ１８３を制御することができる。この制御は、例えばＤＭＥスイッチャ１８３における特殊効果処理のパラメータの指定やタイミングの制御等である。
【０５３６】
また、エディタコントローラ１８４はケーブルＥｃ５を介して音声ミクサ１８２に制御信号を供給し、音声ミクサ１８２を制御することができる。この制御は、例えば音声ミクサ１８２における音声信号処理のパラメータの指定やタイミングの制御等である。
【０５３７】
次に、図３６に示した編集システムの動作について説明する。エディタコントローラ１８４からの記録制御信号がケーブルＥｃ１を介して高効率編集機１８０に供給されると、図１に示したシステムコントローラ３３が記録機２４に制御信号を供給する。システムコントローラ３３から記録機２４に対して制御信号が供給されると、記録機２４はデータコントローラ２０から供給される映像及び音声データをセットされているビデオ・テープ・カセットに記録、或いは、セットされているビデオ・テープ・カセットに記録されている映像及び音声データを再生し、再生して映像及び音声データをデータコントローラ２０に供給する。
【０５３８】
一方、エディタコントローラ１８４からの再生制御信号がケーブルＥｃ２を介して高効率編集機１８０に供給されると、図１に示したシステムコントローラ３３が再生機２１に対して制御信号を供給する。システムコントローラ３３から再生機２１に対して制御信号が供給されると、再生機２１はセットされているビデオ・テープ・カセットに記録されている映像及び音声データを再生し、再生した映像及び音声データをデータコントローラ２０に供給する。
【０５３９】
エディタコントローラ１８４からのハードディスク制御信号がケーブルＥｃ３を介して高効率編集機１８０に供給されると、図１に示したシステムコントローラ３３が制御すべきディスクドライブ２２、２３、３０、３１、３４、３５、４２または４３に対して制御信号を供給する。システムコントローラ３３からディスクドライブ２２、２３、３０、３１、３４、３５、４２または４３に対して制御信号が供給されると、ディスクドライブ２２、２３、３０、３１、３４、３５、４２または４３は上述したディスク２２ａ、２３ａ、３０ａ、３１ａ、３４ａ、３５ａ、４２ａまたは４３ａエリアＡｒ１、Ａｒ２またはＡｒ３に記録されている映像及び音声データを再生し、再生した映像及び音声データをデータコントローラ２０に供給する。
【０５４０】
エディタコントローラ１８４からの制御信号がケーブルＥｃ４を介してＤＭＥスイッチャ１８３に供給されると、ＤＭＥスイッチャ１８３は高効率編集機１８０から供給されるＡ及びＢロールとしての映像データＶｉ１及びＶｉ２やＣロール或いはオプションとしての映像データＶｉ３に対して特殊効果処理を施し、特殊効果処理を施した映像データＶｍｉｘを高効率編集機１８０に供給する。
【０５４１】
一方、エディタコントローラ１８４からの制御信号がケーブルＥｃ５を介してＤＭＥスイッチャ１８３に供給されると、ＤＭＥスイッチャ１８３は高効率編集機１８０から供給されるＡ及びＢロールとしての音声データＡｕ１及びＡｕ２やＣロール或いはオプションとしての音声データＡｕ３に対して音声信号処理を施し、音声信号処理を施した音声データＡｍｉｘを高効率編集機１８０に供給する。
【０５４２】
高効率編集機１８０に供給された映像データＶｍｉｘは、図１に示した入力部２５の入力端子２６または２７を介して入力部２５に供給され、高効率編集機１８０に供給された音声データＡｍｉｘは、図１に示した入力部２５の入力端子２８または２９を介して入力部２５に供給される。既に説明したように、ＤＭＥスイッチャ１８３の出力がディジタルの場合は入力端子２６及び２８が用いられ、ＤＭＥスイッチャ１８３の出力はアナログの場合は入力端子２７及び２９が用いられる。
【０５４３】
入力部２５に供給された映像データＶｍｉｘ及び音声データＡｍｉｘは記録入力Ｒｉｎとして入力部２５において混合され、サブコード発生回路３２からのサブコードが付加された後にデータコントローラ２０に供給される。そして上述したようにデータコントローラ２０によってディスクドライブ２２、２３、３０、３１、３４、３５、４２または４３のディスク２２ａ、２３ａ、３０ａ、３１ａ、３４ａ、３５ａ、４２ａまたは４３ａのエリアＡｒ１、Ａｒ２或いはＡｒ３に記録される。
【０５４４】
このように、本例においては、図１に示した記録再生装置を一体型の編集機として構成し、編集システム内に組み込んで用いるようにしたので、システムの構成が簡単になると共に接続を簡単にし、更に、今まで使用してきた機器との互換が図れ、しかも図１に示した編集システムと同様の効果、例えばＡ／Ｂロール編集の効率の向上、記録媒体の残り容量を意識することのない編集を実現することができる。
【０５４５】
Ｘ．図１に示した記録再生装置を複数用いた場合のシステムの構成及びその動作の説明（図３７参照）
【０５４６】
図３７は、図１に示した記録再生装置を複数台用意し、用意した複数台の記録再生装置をコントローラ１９０で制御するように構成することにより、いわゆるカートマシンを構築した場合の構成例を示す構成図である。
【０５４７】
この図３７に示すように、この例では、図１に示した記録再生装置１９３−１、１９３−２、・・・・１９３−ｎの各外部同期信号入力端子３３ｅ（図１参照）と、コントローラ１９０の外部同期信号出力端を夫々接続し、記録再生装置１９３−１、１９３−２、・・・・１９３−ｎの各制御信号入力端子３３ｆ（図１参照）と、コントローラ１９０の制御信号出力端を夫々接続して、いわゆるカーとマシンを構築している。
【０５４８】
コントローラ１９０は、入力端子１９１を介して供給される局内同期信号等の外部同期信号に基いて、各記録再生装置１９１−１、１９１−２、・・・・１９１−ｎを同期させ、入力端子１９１を介して供給される局内同期信号等の外部同期信号に基いて制御信号を生成し、この制御信号を、各記録再生装置１９１−１、１９１−２、・・・・１９１−ｎに供給し、これら各記録再生装置１９１−１、１９１−２、・・・・１９１−ｎを制御する。
【０５４９】
コントローラ１９０の制御によって、各記録再生装置１９１−１、１９１−２、・・・・１９１−ｎは、各再生出力部３６、４１、４９及び各記録モニタ出力部４４（図１参照）の各出力端子３７、３８、３９及び４０、各出力端子４２、４３、４４及び４５、各出力端子５０、５１、５２及び５３、各出力端子４５、４６、４７及び４８から再生出力Ｐ１、再生出力Ｐ２、再生出力Ｐ３及び記録入力Ｒｉｎを夫々出力する。
【０５５０】
ところで、この図３７に示すコントローラ１９０は、各記録再生装置１９１−１、１９１−２、・・・・１９１−ｎを制御するのみならず、例えば図示しない送出システムのホストコンピュータの制御に基いて、各記録再生装置１９１−１、１９１−２、・・・・１９１−ｎを制御することにより、ホストコンピュータが保持している送出リストに対応して素材を送出することができるものである。
【０５５１】
このように、本例においては、図１に示した記録再生装置１９１−１、１９１−２、・・・・１９１−ｎをコントローラ１９０で制御できるように接続して、いわゆるカセット・オートチェンジャーを構築するようにしたので、同時再生のチャンネルを多数有する最も小型のカセット・オートチェンジャーを簡単に実現することができる。
【０５５２】
【発明の効果】
上述せる本発明によれば、磁気テープに記録されているデータを、通常の再生速度、或いは通常の再生速度以外の再生速度で再生し、通常の再生速度、或いは通常の再生速度以外の再生速度で再生された再生データを、キャッシュメモリを介して複数のディスクに供給して通常の記録速度、或いは通常の記録速度以外の記録速度で記録し、複数のディスクに記録されているデータを、通常の再生速度、或いは通常の再生速度以外の再生速度で再生し、複数のディスクの記録データを再生して得られた通常の再生速度、或いは通常の再生速度以外の再生速度のデータを、キャッシュメモリを介して磁気テープに供給して通常の記録速度、或いは通常の記録速度以外の記録速度で記録するようにしたので、キャッシュメモリを介して複数のディスクに供給するので、磁気テープに記録されているデータが通常の再生速度以外で再生されたデータであっても良好に記録することができ、また、複数のディスクに記録されているデータを通常の速度以外で再生して記録部に供給し、記録部において通常の記録速度以外の記録速度で記録することができ、これによって、記録再生作業を簡単にすると共に、記録再生作業に要する時間を大幅に（ｎ倍あれば１／ｎに）短縮できると共に、例えば再生部が１台であっても、同時再生を行うことができ、更に、複数のディスクを用いるようにしたので、磁気テープで心配される媒体の摩耗やアクセスの遅さ等の心配がなく、また、再生部にディジタルＶＴＲ等のようなデータ転送量の多いものを使用した場合でも記録再生作業に要する時間を短縮でき、しかも、装置或いはシステムを構築した場合の構成を簡単にでき、これによってコストを大幅に下げることができるという効果がある。
【０５５３】
また上述せる本発明によれば、少なくとも通常の転送速度のｎ倍の転送速度でデータを出力する再生部、少なくとも通常の転送速度のｎ倍の転送速度のデータを記録する記録部及びｋ個のディスク記録再生部間に配置したデータコントロール部、再生部、記録部及びｋ個のディスク記録再生部を制御部で制御することによって、再生部から記録部、再生部から複数のディスク記録再生部、複数のディスク記録再生部から記録部へのデータ転送、並びに外部への出力、或いは外部からの入力を、キャッシュとして機能する記憶部を経由して行うようにしたので、、データコントロール部における入出力をキャッシュとして機能する記憶部を経由して行うことによって、通常の転送速度のｎ倍の転送速度のデータを、記憶部を介してｋ個のディスク記録再生部に供給するので、磁気テープに記録されているデータが通常の再生速度のｎ倍の再生速度で再生されたデータであっても良好に記録することができ、また、ｋ個のディスク記録再生部の各ディスクに夫々記録されているデータを通常の速度のｎ倍の再生速度で再生して記録部に供給し、記録部において通常の記録速度のｎ倍の記録速度で記録することができ、これによって、記録再生作業を簡単にすると共に、記録再生作業に要する時間を大幅に（ｎ倍あれば１／ｎに）短縮できると共に、例えば再生部が１台であっても、同時再生を行うことができ、更に、複数のディスクを用いるようにしたので、磁気テープで心配される媒体の摩耗やアクセスの遅さ等の心配がなく、また、再生部にディジタルＶＴＲ等のようなデータ転送量の多いものを使用した場合でも記録再生作業に要する時間を短縮でき、しかも、装置或いはシステムを構築した場合の構成を簡単にでき、これによってコストを大幅に下げることができるという効果がある。
【図面の簡単な説明】
【図１】本発明記録再生方法及びその装置の一実施例を示す構成図である。
【図２】図１に示した編集システムで使用する再生機２１及び記録機２４を高速記録再生ＶＴＲで構成した場合の例を示す構成図である。
【図３】本発明記録再生方法及びその装置の一実施例の説明に供する映像及び音声データの記録、再生時のフォーマットを説明するための説明図である。
【図４】図２に示した高速記録再生ＶＴＲの記録／再生ヘッドに関する説明図である。
【図５】図２に示した高速記録再生ＶＴＲの説明に供する通常の４倍の転送速度での記録動作を説明するための説明図である。
【図６】図２に示した高速記録再生ＶＴＲの説明に供する通常の４倍の転送速度での再生動作を説明するための説明図である。
【図７】図１に示した記録再生装置で使用する入力部２５の構成例を示す構成図である。
【図８】図１に示した記録再生装置で使用する再生出力部３６、３１、３９及び記録モニタ出力部４４の構成例を示す構成図である。
【図９】図１に示した記録再生装置で使用するデータコントローラ２０の構成例を示す構成図である。
【図１０】図９に示したデータコントローラ２０の再生系１２３の構成例を示す構成図である。
【図１１】図９に示したデータコントローラ２０の記録系１２８の構成例を示す構成図である。
【図１２】図９に示したデータコントローラ２０のディスクアレイコントローラ１３８の構成例を示す構成図である。
【図１３】図９に示したデータコントローラ２０における３倍速再生時のキャッシュへのフレームデータ転送動作を説明するための説明図である。
【図１４】図９に示したデータコントローラ２０における３倍速再生時のキャッシュへのフレームデータ転送動作を説明するための説明図である。
【図１５】図９に示したデータコントローラ２０における２倍速再生時のキャッシュへのフレームデータ転送動作を説明するための説明図である。
【図１６】図９に示したデータコントローラ２０における１倍速再生時のキャッシュへのフレームデータ転送動作を説明するための説明図である。
【図１７】図９に示したデータコントローラ２０による、ディスクドライブ２２、２３、３０、３１、３４、３５、４２及び４３のディスクＤＩＳＣ１〜ＤＩＳＣ８への記録動作を説明するための説明図である。
【図１８】図９に示したディスクアレイコントローラと図１に示したディスクドライブ２２、２３、３０、３１、３４、３５、４２及び４３との間のデータ転送タイミングを示す説明図である。
【図１９】図９に示したディスクアレイコントローラと図１に示したディスクドライブ２２、２３、３０、３１、３４、３５、４２及び４３との間のデータ転送タイミングを示す説明図である。
【図２０】３倍速再生時のキャッシュから記録機２４へのデータ転送動作を説明するための説明図である。
【図２１】２倍速再生時のキャッシュから記録機２４へのデータ転送動作を説明するための説明図である。
【図２２】１倍速再生時のキャッシュから記録機２４へのデータ転送動作を説明するための説明図である。
【図２３】３倍速再生時のキャッシュから記録機２４へのデータ転送動作を説明するための説明図である。
【図２４】３倍速再生時のキャッシュから記録機２４へのデータ転送動作を説明するための説明図である。
【図２５】図９に示したディスクアレイコントローラ１３８による、図１のディスクドライブ２２、２３、３０、３１、３４、３５、４２及び４３からのデータの読み出しタイミングを説明するための説明図である。
【図２６】図９に示したディスクアレイコントローラ１３８による、図１のディスクドライブ２２、２３、３０、３１、３４、３５、４２及び４３からのデータの読み出しタイミングを説明するための説明図である。
【図２７】ディスク上の任意のＭ箇所を再生する場合の動作説明に供するディスクイメージを示す説明図である。
【図２８】ディスク上の任意のＭ箇所を再生する場合のデータ転送動作を説明するためのタイミングチャートである。
【図２９】ディスク上の任意のＭ箇所を再生する場合のデータ転送動作を説明するためのタイミングチャートである。
【図３０】ディスク上の任意のＭ箇所を再生、且つ、高速記録再生ＶＴＲからの１倍速の再生信号をディスク上に記録する場合の動作説明に供するディスクイメージを示す説明図である。
【図３１】ディスク上の任意のＭ箇所を再生、且つ、高速記録再生ＶＴＲからの１倍速の再生信号をディスク上に記録する場合のデータ転送動作の説明に供するタイミングチャートである。
【図３２】ディスク上の任意のＭ箇所を再生、且つ、高速記録再生ＶＴＲからの１倍速の再生信号をディスク上に記録する場合のデータ転送動作の説明に供するタイミングチャートである。
【図３３】ディスク上の任意の１箇所を再生、且つ、高速記録再生ＶＴＲからの２倍速の再生信号をディスク上に記録する場合の動作説明に供するディスクイメージを示す説明図である。
【図３４】ディスク上の任意の１箇所を再生、且つ、高速記録再生ＶＴＲからの２倍速の再生信号をディスク上に記録する場合のデータ転送動作の説明に供するタイミングチャートである。
【図３５】ディスク上の任意の１箇所を再生、且つ、高速記録再生ＶＴＲからの２倍速の再生信号をディスク上に記録する場合のデータ転送動作の説明に供するタイミングチャートである。
【図３６】図１に示した記録再生装置を１つの筐体に収納して編集機として上位編集システムに組み込んだ場合の構成を示す構成図である。
【図３７】図１に示した記録再生装置を複数用いた場合のシステムの構成を示す構成図である。
【図３８】本発明記録再生方法及びその装置を適用した記録再生装置の概要説明に供する、Ｎ倍速コピー及びＮチャンネル同時再生の概要説明に供する説明図である。
【図３９】本発明記録再生方法及びその装置を適用した記録再生装置の概要説明に供する、異なる素材の同時再生の概要説明に供する説明図である。
【図４０】本発明記録再生方法及びその装置を適用した記録再生装置の概要説明に供する、同一素材の同時再生の概要説明に供する説明図である。
【図４１】本発明記録再生方法及びその装置を適用した記録再生装置の概要説明に供する、Ｎチャンネル同時記録再生の概要説明に供する説明図である。
【図４２】本発明記録再生方法及びその装置を適用した記録再生装置の概要説明に供する、異なる素材の同時再生の概要説明に供する説明図である。
【図４３】本発明記録再生方法及びその装置を適用した記録再生装置の概要説明に供する、素材の２倍速記録再生と同時再生の概要説明に供する説明図である。
【図４４】本発明記録再生方法及びその装置を適用した記録再生装置の概要説明に供する、異なる素材の記録再生と同時再生の概要説明に供する説明図である。
【図４５】従来の記録再生装置の一例を示す構成図である。
【符号の説明】
２０  データコントローラ
２１  再生機
２２、２３、３０、３１、３４、３５、４２、４３  ディスクドライブ
２４  記録機
２５  入力部
３３  システムコントローラ
３６、４１、４９  再生出力部
４４  記録モニタ出力部
１３８  ディスクアレイコントローラ
１４３、１６１  マルチプレクサ
１４４、１６２  バッファ
１４５、１６３  デマルチプレクサ
１４６  第１キャッシュ
１４７  第２キャッシュ
１４８  第３キャッシュ
Ｓ１〜Ｓ２８、１７２、１７４、１７６、１７８、１８０、１８２、１８４、１８６  スイッチ
ＢＦ１〜ＢＦ２８  バッファ
１７１  制御部
１８０  高効率編集機
１８２  音声ミクサ
１８３  ＤＭＥスイッチャ
１８４  エディタコントローラ
１９０−１、１９０−２、・・・・１９０−ｎ  記録再生装置
１９０  コントローラ
【図１】
0003598561.tif 000003
【図２】
0003598561.tif 000004
【図３】
0003598561.tif 000005
【図４】
0003598561.tif 000006
【図５】
0003598561.tif 000007
【図６】
0003598561.tif 000008
【図７】
0003598561.tif 000009
【図８】
0003598561.tif 000010
【図９】
0003598561.tif 000011
【図１０】
0003598561.tif 000012
【図１１】
0003598561.tif 000013
【図１２】
0003598561.tif 000014
【図１３】
0003598561.tif 000015
【図１４】
0003598561.tif 000016
【図１５】
0003598561.tif 000017
【図１６】
0003598561.tif 000018
【図１７】
0003598561.tif 000019
【図１８】
0003598561.tif 000020
【図１９】
0003598561.tif 000021
【図２０】
0003598561.tif 000022
【図２１】
0003598561.tif 000023
【図２２】
0003598561.tif 000024
【図２３】
0003598561.tif 000025
【図２４】
0003598561.tif 000026
【図２５】
0003598561.tif 000027
【図２６】
0003598561.tif 000028
【図２７】
0003598561.tif 000029
【図２８】
0003598561.tif 000030
【図２９】
0003598561.tif 000031
【図３０】
0003598561.tif 000032
【図３１】
0003598561.tif 000033
【図３２】
0003598561.tif 000034
【図３３】
0003598561.tif 000035
【図３４】
0003598561.tif 000036
【図３５】
0003598561.tif 000037
【図３６】
0003598561.tif 000038
【図３７】
0003598561.tif 000039
【図３８】
0003598561.tif 000040
【図３９】
0003598561.tif 000041
【図４０】
0003598561.tif 000042
【図４１】
0003598561.tif 000043
【図４２】
0003598561.tif 000044
【図４３】
0003598561.tif 000045
【図４４】
0003598561.tif 000046
【図４５】
0003598561.tif 000047